(57)【要約】      （修正有）【課題】第１の旋回軸の周りの回転のための底部構造に旋回可能に結合される座部支持構造を備える椅子アセンブリを提供する。【解決手段】底部構造５０２と、底部構造に旋回可能に結合される座部支持構造５２２と、底部構造に旋回可能に結合され、垂直位置とリクライニング位置の間で移動するように構成される上方に伸びる部分を含む、背部支持構造５４２と、座部支持構造の旋回可能に結合される第１の端部、及び背部支持構造に旋回可能に結合される第２の端部を有する制御リンク５５８と、概して前方に面し、背部支持構造に旋回可能に結合される上部を有する、背部支持面と、及び、背部支持面に旋回可能に結合される、背部リンク５８４であって、背部支持構造が垂直位置からリクライニング位置へ移動するにつれて、背部支持面は背部支持構造の上方に伸びる部分に対して背部支持リンクにより前方に移動させる、背部リンクと、を備える椅子アセンブリ。【選択図】図４９
2020054882.tif 000002
【特許請求の範囲】
【請求項１】
椅子アセンブリであって、
上部と前記上部の下に位置する下部を画定する底部構造と、
前部と、
前記前部の後方に位置する後部を有する座部支持構造であって、
前記座部支持構造の前部は第１の旋回軸の周りの回転のために前記底部構造の上部に旋回可能に結合され、及びその上に座るユーザを支持するように構成される座部支持面を含む、座部支持構造と、
前部と前記前部の後方に位置する後部を有する背部支持構造であって、前記背部支持構造の前部は第２の旋回軸の周りの回転のために前記底部構造の下部に旋回可能に結合され、垂直位置とリクライニング位置の間で移動するように構成される上方に伸びる部分を含む、背部支持構造と、
第３の旋回軸の周りの回転のために前記座部支持構造の後部に旋回可能に結合される第１の端部、及び第４の旋回軸の周りの回転のために前記背部支持構造の後部に旋回可能に結合される第２の端部を有する制御リンクと、
を備える椅子アセンブリ。
【請求項２】
前記制御リンクの第１の端部は第１の垂直高さに位置し、及び前記制御リンクの第２の端部は第２の垂直高さに位置し、前記第１の垂直高さは前記第２の垂直高さより大きい、請求項１に記載の椅子アセンブリ。
【請求項３】
前記背部支持構造が前記垂直位置にある場合、前記第１の垂直高さは前記第２の垂直高さより大きい、請求項２に記載の椅子アセンブリ。
【請求項４】
前記背部支持構造が前記リクライニング位置にある場合、前記第１の垂直高さは前記第２の垂直高さより大きい、請求項２又は３に記載の椅子アセンブリ。
【請求項５】
前記背部支持構造に作動可能に結合される背部支持アセンブリであって、前記背部支持アセンブリは、湾曲を画定する前方に湾曲する腰部下部を有する柔軟シェル部材を備え、前記背部支持構造が前記垂直位置から前記リクライニング位置へ移動するにつれて、前記湾曲は増加する、背部支持構造を更に備える、請求項１〜４のいずれか１項に記載の椅子支持。
【請求項６】
前記背部支持構造と前記背部支持アセンブリの間の作動可能な結合は、前記背部支持構造の上方に伸びる部分への柔軟シェル部材の旋回接続を含む、請求項５に記載の椅子支持。
【請求項７】
前記座部支持構造へ作動可能に結合され、前記柔軟シェル部材に旋回可能に結合される背部リンクであって、前記背部支持構造が前記垂直位置から前記リクライニング位置へ移動するにつれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置へ移動するにつれて、前記距離は増加する、背部リンクを更に備える請求項５又は６に記載の椅子支持。
【請求項８】
座るユーザの背中を支持するように構成される概して前方に面する背部支持面を有する背部支持アセンブリであって、背部支持アセンブリが前記背部支持構造に作動可能に結合される、背部支持アセンブリを更に備える請求項１から７のいずれか１項に記載の椅子アセンブリ。
【請求項９】
前記座部支持構造に作動可能に結合され、前記背部支持面へ作動可能に結合される背部リンクであって、前記背部支持構造が前記垂直位置から前記リクライニング位置へ動かされるにつれて、前記背部支持面は前記背部支持構造の垂直部に対して背部リンクにより前方へ動かされる、背部リンクを更に備える、請求項８に記載の椅子アセンブリ。
【請求項１０】
前記背部リンクは第５の旋回軸の周りの回転のために前記座部支持構造へ旋回可能に結合され、及び第６の旋回軸の周りの回転のために前記背部支持面へ旋回可能に結合される、請求項９に記載の椅子アセンブリ。
【請求項１１】
前記背部支持構造が前記垂直位置にある場合、前記第５の旋回軸は前記第１の旋回軸より大きい垂直高さに設置され、前記背部支持構造が前記リクライニング位置にある場合、前記第１の旋回軸より低い垂直高さに設置される、請求項１０に記載の椅子アセンブリ。
【請求項１２】
前記背部支持アセンブリは前記背部支持構造に旋回可能に結合される、請求項８から１１のいずれか１項に記載の椅子アセンブリ。
【請求項１３】
前記背部支持面と前記背部支持構造の少なくとも一部は前記背部支持構造の前記垂直位置から前記リクライニング位置への移動の間に変化するその間の距離を画定する、請求項８から１３のいずれか１項に記載の椅子アセンブリ。
【請求項１４】
前記背部支持構造の上方に伸びる部分は、本質的に剛性が高く、前記距離を画定する前記背部支持面の部分は前記背部支持構造より著しく剛性が低い、請求項１３に記載の椅子アセンブリ。
【請求項１５】
前記第１の旋回軸と前記第２の旋回軸の間の距離は前記第３の旋回軸と前記第４の旋回軸の間の距離より大きい、請求項１から１４のいずれか１項に記載の椅子アセンブリ。
【請求項１６】
前記背部支持構造を前記リクライニング位置から前記垂直位置に向かってバイアスするバイアス力を加える少なくとも１つのバイアスアセンブリを更に備える請求項１から１５のいずれか１項に記載の椅子アセンブリ。
【請求項１７】
前記背部支持構造が前記垂直位置にある場合、前記バイアス力は様々な大きさの間で調節可能である、請求項１６に記載の椅子アセンブリ。
【請求項１８】
椅子アセンブリであって、
底部構造と、
第１の旋回軸の周りの回転のために前記底部構造に旋回可能に結合され、上に座るユーザを支持するように構成される座部支持面を含む、座部支持構造と、
第２の旋回軸の周りの回転のために前記底部構造に旋回可能に結合され、垂直位置とリクライニング位置の間で移動するように構成される上方に伸びる部分を含む、背部支持構造と、
第３の旋回軸の周りの回転のために前記座部支持構造の後部に旋回可能に結合される第１の端部、及び第４の旋回軸の周りの回転のために前記背部支持構造の後部に旋回可能に結合される第２の端部を有する制御リンクと、
概して前方に面し、座るユーザの背中を支持するように構成され、及び第５の旋回軸の周りの回転のために前記背部支持の上方に伸びる部分へ旋回可能に結合される上部を有する、背部支持面と、及び、
第６の旋回軸の周りの回転のために前記背部支持面の下部に旋回可能に結合され、及び第７の旋回軸の周りの回転のために前記座部支持構造へ旋回可能に結合される、背部リンクであって、前記背部支持構造が前記垂直位置から前記リクライニング位置へ移動するにつれて、前記背部支持面は前記背部支持構造の上方に伸びる部分に対して背部支持リンクにより前方に移動させる、背部リンクと、
を備える椅子アセンブリ。
【請求項１９】
前記第３の旋回軸は前記第４の旋回軸より高い垂直高さに位置する、請求項１８に記載の椅子アセンブリ。
【請求項２０】
前記背部支持構造が前記垂直位置にある場合、前記第３の旋回軸は前記第４の旋回軸より大きい垂直高さに位置する、請求項１８又は１９に記載の椅子アセンブリ。
【請求項２１】
前記背部支持構造が前記リクライニング位置にある場合、前記第３の旋回軸は前記第４の旋回軸より大きい垂直高さに位置する、請求項１８から２０のいずれか１項に記載の椅子アセンブリ。
【請求項２２】
前記背部支持構造が前記垂直位置にある場合、前記第７の旋回軸は第１の旋回軸より大きい垂直高さに位置し、前記背部支持構造がリクライニング位置にある場合、第１の旋回軸より低い垂直高さ位置にある、請求項１８から２１のいずれか１項に記載の椅子アセンブリ。
【請求項２３】
前記座部支持構造は前部と後部を含み、第１の旋回軸は前記座部支持構造の前部に位置し、及び前記第３の旋回軸は前記座部支持構造の後部に位置し、前記背部支持構造は前部と後部を含み、第２の旋回軸は前記背部支持構造の前部に位置し、前記第４の旋回軸は前記背部支持構造の後部に位置する、請求項１８から２２のいずれか１項に記載の椅子アセンブリ。
【請求項２４】
前記第１の旋回軸と前記第２の旋回軸の間の距離は前記第３の旋回軸と前記第４の旋回軸の間の距離より大きい、請求項１８から２３のいずれか１項に記載の椅子アセンブリ。
【請求項２５】
前記背部支持面と前記背部支持構造の少なくとも一部は、前記垂直位置から前記リクライニング位置への前記背部支持構造の移動の間に変化するその間の距離を画定する、請求項１８から２４のいずれか１項に記載の椅子アセンブリ。
【請求項２６】
前記背部支持構造の上方に伸びる部分は本質的に剛性が高く、前記距離を画定する前記背部支持面の部分は前記背部支持構造より剛性が著しく低い、請求項２５に記載の椅子アセンブリ。
【請求項２７】
前記背部支持アセンブリは湾曲を画定する前方に湾曲する腰部下部を有する柔軟シェル部材を備え、前記背部支持構造が前記垂直位置から前記リクライニング位置へ移動するにつれて、前記湾曲が増加する、請求項１８から２６のいずれか１項に記載の椅子支持。
【請求項２８】
前記背部支持構造と前記背部支持アセンブリの間の結合は前記背部支持構造の上方へ伸びる部分への前記柔軟シェル部材の旋回結合を含む、請求項２７に記載の椅子支持。
【請求項２９】
前記座部支持構造へ作動可能に結合され、前記柔軟シェル部材に旋回可能に結合される背部リンクであって、前記背部支持構造が前記垂直位置から前記リクライニング位置へ移動するにつれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置へ移動するにつれて、前記距離は増加する、請求項１８から２８のいずれか１項に記載の椅子支持。
【請求項３０】
前記バイアス支持構造を前記リクライニング位置から前記垂直位置に向かってバイアスするバイアス力を加える少なくとも１つのバイアスアセンブリを更に備える、請求項１８から２９のいずれか１項に記載の椅子アセンブリ。
【請求項３１】
前記背部支持構造が前記垂直位置にある場合、前記バイアス力は様々な大きさの間で調節可能である、請求項３０に記載の椅子アセンブリ。
【請求項３２】
椅子アセンブリであって、
底部構造と、
前部と前記前部の後方に位置する後部を有する座部支持構造であって、前記座部支持構造の前部は前記底部構造に作動可能に結合され、その上に座るユーザを支持するように構成される座部支持面を含む、座部支持構造と、
前部と前記前部の後方に位置する後部を有する背部支持構造であって、前記背部支持構造の前部は前記底部構造へ作動可能に結合され、垂直位置とリクライニング位置の間で移動するように構成される上方へ伸びる部分を含む、背部支持構造と、
概して前方に面し、座るユーザの背中を支持するように構成され、及び、第１の背部支持旋回軸の周りの回転のために背部支持の上方に伸びる部分に旋回可能に結合される上部、及び下部を有する、背部支持面と、
第２の背部支持旋回軸の周りの回転のために前記背部支持面の下部に旋回可能に結合され、前記座部支持構造に作動可能に結合される背部リンクであって、前記背部支持構造が前記垂直位置から前記リクライニング位置へ移動するにつれて、前記第１の背部支持旋回軸と前記第２の背部支持旋回軸の間の距離は減少し、前記背部支持構造が前記リクライニング位置から前記垂直位置へ移動するにつれて増加する、背部リンクと
を備える椅子アセンブリ。
【請求項３３】
前記背部リンクは座部支持旋回軸の周りで前記座部支持構造へ旋回可能に結合され、前記背部支持構造が前記垂直位置から前記リクライニング位置へ移動するにつれて、前記第２の背部支持旋回軸は前記座部支持旋回軸に対して移動しない、請求項３２に記載の椅子アセンブリ。
【請求項３４】
前記背部支持構造が前記垂直位置から前記リクライニング位置へ移動するにつれて、前記背部支持面は前記背部支持構造の垂直部に対して前記背部リンクにより前方へ動かされる、請求項３２又は３３に記載の椅子アセンブリ。
【請求項３５】
前記座部支持構造の後部に作動可能に結合される第１の端部と、前記背部支持構造の後部に作動可能に結合される第２の端部を有する制御リンクであって、前記背部支持構造が前記垂直位置から前記リクライニング位置へ動かされるにつれて、前記背部支持構造のリクライニング速度より遅いリクライニング速度で前記座部支持構造をリクライニングさせる、制御リンクを更に含む、請求項３２から３４のいずれか１項に記載の椅子アセンブリ。
【請求項３６】
椅子アセンブリであって、
底部構造と、
第１の旋回軸の周りの回転のために前記底部構造へ直接旋回可能に結合され、その上に座るユーザを支持するように構成される座部支持面を含む、座部支持構造と、
第２の旋回軸の周りの回転のために前記底部構造に直接旋回可能に結合され、垂直位置とリクライニング位置の間で移動するように構成される上方に伸びる部分を含む、背部支持構造と、
前記座部支持構造に作動可能に結合される第１の端部と、前記座部支持構造に作動可能に結合される第２の端部を有する制御リンクであって、前記背部支持構造が前記垂直位置から前記リクライニング位置へ移動するにつれて、前記背部支持構造のリクライニング速度より遅いリクライニング速度で前記座部支持構造をリクライニングさせる、制御リンクと、を備える椅子アセンブリ。
【請求項３７】
前記背部支持アセンブリは湾曲を画定する前方へ湾曲する腰部下部を有する柔軟シェル部材を備え、前記背部支持構造が前記垂直位置から前記リクライニング位置へ移動するにつれて、前記湾曲が増加する、請求項３６に記載の椅子アセンブリ。
【請求項３８】
前記背部支持構造が前記垂直位置から前記リクライニング位置へ移動するにつれて、前記座部支持構造のリクライニング速度は前記背部支持構造のリクライニング速度の約半分になる、請求項３６又は３７に記載の椅子アセンブリ。
【請求項３９】
前記背部支持構造が前記垂直位置にある場合の前記背部支持構造の位置から約１８°にリクライニングする場合、前記座部支持構造は前記垂直位置にある場合の前記座部支持構造の位置から約９°リクライニングする、請求項３６から３８のいずれか１項に記載の椅子アセンブリ。
【請求項４０】
前記制御リンクの第１の端部は前記座部支持構造に旋回可能に結合され、前記制御リンクの第２の端部は前記背部支持構造に旋回可能に結合される、請求項３６から３９のいずれか１項に記載の椅子アセンブリ。
【請求項４１】
前記制御リンクは長手方向に伸びる軸を含み、前記制御リンクの長手方向軸は、前記背部支持構造が前記垂直位置にある場合より、前記背部支持構造が前記リクライニング位置にある場合の方が本質的により垂直方向を向く、請求項３６から３９のいずれか１項に記載の椅子アセンブリ。
【請求項４２】
前記制御リンクは、前記背部支持構造が前記第１の位置にある場合、前記座部支持構造と第１の角度を形成し、前記座部構造が前記第２の位置にある場合、第２の角度を形成する、長手方向に伸びる軸を含み、前記第１の角度は鋭角であり、前記背部支持構造が前記第１と第２の位置の間で動くにつれて、前記制御リンクの軸は前記座部支持構造に対して本質的に垂直を超えては回転しない、請求項３６から４１のいずれか１項に記載の椅子アセンブリ。
【請求項４３】
前記座部支持構造は前部と後部を含み、前記背部支持構造は前部と後部を含み、前記第１の旋回軸は前記座部構造の前部に位置し、前記第２の旋回軸は前記背部支持構造の前部に位置する、請求項３６から４２のいずれか１項に記載の椅子アセンブリ。
【請求項４４】
前記制御リンクの第１の端部は前記座部支持構造の後部へ作動可能に結合され、前記制御リンクの第２の端部は前記背部支持構造の後部へ作動可能に結合される、請求項４３に記載の椅子アセンブリ。
【請求項４５】
前記制御リンクの第１の端部は前記座部支持構造へ旋回可能に結合され、前記制御リンクの第２の端部は前記背部支持構造へ旋回可能に結合される、請求項４３又は４４に記載の椅子アセンブリ。
【請求項４６】
前記背部支持構造は概略Ｌ型を備え、前記背部支持構造は上向きに伸びる部分から前方へ伸びる下部を含む、請求項３６から４５のいずれか１項に記載の椅子アセンブリ。
【請求項４７】
前記制御リンクの第１の端部は第３の旋回軸において前記座部支持構造へ旋回可能に結合され、前記制御リンクの第２の端部は第４の旋回軸において、前記背部支持構造に旋回可能に結合され、前記第１の旋回軸は前記第２の旋回軸より大きい垂直高さに位置し、前記第３の旋回軸は前記第４の旋回軸より大きい垂直高さに位置する、３６から４６のいずれか１項に記載の椅子アセンブリ。
【請求項４８】
前記背部支持構造が前記垂直位置にある場合、前記第３の旋回軸は前記第４の旋回軸より大きい垂直高さにある、請求項３６から４７のいずれか１項に記載の椅子アセンブリ。
【請求項４９】
前記背部支持構造が前記リクライニング位置にある場合、前記第３の旋回軸は前記第４の旋回軸より大きい垂直高さにある、請求項３６から４８のいずれか１項に記載の椅子アセンブリ。
【請求項５０】
前記制御リンクの第１の端部は第３の旋回軸において前記座部支持構造に旋回可能に結合され、前記制御リンクの第２の端部は前記背部支持構造に旋回可能に結合され、前記第１と第２の旋回軸の間の距離は前記第３と第４の旋回軸の間の距離より大きい、請求項３６から４９のいずれか１項に記載の椅子アセンブリ。
【請求項５１】
座るユーザの背中を支持するように構成される概して前方に面する背部支持面を有する背部支持アセンブリであって、前記背部支持アセンブリは前記背部支持構造に作動可能に結合される、請求項３６から５０のいずれか１項に記載の椅子アセンブリ。
【請求項５２】
前記座部支持構造に作動可能に結合され、前記背部支持面へ作動可能に結合される背部リンクであって、前記背部支持構造が前記垂直位置から前記リクライニング位置へ移動するにつれて、前記背部支持面は前記背部支持構造の垂直部に対して前記背部リンクにより前方へ動かされる、背部リンクを更に備える、請求項５１に記載の椅子アセンブリ。
【請求項５３】
前記背部支持アセンブリは湾曲を画定する前方に湾曲する腰部下部を有する柔軟シェル部材を備え、前記背部支持構造が前記垂直位置から前記リクライニング位置へ移動するにつれて、前記湾曲は増加する、請求項５１又は５２に記載の椅子支持。
【請求項５４】
前記背部支持構造と前記背部支持アセンブリの間の結合は、前記背部支持構造の上方に伸びる部分への前記柔軟シェル部材の旋回結合を含む、請求項５３に記載の椅子支持。
【請求項５５】
前記座部支持構造へ作動可能に結合され、前記柔軟シェル部材へ旋回可能に結合される背部リンクであって、前記背部支持構造が前記垂直位置から前記リクライニング位置へ移動するにつれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置へ移動するにつれて、前記距離は増加する、請求項３６に記載の椅子支持。
【請求項５６】
前記背部支持構造を前記リクライニング位置から前記垂直位置に向かってバイアスするバイアス力を加える少なくとも１つのバイアスアセンブリを更に備える、請求項３６から５５のいずれか１項に記載の椅子アセンブリ。
【請求項５７】
前記背部支持構造が前記垂直位置にある場合、前記バイアス力は様々な大きさの間で調節可能である、請求項５６に記載の椅子アセンブリ。
【請求項５８】
椅子アセンブリであって、
第１の旋回軸と前記第１の旋回軸から離隔して設置される第２の旋回軸を画定する底部構造と、
前記第１の旋回軸に旋回可能に結合される座部支持構造と、
前記第２の旋回軸に旋回可能に結合される背部支持構造であって、垂直位置とリクライニング位置の間で移動するように構成される上方に伸びる部分を含み、前記背部支持構造が前記垂直位置と前記リクライニング位置の間で移動するにつれて、底部構造は動かない、背部支持構造と、及び、
第３の旋回軸で前記座部支持構造の後部へ旋回可能に結合され、第４の旋回軸で前記背部支持構造へ旋回可能に結合される、制御リンクと、
を備え、
前記第１の旋回軸と前記第２の旋回軸の間の距離は前記第３の旋回軸と前記第４の旋回軸の間の距離より大きい、椅子アセンブリ。
【請求項５９】
前記第３の旋回軸は第１の垂直高さに設置され、前記第２の旋回軸は第２の垂直高さに設置され、前記第１の垂直高さは前記第２の垂直高さより大きい、請求項５８に記載の椅子アセンブリ。
【請求項６０】
前記背部支持構造へ作動可能に結合される背部支持アセンブリであって、前記背部支持アセンブリは湾曲を画定する前方へ湾曲する腰部下部を有する柔軟シェル部材を備え、前記背部支持構造が前記垂直位置から前記リクライニング位置へ動くにつれて、前記湾曲は増加する、背部支持アセンブリを更に備える、請求項５８又は５９に記載の椅子支持。
【請求項６１】
前記背部支持構造と前記背部支持アセンブリの間の作動可能な結合は、前記背部支持構造の上方へ伸びる部分への前記柔軟シェル部材の旋回結合を含む、請求項５８から６０のいずれか１項に記載の椅子支持。
【請求項６２】
前記座部支持構造へ作動可能に結合され、前記柔軟シェル部材へ旋回可能に結合される背部リンクであって、前記背部支持構造が前記垂直位置から前記リクライニング位置へ動くにつれて、前記背部支持構造への前記柔軟シェル部材の旋回結合と、前記柔軟シェル部材への前記背部リンクの旋回結合の間の距離は減少し、前記背部支持構造が前記垂直位置から前記リクライニング位置へ動くにつれて、前記距離は増加する、背部リンクを更に備える、請求項６０又は６１に記載の椅子支持。
【請求項６３】
座るユーザの背中を支持するように構成される概して前方に面する背部支持面を有する背部支持アセンブリであって、前記背部支持アセンブリは前記背部支持構造へ作動可能に結合される、背部支持アセンブリを更に備える、請求項５８に記載の椅子アセンブリ。
【請求項６４】
前記座部支持構造へ作動可能に結合され、前記背部支持面へ作動可能に結合される背部リンクであって、前記背部支持構造が前記垂直位置から前記リクライニング位置へ動くにつれて、前記背部支持面は前記背部支持構造の垂直部に対して前記背部リンクにより前方へ動かされる、背部リンクを更に備える、請求項６３に記載の椅子アセンブリ。
【請求項６５】
前記背部リンクは前記座部支持構造へ旋回可能に結合され、及び前記背部支持面へ旋回可能に結合される、請求項６４に記載の椅子アセンブリ。
【請求項６６】
前記背部支持アセンブリは前記背部支持構造へ旋回可能に結合される、請求項６３又は６４に記載の椅子アセンブリ。
【請求項６７】
背部支持面と前記背部支持構造の少なくとも一部は、前記垂直位置から前記リクライニング位置への前記背部支持構造の移動の間に変化するそれらの間の距離を画定する、請求項６３から６６のいずれか１項に記載の椅子アセンブリ。
【請求項６８】
前記背部支持構造の上方へ伸びる部分は本質的に剛性が高く、前記距離を画定する前記背部支持面の部分は前記背部支持構造より著しく剛性が低い、請求項６３から６７のいずれか１項に記載の椅子アセンブリ。
【請求項６９】
前記背部支持構造を前記リクライニング位置から前記垂直位置へ向かってバイアスするバイアス力を加える少なくとも１つのバイアスアセンブリを更に備える、請求項５８から６８のいずれか１項に記載の椅子アセンブリ。
【請求項７０】
前記背部支持構造が前記垂直位置にある場合、前記バイアス力は様々な大きさの間で調節可能である、請求項６９に記載の椅子アセンブリ。
【請求項７１】
椅子アセンブリであって、
底部構造と、
第１の旋回軸の周りの回転のために前記底部構造に直接旋回可能に結合され、その上に座るユーザを支持するように構成される座部支持面を含む、座部支持構造と、
第２の旋回軸の周りの回転のために前記底部構造に直接旋回可能に結合され、完全な垂直位置と完全なリクライニング位置の間で移動するように構成される上方に伸びる部分を含む、背部支持構造と、及び、
前記座部支持構造へ作動可能に結合される第１の端部と、前記背部支持構造に作動可能に結合される第２の端部を有し、前記背部支持構造が前記完全な垂直位置と前記完全なリクライニング位置の間で移動するにつれて、第１の位置と第２の位置の間で移動するように構成される制御リンクであって、前記制御リンクが前記第１の位置にある場合、前記座部支持面と第１の角度を、前記制御リンクが第２の位置にある場合、前記座部支持面と第２の角度を、それぞれ形成する長手方向に伸びる軸を含み、前記第１の角度は鋭角であり、制御リンクが前記第１と第２の位置の間で動くにつれて、前記制御リンクの軸は前記座部支持面に本質的に直角を超えては回転しない、制御リンクと、
を備える椅子アセンブリ。
【請求項７２】
前記制御リンクの長手方向軸は、前記背部構造が前記完全な垂直位置にある場合より、前記完全なリクライニング位置にある場合の方が本質的により垂直方向に向けられる、請求項７１に記載の椅子アセンブリ。
【請求項７３】
前記背部支持構造が前記垂直位置から前記リクライニング位置へ動くにつれて、前記座部支持構造のリクライニング速度は、前記背部支持構造のリクライニング速度の約１/３から前記背部支持構造のリクライニング速度の約２/３の範囲内にある、請求項７１又は７２に記載の椅子アセンブリ。
【請求項７４】
前記背部支持構造が前記垂直位置から前記リクライニング位置へ移動するにつれて、前記座部支持構造のリクライニング速度は前記背部支持構造のリクライニング速度の約半分である、請求項７１から７３のいずれか１項に記載の椅子アセンブリ。
【請求項７５】
前記背部支持構造が前記リクライニング位置にある場合、前記背部支持構造は前記座部支持構造の２倍リクライニングする、請求項７１から７４のいずれか１項に記載の椅子アセンブリ。
【請求項７６】
前記背部支持構造が前記垂直位置にある場合、前記背部支持構造の位置から約１８°にリクライニングする場合、座部支持構造は前記座部支持構造が前記垂直位置にある場合の前記座部支持構造の位置から約９°にリクライニングする、請求項７１から７５のいずれか１項に記載の椅子アセンブリ。
【請求項７７】
前記制御リンクの第１の端部は前記座部支持構造に旋回可能に結合され、前記制御リンクの第２の端部は前記背部支持構造に旋回可能に結合される、請求項７１から７６のいずれか１項に記載の椅子アセンブリ。
【請求項７８】
前記座部支持構造は前部と後部を含み、前記背部支持構造は前部と後部を含み、前記第１の旋回軸は前記座部支持構造の前部に設置され、前記第２の旋回軸は前記背部支持構造の前部に設置される、請求項７１から７６のいずれか１項に記載の椅子アセンブリ。
【請求項７９】
前記制御リンクの第１の端部は前記座部支持構造の後部に作動可能に結合され、前記制御リンクの第２の端部は前記背部支持構造の後部に作動可能に結合される、請求項７８に記載の椅子アセンブリ。
【請求項８０】
前記制御リンクの第１の端部は前記座部支持構造へ旋回可能に結合され、前記制御リンクの第２の端部は前記背部支持構造へ旋回可能に結合される、請求項７９に記載の椅子アセンブリ。
【請求項８１】
前記背部支持構造は概ねＬ型であり、前記背部構造は前記上方に伸びる部分から前方へ伸びる下部を含む、請求項７１から８０のいずれか１項に記載の椅子アセンブリ。
【請求項８２】
前記制御リンクの第１の端部は第３の旋回軸で前記座部支持構造に旋回可能に結合され、前記制御リンクの第２の端部は第４の旋回軸において前記背部支持構造へ旋回可能に結合される、請求項７１から８１のいずれか１項に記載の椅子アセンブリ。
【請求項８３】
前記背部構造が前記垂直位置にある場合、前記第３の旋回軸は前記第４の旋回軸より大きい垂直高さにある、請求項８２に記載の椅子アセンブリ。
【請求項８４】
前記背部支持構造が前記リクライニング位置にある場合、前記第３の旋回軸は前記第４の旋回軸より大きい垂直高さにある、請求項８２又は８３に記載の椅子アセンブリ。
【請求項８５】
座るユーザの背中を支持するように構成される概して前方に面する背部支持面を有する背部支持アセンブリを更に備え、前記背部支持アセンブリは前記背部支持構造に作動可能に結合される、請求項７１から８５のいずれか１項に記載の椅子アセンブリ。
【請求項８６】
前記座部支持構造へ作動可能に結合され、及び前記背部支持面へ作動可能に結合される背部リンクであって、前記背部支持構造が前記垂直位置から前記リクライニング位置へ動くにつれて、前記背部支持構造は前記背部支持構造の垂直部分に関して前記背部リンクにより前方に動かされる、請求項８５に記載の椅子アセンブリ。
【請求項８７】
前記背部支持アセンブリは湾曲を画定する前方に湾曲する腰部下部を有する柔軟シェル部材を備え、前記背部支持構造が前記垂直位置から前記リクライニング位置へ動かされるにつれて、前記湾曲は増加する、請求項８５又は８６に記載の椅子支持。
【請求項８８】
前記背部支持構造と前記背部支持アセンブリの間の結合は、前記背部支持構造の上方へ伸びる部分への前記柔軟シェル部材の旋回結合を含む、請求項８７に記載の椅子支持。
【請求項８９】
前記座部支持構造に作動可能に結合され、前記柔軟シェル部材に旋回可能に結合される背部リンクをさらに含み、前記背部支持構造が前記垂直位置から前記リクライニング位置へ動くにつれて、前記背部支持構造への前記柔軟シェル部材の旋回結合と、前記柔軟シェル部材への前記背部リンクの旋回結合の間の距離は減少し、及び前記背部支持構造が前記リクライニング位置から前記垂直位置へ移動するにつれて、前記距離は増加する、請求項８８に記載の椅子支持。
【請求項９０】
前記背部支持構造を前記リクライニング位置から前記垂直位置へ向かってバイアスするバイアス力を加える少なくとも１つのバイアスアセンブリを更に備える、請求項７１から８９のいずれか１項に記載の椅子アセンブリ。
【請求項９１】
前記背部支持構造が前記垂直位置にある場合、前記バイアス力は様々な大きさの間で調節可能である、請求項９０に記載の椅子アセンブリ。
【請求項９２】
椅子アセンブリであって、
上部と前記上部の下に位置する下部を画定する底部構造と、
前部と前記前部の後方に位置する後部を有する座部支持構造であって、前記座部支持構造の前部は前記底部構造へ作動可能に結合され、及び前記座部支持構造はその上に座るユーザを支持するように構成される座部支持面を含む、座部支持構造と、
前部と前記前部の後方に位置する後部を有する背部支持構造であって、前記背部支持構造の前部は前記底部構造へ作動可能に結合され、及び前記背部支持構造は垂直位置とリクライニング位置の間で移動するように構成される上方に伸びる部分を含む、背部支持構造と、
前記座部支持構造の後部に作動可能に結合される第１の端部と前記背部支持構造の後部へ作動可能に結合される第２の端部を有する制御リンクであって、前記背部支持が前記垂直位置と前記リクライニング位置の間で動くにつれて、前記底部構造と前記制御リンクの選択された１つは地面に支持される面に対して回転するために固定される、制御リンクと、
を備える、椅子アセンブリ。
【請求項９３】
前記底部構造は地面に隣接する底部構造へ取り付けられるように構成される、請求項９２に記載の椅子アセンブリ。
【請求項９４】
前記座部支持構造の前部は第１の旋回軸の周りの回転のために前記底部構造の上部へ旋回可能に結合される、請求項９２又は９３に記載の椅子アセンブリ。
【請求項９５】
前記背部支持構造の前部は第２の旋回軸の周りの回転のために前記底部構造の下部へ旋回可能に結合される、請求項９４に記載の椅子アセンブリ。
【請求項９６】
前記制御リンクの第１の端部は第３の旋回軸の周りの回転のため前記座部支持構造の後部へ旋回可能に結合され、前記制御リンクの第２の端部は第４の旋回軸の周りの回転のため前記座部支持構造の後部へ旋回可能に結合される、請求項９５に記載の椅子アセンブリ。
【請求項９７】
前記第１の旋回軸と前記第２の旋回軸の間の距離は前記第３の旋回軸と前記第４の旋回軸の間の距離より大きい、請求項９６に記載の椅子アセンブリ。
【請求項９８】
前記制御リンクの第１の端部は第１の垂直高さに設置され、前記制御リンクの第２の端部は第２の垂直高さに設置され、前記第１の垂直高さは前記第２の垂直高さより大きい、請求項９２から９７のいずれか１項に記載の椅子アセンブリ。
【請求項９９】
前記背部支持構造が前記垂直位置にある場合、前記第１の垂直高さは前記第２の垂直高さより大きい、請求項９８に記載の椅子アセンブリ。
【請求項１００】
前記背部支持構造が前記リクライニング位置にある場合、前記第１の垂直高さは前記第２の垂直高さより大きい、請求項９８又は９９に記載の椅子アセンブリ。
【請求項１０１】
前記背部支持構造へ作動可能に結合される背部支持アセンブリを更に備え、前記背部支持アセンブリは湾曲を画定する前方へ湾曲する腰部下部を有する柔軟シェル部材を備え、前記背部支持構造が前記垂直位置から前記リクライニング位置へ移動するにつれて、前記湾曲は増加する、請求項９２から１００のいずれか１項に記載の椅子支持。
【請求項１０２】
前記背部支持構造と前記背部支持アセンブリの間の作動可能な結合は、前記背部支持構造の上方へ伸びる部分への前記柔軟シェル部材の旋回結合を含む、請求項１０１に記載の椅子支持。
【請求項１０３】
前記座部支持構造へ作動可能に結合され、及び前記柔軟シェル部材へ旋回可能に結合される背部リンクを更に含み、前記背部支持構造が前記垂直位置から前記リクライニング位置へ動くにつれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置の方へ移動するにつれて、前記距離は増加する、請求項１０１又は１０２に記載の椅子支持。
【請求項１０４】
座るユーザの背中を支持するように構成される概して前方に面する背部支持面を有する背部支持アセンブリを更に備え、前記背部支持アセンブリは前記背部支持構造へ作動可能に結合される、請求項９２に記載の椅子アセンブリ。
【請求項１０５】
前記座部支持構造へ作動可能に結合され、及び前記背部支持構造へ作動可能に結合される背部リンクをさらに含み、前記背部構造が前記垂直位置から前記リクライニング位置へ移動するにつれて、前記背部支持面は前記背部支持構造の垂直部に対して前記背部リンクにより前方へ動かされる、請求項１０４に記載の椅子アセンブリ。
【請求項１０６】
前記背部リンクは前記座部支持構造へ旋回可能に結合され、及び前記背部支持面へ旋回可能に結合される、請求項１０５に記載の椅子アセンブリ。
【請求項１０７】
前記背部支持アセンブリは前記背部支持構造へ旋回可能に結合される、請求項１０４から１０６のいずれか１項に記載の椅子アセンブリ。
【請求項１０８】
前記背部支持面と前記背部支持構造の少なくとも一部は、前記垂直位置から前記リクライニング位置への前記背部支持構造の移動の間に変化するその間の距離を画定する、請求項１０４から１０７のいずれか１項に記載の椅子アセンブリ。
【請求項１０９】
前記背部支持構造の上方へ伸びる部分は本質的に剛性が高く、前記距離を画定する前記背部支持面の部分は前記背部支持構造より著しく剛性が低い、請求項１０８に記載の椅子アセンブリ。
【請求項１１０】
前記背部支持構造を前記リクライニング位置から前記垂直位置へ向かってバイアスするバイアス力を加える少なくとも１つのバイアスアセンブリを更に備える、請求項９２から１０９のいずれか１項に記載の椅子アセンブリ。
【請求項１１１】
前記支持構造が前記垂直位置にある場合、前記バイアス力は様々な大きさの間で調節可能である、請求項１１０に記載の椅子アセンブリ。
【請求項１１２】
椅子アセンブリであって、
底部構造と、
第１の旋回軸の周りの回転のために底部構造に直接旋回可能に結合され、その上に座るユーザを支持するように構成される座部支持面を含む、座部支持構造と、
第２の旋回軸の周りの回転のために前記底部構造に直接旋回可能に結合され、垂直位置とリクライニング位置の間で移動するように構成される上方に伸びる部分を含む、背部支持構造と、
前記座部支持構造に作動可能に結合される第１の端部と、前記背部支持構造に作動可能に結合される第２の端部を有する制御リンクと、
前記背部支持構造上にバイアス力を加え、及び前記背部支持構造を前記リクライニング位置から前記垂直位置へ向かってバイアスする、前記第２の旋回軸の周りにバイアストルクを加える少なくとも１つのバイアスアセンブリであって、前記背部支持構造が垂直位置にある場合、前記バイアストルクは第１の大きさと第２の大きさの間で調節可能であり、前記第２の大きさは前記第１の大きさより大きい、少なくとも１つのバイアスアセンブリと、
を備える椅子アセンブリ。
【請求項１１３】
背部支持構造が前記垂直位置にある場合、前記バイアス力は第１の大きさと第２の大きさの間で調節可能であり、前記バイアス力の第２の大きさは前記バイアス力の第１の大きさより大きい、請求項１１２に記載の椅子アセンブリ。
【請求項１１４】
前記第１と第２の大きさの間で前記バイアストルクを調節するために、前記少なくとも１つのバイアスアセンブリへ作動可能に結合される調節アセンブリを更に備え、前記調節アセンブリは前記バイアストルクの第１の大きさに対応する第１の構成と前記バイアストルクの第２の大きさに対応する第２の構成の間で前記少なくとも１つのバイアスアセンブリを調節する、請求項１１２又は１１３に記載の椅子アセンブリ。
【請求項１１５】
前記調節アセンブリは第１と第２の位置の間での可動入力部材の移動時に、前記バイアストルクの大きさを変化させる可動入力部材を含む、請求項１１２から１１４のいずれか１項に記載の椅子アセンブリ。
【請求項１１６】
前記バイアストルクは前記バイアストルクの第１の大きさに対応する第１の形状と、前記バイアストルクの第２の大きさに対応する第２の形状の間を移動する弾性バイアス部材により生成される、請求項１１２から１１６のいずれか１項に記載の椅子アセンブリ。
【請求項１１７】
前記弾性バイアス部材は第１の端部、第２の端部及び前記第１の端部と前記第２の端部の間で画定される長さを有するバネ部材を備え、前記バネ部材の長さの変化は前記バイアストルクの第１と第２の大きさの間で前記バイアストルクの大きさを変化させる、請求項１１６に記載の椅子アセンブリ。
【請求項１１８】
前記バネ部材の第１の端部は、前記底部構造、前記座部支持構造、前記背部支持構造及び前記制御リンクの少なくとも選択された１つへ作動可能に結合され、前記底部構造、前記座部支持構造、前記背部支持構造及び前記制御リンクの選択された１つに対する前記バネ部材の第２の端部の位置変化は、前記バイアストルクの第１と第２の大きさの間で前記バイアストルクを調節する、請求項１１７に記載の椅子アセンブリ。
【請求項１１９】
前記弾性バイアス部材は第１の方向へ前記可動入力部材に作用する力を発生させ、前記調節アセンブリは前記第１の方向に対して本質的に反対の第２の方向へ前記可動入力部材上に作用する補助力を加える補助機構を含み、これにより前記バイアス力を前記第１の大きさから前記第２の大きさへ調節するために、前記可動入力部材へユーザにより加えられるのに必要な入力の力を減少させる、請求項１１６から１１８のいずれか１項に記載の椅子アセンブリ。
【請求項１２０】
前記補助機構はバネ部材を含む、請求項１１９に記載の椅子アセンブリ
【請求項１２１】
前記調節アセンブリは第１と第２のネジ付き部材を含み、前記第１のネジ付き部材の回転は前記第１と第２の大きさの間で前記バイアストルクを調節する、請求項１１３から１１９のいずれか１項に記載の椅子アセンブリ。
【請求項１２２】
前記背部支持構造が前記垂直位置から前記リクライニング位置への移動時に、前記座部支持構造のリクライニング速度は、前記背部支持構造が前記垂直位置から前記リクライニング位置への移動時の、前記背部支持構造のリクライニング速度より著しく遅い、請求項１１２から１２１のいずれか１項に記載の椅子アセンブリ。
【請求項１２３】
前記背部支持構造は概ねＬ型であり、前記背部支持構造は前記上方へ伸びる部分から前方へ伸びる下部を含む、請求項１１２から１２１のいずれか１項に記載の椅子アセンブリ。
【請求項１２４】
前記制御リンクの第１の端部は第３の旋回軸で前記座部支持構造へ旋回可能に結合され、前記制御リンクの第２の端部は第４の旋回軸で前記背部支持構造へ旋回可能に結合され、前記第１の旋回軸は前記第２の旋回軸より大きい垂直高さに設置され、前記第３の旋回軸は前記第４の旋回軸より大きい垂直高さに設置される、請求項１１２から１２３のいずれか１項に記載の椅子アセンブリ。
【請求項１２５】
座るユーザの背中を支持するように構成される概して前方に面する背部支持面を有する背部支持アセンブリを更に備え、前記背部支持アセンブリは前記背部支持構造へ作動可能に結合される、請求項１１２から１２５のいずれか１項に記載の椅子アセンブリ。
【請求項１２６】
前記座部支持構造へ作動可能に結合され、及び前記背部支持面へ作動可能に結合される背部リンクを更に備え、前記背部構造が前記垂直位置から前記リクライニング位置へ移動するにつれて、前記背部支持面は前記背部支持構造の上方へ伸びる部分に対して前記背部リンクにより前方へ動かされる、請求項１２５に記載の椅子アセンブリ。
【請求項１２７】
前記背部支持アセンブリは、湾曲を画定する前方に湾曲する腰部下部を有する柔軟シェル部材を備え、前記背部支持構造が前記垂直位置から前記リクライニング位置へ移動するにつれて、前記湾曲は減少する、請求項１２５又は１２６に記載の椅子支持。
【請求項１２８】
前記背部支持構造と前記背部支持アセンブリの間の結合は、前記背部支持構造の上方に伸びる部分への前記柔軟シェル部材の旋回結合を含む、請求項１１２に記載の椅子支持。
【請求項１２９】
前記座部支持構造へ作動可能に結合され、前記柔軟シェル部材に旋回可能に接続される背部リンクであって、前記背部支持構造が前記垂直位置から前記リクライニング位置へ移動するにつれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置へ移動するにつれて、前記距離は増加する、請求項１２８に記載の椅子支持。
【請求項１３０】
椅子アセンブリであって、
底部構造と、
第１の旋回軸の周りの回転のために前記底部構造に旋回可能に結合され、その上に座るユーザを支持するように構成される座部支持面を含む、座部支持構造と、
第２の旋回軸の周りの回転のために前記底部構造に旋回可能に結合され、垂直位置とリクライニング位置の間で移動するように構成される上方に伸びる部分を含む、背部支持構造と、
前記座部支持構造に作動可能に結合される第１の端部と、前記背部支持構造へ作動可能に結合される第２の端部を有する制御リンクと、
概して前方に面し、座るユーザの背中を支持するように構成され、及び前記背部支持の上方に伸びる部分へ作動可能に結合される上部及び下部を有する柔軟背部支持アセンブリと、
前記背部支持面の下部へ作動可能に結合され、及び前記座部支持構造へ作動可能に結合される背部リンクであって、前記背部支持構造が前記垂直位置から前記リクライニング位置へ移動するにつれて、前記柔軟背部支持アセンブリはその長さに沿って曲がる、背部リンクと、
を備える椅子アセンブリ。
【請求項１３１】
前記背部支持構造が前記垂直位置から前記リクライニング位置へ移動するにつれて、前記背部支持アセンブリは前記背部支持構造の上方に伸びる部分に対して前記背部リンクにより前方へ動かされる、請求項１３０に記載の椅子アセンブリ。
【請求項１３２】
前記背部支持アセンブリは湾曲を画定する前方に湾曲する腰部下部を有する柔軟シェル部材を備え、前記背部支持構造が前記垂直位置から前記リクライニング位置へ移動するにつれて、前記湾曲は減少する、請求項１３０又は１３１に記載の椅子支持。
【請求項１３３】
前記背部支持構造と前記背部支持アセンブリの間の作動可能な結合は、前記背部支持構造の上方に伸びる部分への前記柔軟シェル部材の旋回結合を含む、請求項１３２に記載の椅子支持。
【請求項１３４】
前記背部支持構造は柔軟シェル部材を備え、前記背部支持構造と前記背部支持アセンブリの間の結合は、前記背部支持構造の上方に伸びる部分への前記柔軟シェル部材の旋回結合を含み、前記背部リンクと前記座部支持面の間の結合は前記座部支持面への前記柔軟シェル部材の旋回結合を含み、前記背部支持構造が前記垂直位置から前記リクライニング位置への移動につれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置への移動につれて、前記距離は増加する、請求項１３３に記載の椅子支持。
【請求項１３５】
前記制御リンクの第１の端部は第３の旋回軸の周りで前記座部支持構造へ旋回可能に結合され、前記制御リンクの第２の端部は第４の旋回軸の周りで前記背部支持構造へ旋回可能に結合される、請求項１３０から１３４のいずれか１項に記載の椅子アセンブリ。
【請求項１３６】
前記座部支持構造は前部と後部を含み、前記背部支持構造は前部と後部を含み、前記第１の旋回軸は前記座部支持構造の前部に設置され、前記第２の旋回軸は前記背部支持構造の前部に設置される、請求項１３０から１３６のいずれか１項に記載の椅子アセンブリ。
【請求項１３７】
前記背部支持構造は概してＬ型であり、前記上方へ伸びる部分から前方へ伸びる下部を含む、請求項１３０から１３６のいずれか１項に記載の椅子アセンブリ。
【請求項１３８】
前記制御リンクの第１の端部は第３の旋回軸で前記座部支持構造へ旋回可能に結合され、前記制御リンクの第２の端部は第４の旋回軸で前記背部支持構造へ旋回可能に結合され、第１の旋回軸は第２の旋回軸より大きい垂直高さに設置され、第３の旋回軸は第４の旋回軸より大きい垂直高さに設置される、請求項１３０に記載の椅子アセンブリ。
【請求項１３９】
前記背部支持構造の前記垂直位置から前記リクライニング位置への移動時の前記座部支持構造のリクライニング速度は、前記背部支持構造の前記垂直位置から前記リクライニング位置への移動時の前記背部支持構造のリクライニング速度より遅い、請求項１３０から１３８のいずれか１項に記載の椅子アセンブリ。
【請求項１４０】
前記背部支持構造を前記リクライニング位置から前記垂直位置へ向かってバイアスするバイアス力を加える少なくとも１つのバイアスアセンブリを更に備える、請求項１３０から１３９のいずれか１項に記載の椅子アセンブリ。
【請求項１４１】
前記背部支持構造が前記垂直位置にある場合、前記バイアス力は様々な大きさの間で調節可能である、請求項１４０に記載の椅子アセンブリ。
【請求項１４２】
椅子アセンブリであって、
上部と床面上で前記椅子アセンブリを支持するように構成され、前記上部の下で下方に伸びる下部を画定する底部構造と、
前部と前記前部の後方に位置する後部を有する座部支持構造であって、
前記座部構造に対する移動のために前記底部構造へ移動可能に結合され、及びその上に座るユーザを支持するように構成される、上方に面する支持面を含む、座部支持構造と、
前記底部構造に対しての移動のために前記底部構造へ移動可能に結合される概して剛性が高い上方に伸びる背部支持構造であって、
前記背部支持構造は垂直位置とリクライニング位置の間で移動可能であり、前記背部支持構造の前記垂直位置から前記リクライニング位置への移動時に、後方及び下方へ移動する周縁上部を画定し、前記背部支持構造は、更に隣接し前記座部支持構造の後部から後方へ離間して配置される下部を画定し、前記背部支持構造の下部は前記座部支持構造へ作動可能に結合され、及び案内経路に沿って前記座部支持構造の後部に対して、第１の水平速度と第１の垂直速度で水平及び垂直に移動する、背部支持構造と、
前方に面する面と後方に面する面を画定する柔軟シェル構造であって、前記前方に面する面は腰部支持を形成する前方に突出する凸状の下面部を有し、前記柔軟シェル構造はその下方部で前記座部支持構造へ移動可能に結合される凸状下面部の下の下部を画定し、夫々、前記第１の水平速度及び前記第１の垂直速度と大きさが本質的に異なる第２の水平速度及び第２の垂直速度で、前記座部支持構造の後部に対して水平及び垂直に移動する、柔軟シェル構造と、
前記柔軟シェル構造の下部を前方に曲げることにより前記柔軟シェル部材に蓄えられる位置エネルギの量を増加させることにより、前記背部支持構造が前記垂直位置から前記リクライニング位置へ移動するにつれて、前記柔軟シェル構造へ転送される位置エネルギを蓄える、弾性部材と、
を備える椅子アセンブリ。
【請求項１４３】
前記弾性部材はバネを備える、請求項１４２に記載の椅子アセンブリ。
【請求項１４４】
前方に面する面は可変湾曲を画定する前方へ突出する凸状面部を有し、前記バネは前記可変湾曲を増加させようとする前記柔軟シェル構造に作用する力を発生させる、請求項１４２又は１４３に記載の椅子アセンブリ。
【請求項１４５】
前記バネは前記柔軟シェル構造上へ作用する圧縮力を発生させる、請求項１４３又は１４４に記載の椅子アセンブリ。
【請求項１４６】
前記凸状下面部を前記座部支持構造へ移動可能に結合するリンクを備える、請求項１４２から１４５のいずれか１項に記載の椅子アセンブリ。
【請求項１４７】
前記リンクは前記柔軟シェル構造と前記座部支持構造へ旋回可能に接続される対向する端部を有する、請求項１４６に記載の椅子アセンブリ。
【請求項１４８】
前記リンクの対向する端部は前方と後方の端部を備え、前記前方端部は前記座部支持構造へ結合され、前記後方端部は前記柔軟シェル構造へ結合され、前記バネは前記リンクの前方端部の周りへ作用するねじりバネを備える、請求項１４７に記載の椅子アセンブリ。
【請求項１４９】
前記バネは前記リンクの後方端部を上方へバイアスする、請求項１４８に記載の椅子アセンブリ。
【請求項１５０】
前記底部はガイド面を備え、椅子アセンブリは、前記座部支持構造へ回転可能に結合され、前記ガイド面と移動可能に係合するカム部材を、更に備え、前記ねじりバネは前記カム部材を前記ガイド面へ回転可能にバイアスし、及び前記リンクと前記カム部材を互いに離れるように回転可能にバイアスする、請求項１４９に記載の椅子アセンブリ。
【請求項１５１】
前記カム部材は前記ガイド面とスライド可能に係合する、請求項１５０に記載の椅子アセンブリ。
【請求項１５２】
前記カム部材は前記ガイド面とスライド可能に係合する円筒形外面を備える、請求項１５０又は１５１に記載の椅子アセンブリ。
【請求項１５３】
前記ガイド面は凸状円筒面を備える、請求項１５０から１５２のいずれか１項に記載の椅子アセンブリ。
【請求項１５４】
前記背部支持構造が前記垂直位置から前記リクライニング位置へ移動するにつれて、前記柔軟シェル部材の凸状下面部は前記背部支持構造に対して前方へ移動する、請求項１５３に記載の椅子アセンブリ。
【請求項１５５】
椅子アセンブリであって、
上部と床面上の椅子アセンブリを支持するように構成され、前記上部の下に下方に伸びる下部を画定する底部構造と、
前部と前記前部の後方に設置される後部を有する座部支持構造であって、前記底部構造に対して動くために前記底部構造へ移動可能に結合され、及びその上に座るユーザを支持するように構成される上方に面する支持面を含む、座部支持構造と、
前記底部構造に対して移動するために前記底部構造へ移動可能に結合される概ね剛性が高い上方に伸びる背部支持構造であって、
垂直位置とリクライニング位置の間で移動するように構成され、前記背部支持構造の前記垂直位置からリクライニング位置への移動の際に、後方及び下方へ移動する周縁上部を画定し、更に前記座部支持構造の後部へ隣接し、前記後部から後方へ離間して配置される、下部を画定し、前記背部支持構造の下部は前記座部支持構造へ作動可能に結合され、前記座部支持構造の後部に対してガイド経路に沿って水平及び垂直に移動する、背部支持構造と、
前方に面する面と後方に面する面を画定する柔軟シェル構造であって、前記前方に面する面は可変湾曲を画定し、腰部支持を形成する前方へ突出する凸状下面部を有し、その後部で前記座部支持構造へ移動可能に結合される凸状下面部の下の下部を画定し、前記座部支持構造の後部に対して水平及び垂直に移動する、柔軟シェル構造と、及び、
前記背部支持構造の湾曲が増加するように、前記柔軟シェル構造に作用する可変圧縮力を発生させる弾性部材であって、前記背部支持構造が前記垂直位置から前記リクライニング位置へ移動するにつれて、前記圧縮力が減少する、弾性部材と、
を備える椅子アセンブリ。
【請求項１５６】
前記弾性部材はバネを備える、請求項１５５に記載の椅子アセンブリ。
【請求項１５７】
前記背部支持構造は前記底部構造へ回転可能に結合され、椅子アセンブリは、前記柔軟シェル構造と前記座部支持構造へ旋回可能に結合される対向する端部を有するリンクを更に備える、請求項１５５又は１５６に記載の椅子アセンブリ。
【請求項１５８】
前記リンクの対向する端部は前方及び後方端部を備え、前方端部は前記座部支持構造へ結合され、前記後方端部は前記柔軟シェル構造へ結合され、前記バネは前記リンクの前方端部の周りに作用するねじりバネを備える、請求項１５７に記載の椅子アセンブリ。
【請求項１５９】
前記バネは前記リンクの後方端部を上方へバイアスする、請求項１５８に記載の椅子アセンブリ。
【請求項１６０】
前記底部構造はガイド面を備え、前記椅子アセンブリは前記座部支持構造へ回転可能に結合され、前記ガイド面と移動可能に係合するカム部材であって、前記ねじりバネは前記カム部材を前記ガイド面へバイアスし、前記リンクと前記カム部材を互いに離れるようにバイアスする、カム部材を更に備える請求項１５５から１５９のいずれか１項に記載の椅子アセンブリ。
【請求項１６１】
前記カム部材は前記ガイド面とスライド可能に係合する、請求項１６０に記載の椅子アセンブリ。
【請求項１６２】
前記カム部材は前記ガイド面とスライド可能に係合する円筒形外面を備える、請求項１６０又は１６１に記載の椅子アセンブリ。
【請求項１６３】
前記ガイド面は凸状円筒面を備える、請求項１６０から１６２のいずれか１項に記載の椅子アセンブリ。
【請求項１６４】
前記背部支持構造が前記垂直位置から前記リクライニング位置へ移動するにつれて、前記柔軟シェル部材の凸状下面部は、前記背部支持構造に対して前方へ移動する、請求項１５５から１６３のいずれか１項に記載の椅子アセンブリ。
【請求項１６５】
前記柔軟シェル構造は前方に面し、および上背部支持面上部を画定する前記凸状下面部上のほぼ平坦な上部を備え、前記柔軟シェルの上部は前記背部支持構造へ回転可能に結合され、それに対して角度を画定し、前記柔軟シェル構造の湾曲が変化するにつれて、前記角度は変化する、請求項１５５から１６４のいずれか１項に記載の椅子アセンブリ。
【請求項１６６】
椅子アセンブリであって、
底部構造と、
第１の旋回軸の周りの回転のために前記底部構造へ旋回可能に結合され、その上に座るユーザを支持するように構成される座部支持面を含む、座部支持構造と、
垂直位置とリクライニング位置の間で移動するように構成される上方へ伸びる部分と、上方に伸びる部分の前方へ伸びる下部を含み、前記上方へ伸びる部分は第１の迅速接続アセンブリにより前方へ伸びる部分へ作動可能に結合される、座部支持構造と、
概して前方に面し、座るユーザの背中を支持するように構成され、前記背部支持構造の上方へ伸びる部分へ作動可能に結合される上部、及び下部を有する、背部支持アセンブリと、
第２の迅速接続アセンブリにより前記背部支持面の下部へ解放可能に結合され、前記座部支持構造へ作動可能に結合される、背部リンクと、
を備える椅子アセンブリ。
【請求項１６７】
前記第１と第２の迅速接続アセンブリの少なくとも選択された１つはスナップアセンブリを備える、請求項１６６に記載の椅子アセンブリ。
【請求項１６８】
前記第１と第２の迅速接続アセンブリは互いに垂直方向に離間して設置される、請求項１６７に記載の椅子アセンブリ。
【請求項１６９】
前記座部支持構造へ作動可能に結合される第１の端部と前記背部支持構造へ作動可能に結合される第２の端部を有する制御リンクを更に備える、請求項１６６から１６８のいずれか１項に記載の椅子アセンブリ。
【請求項１７０】
前記背部支持構造が前記垂直位置から前記リクライニング位置へ移動する際の前記座部支持構造のリクライニング速度は、前記背部支持構造が前記垂直位置から前記リクライニング位置へ移動する際の前記背部支持構造のリクライニング速度より遅い、請求項１６６から１６９のいずれか１項に記載の椅子アセンブリ。
【請求項１７１】
前記座部支持構造は前記背部リンクから分離した部品を備える、請求項１６６から１７０のいずれか１項に記載の椅子アセンブリ。
【請求項１７２】
前記第１及び第２の迅速接続アセンブリは互いに垂直方向に離間して設置される、請求項１６６に記載の椅子アセンブリ。
【請求項１７３】
前記背部支持構造はその長さに沿って曲がりやすい、請求項１６６〜１７２のいずれか１項に記載の椅子アセンブリ。
【請求項１７４】
前記背部支持構造が前記垂直位置から前記リクライニング位置へ移動するにつれて、前記背部支持アセンブリは前記背部支持構造の垂直部に対して前記背部リンクにより前方へ動かされる、請求項１６６から１７３のいずれか１項に記載の椅子アセンブリ。
【請求項１７５】
前記背部支持アセンブリは湾曲を画定する前方に湾曲する腰部下部を有する柔軟シェル部材を備え、前記背部支持構造が前記垂直位置から前記リクライニング位置へ動くにつれて、前記湾曲は減少する、請求項１６６から１７４のいずれか１項に記載の椅子支持。
【請求項１７６】
前記背部支持構造と前記背部支持アセンブリの間の作動可能な結合は、前記背部支持構造の上方へ伸びる部分への前記柔軟シェル部材の旋回結合を含む、請求項１７４又は１７５に記載の椅子支持。
【請求項１７７】
前記背部支持アセンブリは柔軟シェル部材を備え、前記背部支持構造と前記背部支持アセンブリの間の作動可能な結合は前記背部支持構造の上方へ伸びる部分への前記柔軟シェル部材の旋回結合を含み、前記背部リンクと前記座部支持面の間の作動可能な結合は、前記座部支持面への前記柔軟シェル部材の旋回結合を含み、前記背部支持構造が前記垂直位置から前記リクライニング位置へ移動するにつれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置へ動かされるにつれて、前記距離は増加する、請求項１７４から１７６のいずれか１項に記載の椅子支持。
【請求項１７８】
前記背部支持構造は概してＬ型である、請求項１７４から１７７のいずれか１項に記載の椅子アセンブリ。
【請求項１７９】
前記背部支持構造を前記リクライニング位置から前記垂直位置へ向かってバイアスするバイアス力を加える少なくとも１つのバイアスアセンブリを更に備える、請求項１７４から１７８のいずれか１項に記載の椅子アセンブリ。
【請求項１８０】
前記背部支持構造が前記垂直位置にある場合、前記バイアス力は様々な大きさの間で調節可能である、請求項１７９に記載の椅子アセンブリ。
【請求項１８１】
椅子アセンブリであって、
底部構造と、第１の旋回軸の周りの回転のために前記底部構造へ旋回可能に結合される座部支持構造を含む第１の支持構造であって、前記座部支持構造はその上に座るユーザを支持するように構成される座部支持面を含む、第１の支持構造と、
概して前方に面し、座るユーザの背中を支持するように構成される部分を含む第２の支持構造であって、前記第２の支持構造は第２の旋回軸の周りの回転のために前記底部構造へ旋回可能に結合され、垂直位置とリクライニング位置の間で移動するように構成される上方へ伸びる部分及び下部を含み、第１の迅速接続アセンブリと前記第１の迅速接続から垂直方向に離間して設置される第１の迅速接続アセンブリと第２の迅速接続アセンブリにより前記第１の支持構造へ結合される、第２の支持構造と、
を備える椅子アセンブリ。
【請求項１８２】
前記第２の支持構造は上方へ伸びる部分と下部を備え、前記背部支持構造の上方に伸びる部分は前記第１の迅速接続により前記下部へ結合される、請求項１８１に記載の椅子アセンブリ。
【請求項１８３】
前記第２の支持アセンブリは前記背部支持構造の上方へ伸びる部分へ作動可能に結合される上部と、下部を有する背部支持アセンブリを含み、及び、前記第２の迅速接続アセンブリにより前記背部支持面の下部へ解放可能に結合され、前記座部支持構造へ作動可能に結合される、背部リンクを含む、請求項１８２に記載の椅子アセンブリ。
【請求項１８４】
前記座部支持構造は前記背部リンクから分離された部品を備える、請求項１８３に記載の椅子アセンブリ。
【請求項１８５】
前記第１と第２の迅速接続アセンブリの少なくとも選択された１つはスナップアセンブリを含む、請求項１８１から１８４のいずれか１項に記載の椅子アセンブリ。
【請求項１８６】
前記第２の支持構造は上方へ伸びる部分と下部を備える背部支持構造を含み、前記座部支持構造へ作動可能に結合される第１の端部と、前記背部支持構造へ作動可能に結合される第２の端部を有する制御リンクを更に備える、請求項１８１から１８５のいずれか１項に記載の椅子アセンブリ。
【請求項１８７】
前記背部支持構造は前記第２の支持構造の上方へ伸びる部分を備え、前記背部支持構造が前記垂直位置から前記リクライニング位置へ移動する際の前記座部支持構造のリクライニング速度は前記背部支持構造が前記垂直位置から前記リクライニング位置へ移動する際の前記背部支持構造のリクライニング速度より遅い、請求項１８６に記載の椅子アセンブリ。
【請求項１８８】
椅子アセンブリであって、
上部、下部、及び椅子が使用中の場合、床面上で概して垂直位置に前記椅子を支持するように構成される支持構造を画定する底部構造と、
前部と後部を有する座部支持構造であって、前記前部は第１の旋回軸の周りの回転のために前記底部構造の上部へ旋回可能に結合され、
前記座部支持構造はその上のユーザを支持するように構成される座部支持面を含む、座部支持構造と、
前記椅子が床面上で垂直位置にある場合、前記第１の旋回軸の下で後方に位置する第２の旋回軸の周りの回転のために前記底部構造の下部へ旋回可能に結合される前部を有する背部支持構造であって、前記第２の旋回軸の周りで旋回し、前記背部が垂直位置からリクライニング位置へ移動するにつれて、後方及び下方へ動く上方へ伸びる背部を含む、背部支持構造と、
前記椅子が前記垂直使用位置にある場合、前記第１と第２の旋回軸の後方に位置する第３の旋回軸の周りの回転のために前記座部支持構造へ旋回可能に結合される制御リンクであって、前記椅子が垂直使用位置にある場合、前記第１と第２の旋回軸の後方に位置する第４の旋回軸の周りの回転のために前記背部支持構造へも旋回可能に結合される、制御リンクと、
を備える、椅子アセンブリ。
【請求項１８９】
前記背部支持構造は概して垂直の剛性構造と、前記垂直の剛性構造から前方へ離間して設置される柔軟支持構造を含み、前記柔軟支持構造は前記座部支持構造へ作動可能に結合される下部を有し、これにより前記下部は前記座部構造と制御された方法で動く、請求項１８８に記載の椅子アセンブリ。
【請求項１９０】
前記柔軟支持構造は腰部支持を画定する前方へ突出する凸状湾曲下部を含む、請求項１８９に記載の椅子アセンブリ。
【請求項１９１】
前記座部構造へ回転可能に結合される第１の端部と、前記座部構造と前記背部構造の間で制御された非線形の力伝達を提供するために、前記背部構造とスライド可能に係合する第２の端部を有する力伝達カム部材を含む、請求項１８８から１９０のいずれか１項に記載の椅子アセンブリ。
【請求項１９２】
前記背部構造が垂直位置にあり、及び前記椅子アセンブリが床面上の垂直位置にある場合、前記第３の旋回軸は前記第４の旋回軸の後方に位置する、請求項１８８から１９１のいずれか１項に記載の椅子アセンブリ。
【請求項１９３】
前記背部支持構造が前記垂直位置から前記リクライニング位置へ移動するにつれて、前記第３の旋回軸は前記第４の旋回軸に対して前方へ移動する、請求項１８８から１９１のいずれか１項に記載の椅子アセンブリ。
【請求項１９４】
前記背部支持構造が前記垂直位置にあり、及び前記リクライニング位置にある場合、前記第３の旋回軸は前記第４の旋回軸の後に位置する、請求項１８８から１９３のいずれか１項に記載の椅子アセンブリ。
【請求項１９５】
椅子アセンブリであって、
底部構造と、
第１の旋回軸の周りの回転のために前記底部構造へ旋回可能に結合され、その上のユーザを支持するように構成される座部支持面を含む、座部支持構造と、
垂直位置とリクライニング位置の間で第２の旋回軸の周りの回転のために前記底部構造へ旋回可能に結合される背部支持構造であって、前記背部支持構造が前記垂直位置と前記リクライニング位置の間で前記第２の旋回軸の周りを旋回するにつれて、互いに対して水平に移動する第１と第２の部分を有する上方へ伸びる背部を含む、背部支持構造と、
を備え、
前記上方へ伸びる背部の第１の部分は、前記座部構造に対して前記第１の部分の移動を制御する接続部材により前記座部支持構造へ結合される、椅子アセンブリ。
【請求項１９６】
前記上方へ伸びる部分の第２の部分は概して垂直な剛性構造を備え、前記上方へ伸びる背部の第１の部分は前記垂直な剛性構造から前方へ離間して設置される柔軟支持構造を備える、請求項１９５に記載の椅子アセンブリ。
【請求項１９７】
前記柔軟支持構造の下部が前記座部構造と前方及び後方へ移動するように、前記柔軟支持構造は前記接続部材により前記座部構造へ結合される下部を有する、請求項１９５又は１９６に記載の椅子アセンブリ。
【請求項１９８】
前記柔軟支持構造は腰部支持を画定する前方へ突出する凸状湾曲下部を含む、請求項１９７に記載の椅子アセンブリ。
【請求項１９９】
椅子アセンブリであって、
上部、下部、及び椅子が使用中の場合、床面上で概して垂直位置に前記椅子を支持するように構成される支持構造を画定する底部構造と、
前部と後部を有する座部支持構造であって、
前記前部は第１の旋回軸の周りの回転のために前記底部構造へ旋回可能に結合され、
前記座部支持構造はその上のユーザを支持するように構成される座部支持面を含む、座部支持構造と、
前記第１の旋回軸から垂直方向へ離間して設置される第２の旋回軸の周りの回転のために前記底部構造へ旋回可能に結合される前部を有し、前記背部支持構造が前記第２の旋回軸の周りを旋回し、及び前記背部が垂直位置からリクライニング位置へ移動するにつれて、後方及び下方へ移動する上方へ伸びる背部を含む、背部支持構造と
前記椅子が前記垂直使用位置にある場合、前記第１と第２の旋回軸の後方に位置する第３の旋回軸の周りの回転のために前記背支持構造へ旋回可能に結合される制御リンクであって、椅子が垂直使用位置にある場合、前記第１と第２の旋回軸の後方に位置する第４の旋回軸の周りの回転のために前記背部支持構造へも旋回可能に結合される、制御リンクと、を備える椅子アセンブリ。
【請求項２００】
前記背部支持構造の前部は前記底部構造の下部へ旋回可能に結合される、請求項１９９に記載の椅子アセンブリ。
【請求項２０１】
前記椅子が床面上で垂直位置にある場合、前記第２の旋回軸は前記第１の旋回軸の下及び後方に位置する、請求項１９９又は２００に記載の椅子アセンブリ。
【請求項２０２】
前記背部支持構造は概して垂直の剛性構造を含み、柔軟支持構造が前記垂直の剛性構造から前方へ離隔して設置され、前記下部が制御されて前記座部構造と動くように、前記柔軟支持構造は前記座部構造へ作動可能に結合される下部を有する、請求項１９９から２０１のいずれか１項に記載の椅子アセンブリ。
【請求項２０３】
前記柔軟支持構造は腰部支持を画定する前方へ突出する凸状湾曲下部を含む、請求項２０２に記載の椅子アセンブリ。
【請求項２０４】
椅子アセンブリであって、
上部、下部、及び椅子が使用中の場合、床面上で概して垂直位置に前記椅子を支持するように構成される支持構造を画定する底部構造と、
第１の旋回軸の周りの回転のために前記底部構造の下部へ旋回可能に結合され、その上でユーザを支持するように構成される座部支持面を含む、座部支持構造と、
前記椅子が床面上で垂直位置にある場合、前記第１の旋回軸の下に位置する第２の旋回軸の周りの回転のために前記底部構造の下部へ旋回可能に結合され、
前記背部支持構造が前記第２の旋回軸の周りで旋回し、前記背部が垂直位置からリクライニング位置へ移動するにつれて後方へ移動する、上方へ伸びる背部を含む、背部支持構造と、
前記第３の旋回軸の周りの回転のために前記背部支持構造へ旋回可能に結合され、及び第４の旋回軸の周りの回転のために前記背部支持構造へ旋回可能に結合される、制御リンクと、
を備える、椅子アセンブリ。
【請求項２０５】
前記第３の旋回軸は前記第１及び第２の旋回軸の後方に設置される、請求項２０４に記載の椅子アセンブリ。
【請求項２０６】
前記座部支持構造は前部と後部を備え、前記前部は前記第１の旋回軸の周りの回転のために前記底部構造へ旋回可能に結合される、請求項２０４又は２０５に記載の椅子アセンブリ。
【請求項２０７】
前記第４の旋回軸は前記第１と第２の旋回軸の後方に設置される、請求項２０４から２０６のいずれか１項に記載の椅子アセンブリ。
【請求項２０８】
椅子アセンブリであって、
底部構造と、
第１の旋回軸の周りの回転のために底部構造へ旋回可能に結合され、その上に座るユーザを支持するように構成される座部支持面を含む、座部支持構造と、
第２の旋回軸の周りの回転のために前記底部構造へ直接旋回可能に結合され、垂直位置とリクライニング位置の間で移動するように構成される上方へ伸びる部分を含む、背部支持構造と、
前記座部支持構造へ作動可能に結合される第１の端部と、前記背部支持構造へ作動可能に結合される第２の端部を有する制御リンクと、及び、
前記背部支持構造を前記リクライニング位置から前記垂直位置へ向かってバイアスする前記第２の旋回軸の周りへバイアストルクを加える少なくとも１つのバイアスアセンブリであって、前記バイアストルクは第１の大きさと第２の大きさの間で調節可能であり、前記背部支持構造が前記垂直位置にある場合と、前記リクライニング位置にある場合の間の前記バイアストルクの変化量は、前記バイアストルクが前記第１の大きさである場合の約４５％より小さいか又は等しく、前記背部支持構造が前記垂直位置にある場合と、前記リクライニング位置にある場合の間の前記バイアストルクの変化量は、前記バイアストルクが前記第２の大きさである場合の約７０％より大きいか又は等しい、少なくとも１つのバイアスアセンブリと、
を備える、椅子アセンブリ。
【請求項２０９】
前記バイアストルクは前記背部支持構造を前記リクライニング位置から前記垂直位置に向かってバイアスする前記背部支持構造上へバイアス力を加え、前記背部構造が前記垂直位置にある場合、前記力は第１の大きさと第２の大きさの間で調節可能であり、前記バイアス力の第２の大きさは前記バイアス力の第１の大きさより大きい、請求項２０８に記載の椅子アセンブリ。
【請求項２１０】
前記バイアストルクを前記第１と第２の大きさの間で調節するために前記少なくとも１つのバイアスアセンブリへ作動可能に結合される調節アセンブリであって、前記調節アセンブリは、前記バイアストルクの第１の大きさに対応する第１の構成と、前記バイアストルクの第２の大きさに対応する第２の構成の間で、前記少なくとも１つのバイアスアセンブリを調節する、調節アセンブリを更に含む、請求項２０８又は２０９に記載の椅子アセンブリ。
【請求項２１１】
前記調節アセンブリは前記可動入力部材を第１と第２の位置の間で移動させる際に、前記バイアストルクの大きさを変化させる可動入力部材を含む、請求項２０８から２１０のいずれか１項に記載の椅子アセンブリ。
【請求項２１２】
前記バイアストルクは、前記バイアストルクの第１の大きさに対応する第１の形状と、前記バイアストルクの第２の大きさに対応する第２の形状の間を移動する弾性バイアス部材により生成される、請求項２０８から２１１のいずれか１項に記載の椅子アセンブリ。
【請求項２１３】
前記弾性バイアス部材は第１の端部、第２の端部、及び前記第１の端部と前記第２の端部の間で画定される長さを備え、前記バネ部材の長さの変化は前記第１と第２の大きさの間で前記バイアス力の大きさを変化させる、請求項２０８から２１１のいずれか１項に記載の椅子アセンブリ。
【請求項２１４】
前記バネ部材の第１の端部は前記底部構造、前記座部構造、前記背部支持構造、及び前記制御リンクの少なくとも選択された１つへ作動可能に結合され、前記バネ部材の第２の端部の位置変化は前記底部構造、前記座部構造、前記背部支持構造、及び前記制御リンクの選択された１つに対する、請求項２１３に記載の椅子アセンブリ。
【請求項２１５】
前記弾性バイアス部材は第１の方向に前記可動入力部材に作用する力を発生させ、前記調節アセンブリは、前記第１の方向と本質的に反対の第２の方向に前記可動入力部材へ作用する補助力を加える補助機構を含み、これにより前記バイアス力を前記第１の大きさから前記第２の大きさへ調節するために前記可動入力部材へユーザにより加えられるのに必要とされる入力の力を減少させる、請求項２１２から２１４のいずれか１項に記載の椅子アセンブリ。
【請求項２１６】
前記補助機構はバネ部材を含む、請求項２１５に記載の椅子アセンブリ。
【請求項２１７】
前記バネ部材はコイルバネを備える、請求項２１６に記載の椅子アセンブリ。
【請求項２１８】
前記調節アセンブリは第１と第２のネジ付き部材を含み、前記第１のネジ付き部材の回転は前記第１と第２の大きさの間で前記バイアストルクを調節する、請求項２０８から２１７のいずれか１項に記載の椅子アセンブリ。
【請求項２１９】
前記背部支持構造が前記垂直位置から前記リクライニング位置へ移動する際の前記座部支持構造のリクライニング速度は、前記背部支持構造が前記垂直位置から前記リクライニング位置へ移動する際の前記背部支持構造のリクライニング速度より著しく遅い、請求項２０８から２１８のいずれか１項に記載の椅子アセンブリ。
【請求項２２０】
前記背部支持構造は概ねＬ型であり、前記背部支持構造は前記上方へ伸びる部分から前方へ伸びる下部を含む、請求項２０８から２１９のいずれか１項に記載の椅子アセンブリ。
【請求項２２１】
前記制御リンクの第１の端部は第３の旋回軸で前記座部支持構造へ旋回可能に結合され、前記制御リンクの第２の端部は第４の旋回軸で前記背部支持構造へ旋回可能に結合され、前記第１の旋回軸は前記第２の旋回軸より大きい垂直高さに設置され、前記第３の旋回軸は前記第４の旋回軸より大きい垂直高さに設置される、請求項２０８から２２０のいずれか１項に記載の椅子アセンブリ。
【請求項２２２】
座るユーザの背中を支持するように構成される概ね前方に面する背部支持面を有し、前記背部支持構造へ作動可能に結合される、背部支持アセンブリを更に含む、請求項２０８から２２１のいずれか１項に記載の椅子アセンブリ。
【請求項２２３】
前記座部支持構造へ作動可能に結合され、前記背部支持面へ作動可能に結合される制御リンクであって、前記背部支持構造が前記垂直位置から前記リクライニング位置へ移動するにつれて、前記背部支持面は前記背部支持構造の垂直部に対して前記背部リンクにより前方へ動かされる、請求項２０８から２２２のいずれか１項に記載の椅子アセンブリ。
【請求項２２４】
前記背部支持アセンブリは湾曲を画定する前方へ湾曲する腰部下部を有する柔軟シェル部材であって、前記背部支持構造が前記垂直位置から前記リクライニング位置へ移動するにつれて、前記湾曲は減少する、請求項２２２又は２２３に記載の椅子支持。
【請求項２２５】
前記背部支持構造と前記背部支持アセンブリの間の作動可能な結合は前記背部支持構造の上方へ伸びる部分への前記柔軟シェル部材の旋回結合を含む、請求項２２２から２２４のいずれか１項に記載の椅子支持。
【請求項２２６】
前記背部リンクは前記座部支持構造へ作動可能に結合され、前記柔軟シェル部材へ旋回可能に結合され、前記背部支持構造が前記垂直部材から前記リクライニング位置へ移動するにつれて、前記背部支持構造への前記柔軟シェル部材の旋回結合と、前記柔軟シェル部材への前記背部リンクの旋回結合の間の距離は減少し、前記背部支持構造が前記リクライニング位置から前記垂直位置へ移動するにつれて、前記距離は増加する、請求項２２５に記載の椅子支持。
【発明の詳細な説明】
【技術分野】
【０００１】
本発明は、椅子アセンブリ、特に、柔軟性のある背部支持アセンブリと柔軟性のある腰部領域を備えるリクライニング可能な背部、直線状に調節可能であり、背部とリクライニング可能な座部、及び座部アセンブリに対して回転調節可能なアームアセンブリを備える事務用椅子アセンブリに関する。
【発明の概要】
【０００２】
本発明の一態様は、上部と上部の下に位置する下部を画定する底部構造、及び前部と前部の後方に位置する後部を有する座部支持構造を備える椅子アセンブリを提供することであり、座部支持構造の前部は第１の旋回軸の周りの回転のための底部構造の上部へ旋回可能に結合され、座部支持構造はその上に座るユーザを支持するように構成される座部支持面を含む。椅子アセンブリは、更に前部と、前部の後方に位置する後部を有する背部支持構造を備え、背部支持構造の前部は第２の旋回軸の周りの回転のための底部構造の下部へ旋回可能に結合され、背部支持構造は垂直位置とリクライニング位置との間で動くように構成される上方に伸びる部分、及び第３の旋回軸の周りの回転のための座部支持構造の後部に旋回可能に結合される第１の端部と、第４の旋回軸の周りの回転のための背部支持構造の後部に旋回可能に結合される第２の端部を有する制御リンクを含む。
【０００３】
本発明の別の態様は、底部構造、第１の旋回軸の周りの回転のための底部構造に旋回可能に結合される座部支持構造を備える椅子アセンブリを提供することであり、座部支持構造はその上に座るユーザを支持するように構成される座部支持面、第２の旋回軸の周りに回転のための底部構造に旋回可能に結合される背部支持構造を含み、背部支持構造は垂直位置とリクライニング位置の間で動くように構成される上方に伸びる部分、及び第３の旋回軸の周りの回転のための支持構造の後部に旋回可能に結合される第１の端部と、第４の旋回軸の周りの回転のための背部支持構造の後部に旋回可能に結合される第２の端部を有する制御リンクを含む。椅子アセンブリは、更に概して前方に面し、座るユーザの背中を支持するように構成され、第５の旋回軸の周りの回転のための背部支持の上方に伸びる部分に旋回可能に結合される上部、及び下部を有する背部支持面と、第６の旋回軸の周りの回転のための背部支持面の下部に旋回可能に結合され、第７の旋回軸の周りの回転のための座部支持構造の下部に旋回可能に結合される背部リンクを備え、背部支持構造が垂直位置からリクライニング位置へ動くにつれて、背部支持面は背部支持構造の垂直部に対して背部リンクにより前方へ動かされる。
【０００４】
本発明の別の態様は、底部構造、前部と前部の後方に位置する後部を有する座部支持構造を備える椅子アセンブリを提供することであり、座部支持構造の前部は底部構造に作動可能に結合され、座部支持構造はその上に座るユーザを支持するように構成される座部支持面、及び前部と前部の後方に位置する後部を有する背部支持構造を含み、背部支持構造の前部は、底部構造に作動可能に結合され、背部支持構造は垂直位置とリクライニング位置の間で動くように構成される上方に伸びる部分を含む。椅子アセンブリは、更に概して前方に面し、座るユーザの背中を支持するように構成され、背部支持旋回軸の周りの回転のための背部支持の上方に伸びる部分に旋回可能に結合される上部、及び下部を有する背部支持面と、第２の背部支持旋回軸の周りの回転のための背部支持面の下部に旋回可能に結合され、座部支持構造に作動可能に結合される背部リンクを備え、背部支持構造が垂直位置からリクライニング位置へ移動するにつれて、第１の背部支持旋回軸と第２の背部支持旋回軸の間の距離は減少し、背部支持構造がリクライニング位置から垂直位置に移動するにつれて、その距離は増加する。
【０００５】
本発明のまた別の態様は、底部構造と第１の旋回軸の周りに回転のための底部構造に直接旋回可能に結合される座部支持構造を備える椅子アセンブリを提供することであり、座部支持構造はその上に座るユーザを支持するように構成される座部支持面を含む。椅子アセンブリは、更に第２の旋回軸の周りの回転のための底部構造に直接旋回可能に結合される背部支持構造を備え、背部支持構造は垂直位置とリクライニング位置の間で動くように構成される上方に伸びる部分と、座部支持構造に作動可能に結合される第１の端部と、背部支持構造に作動可能に結合される第２の端部を有する制御リンクを備え、背部支持構造が垂直位置からリクライニング位置へ動くにつれて、制御リンクは背部支持構造のリクライニング速度より遅いリクライニング速度で座部支持構造をリクライニングさせる。
【０００６】
本発明の更にまた別の態様は、第１の旋回軸と第１の旋回軸から離隔した第２の旋回軸を画定する底部構造、第１の旋回軸に旋回可能に結合される座部支持構造、及び第２の旋回軸に旋回可能に結合される背部支持構造を備え、背部支持構造は垂直位置とリクライニング位置の間で動くように構成される上方に伸びる部分を含み、背部支持構造が垂直位置とリクライニング位置の間で動くにつれて、底部構造は動かない。椅子アセンブリは、更に第３の旋回軸で座部支持構造の後部に旋回可能に結合され、第４の旋回軸で背部支持構造に旋回可能に結合される制御リンクを備え、第１の旋回軸と第２の旋回軸の間の距離は第３の旋回軸と第４の旋回軸の間の距離より大きい。
【０００７】
本発明の別の態様は、底部構造、第１の旋回軸の周りの回転のための底部構造に直接旋回可能に結合される座部支持構造を備え、第２の支持構造は、その上に座るユーザを支持するように構成される座部支持面、及び第２の旋回軸の周りの回転のための底部構造に直接旋回可能に結合される背部支持構造を含み、背部支持構造は完全な垂直位置と完全なリクライニング位置の間で動くように構成される上方に伸びる部分を含む。椅子アセンブリは、更に座部支持構造に作動可能に結合される第１の端部と、背部支持構造に作動可能に結合される第２の端部を有する制御リンクを備え、背部支持構造が完全な垂直位置と完全なリクライニング位置の間で動くにつれて、制御リンクは第１の位置と第２の位置の間で動くように構成され、制御リンクが第１の位置にある場合、座部支持面と第１の角度を形成し、制御リンクが第２の位置にある場合、座部支持面と第２の角度を形成する、長手方向に伸びる軸を含み、第１の角度は鋭角であり、制御リンクが第１と第２の位置の間で動くにつれて、制御リンクの軸は座部支持面にほぼ垂直な方向を超えて回転することはない。
【０００８】
本発明のまた別の態様は、上部と上部の下に位置する下部を画定する底部構造、及び前部と、前部の後方に位置する後部を有する座部支持構造を備える椅子アセンブリを提供することであり、座部支持構造の後部は底部構造に作動可能に結合され、座部支持構造はその上に座るユーザを支持するように構成される座部支持面を含む。椅子アセンブリは、更に前部と前部の後方に位置する後部を有する背部支持構造を備え、背部支持構造の前部は底部構造に作動可能に結合され、背部支持構造は垂直位置とリクライニング位置の間で動くように構成される上方に伸びる部分、及び座部支持構造の後部に作動可能に結合される第１の端部と、背部支持構造の後部に作動可能に結合される第２の端部を有する制御リンクを含み、底部構造と制御リンクから選ばれる１つは、背部支持が垂直位置とリクライニング位置の間で動くにつれて、地盤支持面に対して回転するように制御リンクが取り付けられる。
【０００９】
本発明の別の態様は、底部構造、第１の旋回軸の周りの回転のための底部構造に直接旋回可能に結合される座部支持構造を備える椅子アセンブリを提供することであり、座部支持構造はその上に座るユーザを支持するように構成される座部支持面、及び第２の旋回軸の周りの回転のための底部構造に直接旋回可能に結合される背部支持構造を含み、背部支持構造は垂直位置とリクライニング位置の間で動くように構成される上方に伸びる部分を含む。椅子アセンブリは、更に座部支持構造に作動可能に結合される第１の端部と背部支持構造に作動可能に結合される第２の端部を有する制御リンク、及び背部支持構造をリクライニング位置から垂直位置に向かってバイアスするバイアス力を及ぼす少なくとも１つのバイアスアセンブリを備え、バイアス支持構造が垂直位置にある場合、バイアス力は第１の大きさと第２の大きさの間で調節可能であり、第２の大きさは第１の大きさより大きい。
【００１０】
本発明のまた別の態様は、底部構造、第１の旋回軸の周りの回転のための底部構造に旋回可能に結合される座部支持構造を備え、座部支持構造はその上に座るユーザを支持するように構成される座部支持面、第２の旋回軸の周りの回転のための底部構造に旋回可能に結合される背部支持構造を含み、背部支持構造は垂直位置とリクライニング位置の間で動くように構成される上方に伸びる部分と、座部支持構造に作動可能に結合される第１の端部、及び背部支持構造に作動可能に結合される第２の端部を有する制御リンクを含む。椅子アセンブリは、更に概して前方に面し、座るユーザの背中を支持するように構成され、背部支持の上方に伸びる部分に作動可能に結合される上部、及び下部を有する柔軟性のある背部支持アセンブリ、及び背部支持面の下部に作動可能に結合され、座部支持構造に作動可能に結合される背部リンクを備え、背部支持構造が垂直位置からリクライニング位置へ動くにつれて、柔軟性のある背部支持アセンブリはその長さ方向に沿って曲げられる。
【００１１】
本発明のまた更に別の態様は、上部と、床面上の椅子アセンブリを支持するように構成される下部を画定する底部構造を備える椅子アセンブリを提供することであり、下部は上部の下で下方に伸び、座部支持構造は前部と前部の後方に配置される後部を有し、座部支持構造は底部構造に対して動くために底部構造に移動可能に結合され、座部支持構造はその上に座るユーザを支持するように構成される上方に面する支持面を含む。椅子アセンブリは、更に底部構造に対して動くために、底部構造に移動可能に結合される概して剛性の上方に伸びる背部支持構造を備え、背部支持構造は垂直とリクライニング位置の間で移動可能であり、垂直位置からリクライニング位置への背部支持構造の移動の際に後方及び下方へ移動する周縁上部を画定し、背部支持構造は、更に座部支持構造の後部に隣接し、それから後方に離隔して位置する底部を画定し、背部支持構造の下部は座部支持構造に作動可能に結合され、第１の水平速度及び第１の垂直速度で座部支持構造の後部に対して、誘導経路に沿って、座部支持構造の後部に対して水平及び垂直に動く。椅子アセンブリは、また更に前方に面する面と後方に面する面を画定する柔軟性のあるシェル構造を備え、前方に面する面は、腰部支持を形成する前方に突出する凸状下面部を有し、柔軟性のあるシェル構造はその後部で座部支持構造に移動可能に結合され、大きさにおいてそれぞれ第１の水平速度及び第１の垂直速度と本質的に異なる第２の水平速度及び第２の垂直速度で座部支持構造の後部に対して水平及び垂直に移動する、凸状下面の下の下部、及び背部支持構造が垂直位置からリクライニング位置へ移動し柔軟性があるシェル構造の下部を前方に曲げることにより、柔軟なシェル部材に貯蔵される位置エネルギの量を増加させるにつれて、柔軟なシェル構造に移送される位置エネルギを貯蔵する弾性部材を画定する。
【００１２】
本発明の別の態様は、上部と床面上の椅子アセンブリを支持するように構成される下部を画定する底部構造を備え、下部は上部の下から下方に伸び、座部支持構造は前部と前部の後方に位置する後部を有し、座部支持構造は底部構造に対して動くために底部構造に移動可能に結合され、座部支持構造はその上に座るユーザを支持するように構成される上方に面する支持面、及び底部構造に対して動くために底部構造に移動可能に結合される概して剛性の上方に伸びる支持構造を含み、背部支持構造は垂直位置とリクライニング位置の間で移動可能なように構成され、背部支持構造が垂直位置からリクライニング位置へ移動する際に、後方及び下方へ移動する周縁上部を画定し、背部支持構造は、更に座部支持構造の後部から後方離隔した、隣接する周縁上部を画定し、背部支持構造の下部は座部支持構造に作動可能に結合され、座部支持構造の後部に対して誘導経路に沿って、座部支持構造の後部に対して水平及び垂直に移動する。椅子は、更に前方に面する面と後方に面する面を画定する柔軟なシェル構造を備え、前方に面する面は可変湾曲を画定し、腰部支持を形成する前方に突出する凹状の下面部を有し、柔軟なシェル構造はその後部で座部支持構造に移動可能に結合され、及び座部支持構造の後部に対して水平及び垂直に移動する、凹状の下面部の下の下部、及び背部支持構造の湾曲を増加させるように、柔軟なシェル構造に作用する可変圧縮力を発生させる弾性部材を画定し、背部支持構造が垂直位置からリクライニング位置へ移動するにつれて、圧縮力は減少する。
【００１３】
本発明の別の態様は、底部構造を備える椅子アセンブリを提供することであり、座部支持構造は第１の旋回軸の周りの回転のための底部構造へ旋回可能に結合され、座部支持構造はその上に座るユーザを支持するように構成される座部支持面、及び第２旋回軸の周りの回転のための底部構造に旋回可能に結合される背部支持構造を含み、背部支持構造は垂直位置とリクライニング位置の間で移動するように構成される上方に伸びる部分、及び上方に伸びる部分の前方に伸びる下部を含み、上方に伸びる部分は第１の迅速接続アセンブリにより前方へ伸びる部分へ作動可能に結合される。椅子アセンブリは、更に概して前方に面し、座るユーザの背中を支持するように構成され、及び背部支持の上方へ伸びる部分へ作動可能に結合される上部及び下部を有する背部支持構造、及び第２の迅速接続アセンブリにより背部支持面の下部へ解放可能に結合され、及び座部支持構造へ作動可能に結合される背部リンクを備える。
【００１４】
本発明の又更に別の態様は、底部構造を含む第１の支持構造、及び第１の旋回軸の周りの回転のための底部構造へ旋回可能に結合される座部支持構造を備え、座部支持構造はその上に座るユーザを支持するように構成される座部支持面、及び概して前方に面し、座るユーザの背中を支持するように構成される部分を含む第２の支持構造を含み、第２の支持構造は第２の旋回軸の周りの回転のための底部構造に旋回可能に結合され、垂直位置とリクライニング位置の間で移動するように構成される上方に伸びる部分及び下部を含み、第２の支持構造は第１の迅速接続アセンブリ、及び第１の迅速アセンブリから垂直に離隔した第２の迅速接続アセンブリにより第１の支持構造へ結合される。
【００１５】
本発明の別の態様は、上部を画定する底部構造、下部、及び椅子が使用中の場合、床面上で概ね垂直位置に椅子を支持するように構成される支持構造、及び前部と後部を有する座部支持構造を備え、前部は第１の旋回軸の周りの回転のための底部構造の上部に旋回可能に結合され、座部支持構造はその上に座るユーザを支持するように構成される座部支持面を含む。椅子アセンブリは、更に椅子が床面上で垂直位置にある場合、第１の旋回軸の下で後方に位置する第２の旋回軸の周りの回転のための底部構造の下部に旋回可能に結合される前部を有する背部支持構造を備え、背部支持構造が第２の旋回軸の周りに旋回し、及び背部が垂直位置からリクライニング位置へ動くにつれて、後方へ及び下方へ動く上方に伸びる背部、及び背部が垂直位置の場合、第１及び第２の旋回軸の後方に位置する第３の旋回軸の周りの回転のための座部支持構造に旋回可能に結合される制御リンクを含み、制御リンクは、また椅子が垂直使用位置にある場合、第１及び第２の旋回軸の後方にも位置する第４の旋回軸の周りの回転のための背部支持構造に旋回可能に結合される。  
【００１６】
本発明の別の態様は、底部構造、及び第１の旋回軸の周りの回転のための底部構造に旋回可能に結合される座部支持構造を備える椅子アセンブリを提供することであり、座部支持構造はその上に座るユーザを支持するように構成される座部支持面を含む。椅子アセンブリは、更に垂直位置とリクライニング位置の間で第２の旋回軸の周りの回転のための底部構造に旋回可能に結合される背部支持構造を備え、背部支持構造は背部構造が垂直位置とリクライニング位置の間で第２の旋回軸の周りで回転するにつれて、互いに対して水平に動く第１及び第２の部分を有する上方に伸びる背部を含み、上方に伸びる背部の第１の部分は座部構造に対して第１の部分の動きを制御する接続部材により座部支持構造へ結合される。
【００１７】
本発明の別の態様は、上部を画定する底部構造、下部、及び椅子が使用中の場合、床面上に概ね垂直位置に椅子を支持するように構成される支持構造を含む椅子アセンブリである。椅子アセンブリは、また前部と後部を有する座部支持構造を含み、前部は第１の旋回軸による回転のための底部構造に旋回可能に結合される。座部支持構造はその上のユーザを支持するように構成される座部支持面を含む。椅子アセンブリは、また第１の旋回軸から垂直方向に離隔して位置する第２の旋回軸の周りの回転のための底部構造に旋回可能に結合される前部を有する背部支持構造を含む。背部支持構造が第２の旋回軸の周りで旋回するにつれて、及び背部が垂直位置からリクライニング位置へ動くにつれて、背部支持構造は、後方及び下方へ動く上方に伸びる背部を含む。椅子アセンブリは、更に椅子が垂直使用位置にある場合、第１及び第２の旋回軸の後方に位置する第３の旋回軸の周りの回転のための座部支持構造に旋回可能に結合される制御リンクを含む。制御リンクは、また椅子が垂直使用位置にある場合、前記第１及び第２の旋回軸の後方にも設置される第４の旋回軸の周りの回転のための背部支持構造に旋回可能にも結合される。
【００１８】
本発明のまた別の態様は、上部を画定する底部構造、下部、及び椅子が使用中の場合、床面上に概ね垂直位置に椅子を支持するように構成される支持構造を含む椅子アセンブリである。椅子アセンブリは、また第１の旋回軸の周りの回転のための底部構造の上部に旋回可能に結合される支持構造を含む。座部支持構造はその上のユーザを支持するように構成される座部支持面を含む。椅子アセンブリは、また更に椅子が床上で垂直位置にある場合、第１の旋回軸の下に位置する第２の旋回軸による回転のための底部構造の下部に旋回可能に結合される背部支持構造を含む。背部支持構造が第２の旋回軸の周りで旋回し、及び背部が垂直位置からリクライニング位置へ動くにつれて、背部支持構造は後方に動く上方に伸びる背部を含む。椅子アセンブリは、更に第３の旋回軸の周りの回転のための座部支持構造に旋回可能に結合される制御リンクを含む。制御リンクは、また第４の旋回軸の周りの回転のための背部支持構造に旋回可能に結合される。
【００１９】
本発明の別の態様は、底部構造を備える椅子アセンブリであり、座部支持構造は第１の旋回軸の周りの回転のための底部構造に直接旋回可能に結合され、座部支持構造はその上に座るユーザを支持するように構成される座部支持面を含み、座部支持構造は第２の旋回軸の周りの回転のための底部構造に直接旋回可能に結合され、背部支持構造は垂直位置とリクライニング位置の間で動くように構成される上方に伸びる部分を含み、制御リンクは座部支持構造へ作動可能に結合される第１の端部と背部支持構造に作動可能に結合される第２の端部を有する。椅子アセンブリは、更にリクライニング位置から垂直位置に向かって背部支持構造をバイアスする第２の旋回軸の周りにバイアストルクを及ぼす少なくとも１つのバイアスアセンブリを備え、バイアストルクは第１の大きさと第２の大きさの間で調節可能であり、背部支持構造が垂直位置にある場合とリクライニング位置にある場合の間のバイアストルクの変化量はバイアストルクが第１の大きさにある場合の約４５％より小さいかまたはこれに等しく、背部支持構造が垂直位置にある場合とリクライニング位置にある場合の間バイアストルクの変化量は、バイアストルクが第２の大きさの場合の約７０％より大きいかまたはこれに等しい。
【００２０】
本発明のこれら及び他の特徴や利点は、続く明細書、特許請求の範囲、および付属の図面を参照することにより当業者により、更に理解され、評価されるだろう。
【図面の簡単な説明】
【００２１】
【図１】本発明を具体化する椅子アセンブリの前面斜視図である。
【図２】椅子アセンブリの後面斜視図である。
【図３】下降位置と上昇位置（斜線）にある椅子アセンブリ、及び後退位置と伸長位置（斜線）にある座部アセンブリを示す椅子アセンブリの側面図である。
【図４】垂直位置とリクライニング位置（斜線）にある椅子アセンブリを示す椅子アセンブリの側面図である。
【図５Ａ】座部アセンブリの展開図である。
【図５Ｂ】バネ支持アセンブリを図示するために座部アセンブリの一部を除去した椅子アセンブリの拡大斜視図である。
【図６】座部アセンブリの展開斜視図である。
【図７】座部アセンブリの上面斜視図である。
【図８】座部アセンブリの底面斜視図である。
【図９】カバーアセンブリと座部アセンブリの展開底面斜視図である。
【図１０】カバーアセンブリの断面図である。
【図１１】座部アセンブリの他の実施例の展開斜視図である。
【図１１Ａ】座部アセンブリの別の実施例の展開斜視図である。
【図１２】座部アセンブリの他の実施例の上面斜視図である。
【図１３】座部アセンブリの他の実施例の底面斜視図である。
【図１４】座部アセンブリの他の実施例の展開底面斜視図である。
【図１５】座部アセンブリの第２の他の実施例の上面斜視図である。
【図１６】図１５でＸＶＩ―ＸＶＩ線に沿った座部アセンブリの第２の他の実施例の断面図である。
【図１７】図１５でＸＶＩＩ―ＸＶＩＩ線に沿った座部アセンブリの第２の他の実施例の断面図である。
【図１８】背部アセンブリの前面斜視図である。
【図１９】背部アセンブリの側面図である。
【図２０Ａ】背部アセンブリの展開前面斜視図である。
【図２０Ｂ】背部アセンブリの展開後面斜視図である。
【図２１】図２０ＡのＸＸＩ領域の拡大斜視図である。
【図２２】図２のＸＸＩＩ領域の拡大斜視図である。
【図２３】図１８でＸＸＩＩＩ―ＸＸＩＩＩ線に沿った背部上部旋回アセンブリの断面図である。
【図２４Ａ】背部上部旋回アセンブリの展開後面斜視図である。
【図２４Ｂ】背部上部旋回アセンブリの展開前面斜視図である。
【図２５】図２０ＢのＸＸＶ領域の拡大斜視図である。
【図２６Ａ】安らぎ部材と腰部アセンブリの拡大斜視図である。
【図２６Ｂ】安らぎ部材と腰部アセンブリの後面斜視図である。
【図２７Ａ】歯止め部材の正面斜視図である。
【図２７Ｂ】歯止め部材の後面斜視図である。
【図２８】図２６ＢでＸＸＶＩＩＩ―ＸＸＶＩＩＩ線に沿った部分断面斜視図である。
【図２９Ａ】安らぎ部材の一部が切り取られた、背部アセンブリの斜視図である。
【図２９Ｂ】背部アセンブリの一部の拡大斜視図である。
【図３０】腰部アセンブリの他の実施例の斜視図である。
【図３１】背部アセンブリと椅子張りアセンブリの断面図である。
【図３２Ａ】背部アセンブリと椅子張りアセンブリの階段状アセンブリの図である。
【図３２Ｂ】背部アセンブリと椅子張りアセンブリの階段状アセンブリの図である。
【図３２Ｃ】背部アセンブリと椅子張りアセンブリの階段状アセンブリの図である。
【図３２Ｄ】背部アセンブリと椅子張りアセンブリの階段状アセンブリの図である。
【図３３】図３２ＡのＸＸＸＩＩＩ領域の拡大斜視図である。
【図３４Ａ】綱止めとそれに固定される引き紐の一連の逐次段階の背面図の1つである。
【図３４Ｂ】綱止めとそれに固定される引き紐の一連の逐次段階の背面図の1つである。
【図３４Ｃ】綱止めとそれに固定される引き紐の一連の逐次段階の背面図の1つである。
【図３４Ｄ】綱止めとそれに固定される引き紐の一連の逐次段階の背面図の1つである。
【図３４Ｅ】綱止めとそれに固定される引き紐の一連の逐次段階の背面図の1つである。
【図３４Ｆ】綱止めとそれに固定される引き紐の一連の逐次段階の背面図の1つである。
【図３４Ｇ】綱止めとそれに固定される引き紐の一連の逐次段階の背面図の1つである。
【図３４Ｈ】綱止めとそれに固定される引き紐の一連の逐次段階の背面図の1つである。
【図３５Ｇ】引き紐を綱止めに固定するための他の一連の逐次段階の1つである。
【図３５Ｈ】引き紐を綱止めに固定するための別の一連の逐次段階の1つである。
【図３６】背部アセンブリの別の実施例の展開図である。
【図３７】背部アセンブリの他の実施例の上部の垂直断面図である。
【図３８】背部アセンブリの他の実施例の側部の垂直断面図である。
【図３９】支え部材の正面図である。
【図４０】支え部材が裏返し方向になった正面図である。
【図４１】支え部材がカバー部材に縫合された部分正面図である。
【図４２】その上で座部支持板を支持する制御入力アセンブリの斜視図である。
【図４３】その内部を表示するためにカーテン要素を除去した制御入力アセンブリの斜視図である。
【図４４】制御入力アセンブリの展開図である。
【図４５】制御入力アセンブリの側面図である。
【図４６Ａ】背部支持構造の正面斜視図ある。
【図４６Ｂ】背部支持構造の展開斜視図ある。
【図４７】その多くの旋回軸を図示する椅子アセンブリの側面図である。
【図４８】関連する多くの旋回軸を示す制御アセンブリの側面斜視図である。
【図４９】背部が垂直位置であり、腰部調節が中立位置に設定される状態の背部を示す椅子の断面図である。
【図５０】背部が垂直位置であり、腰部が水平位置に調節される状態を示す椅子の断面図である。
【図５１】背部がリクライニングし、腰部が中立位置に調節される状態を示す椅子の断面図である。
【図５２】椅子がリクライニング位置で腰部が水平位置に調節された状態を示す椅子の断面図である。
【図５２Ａ】背部がリクライニングし、シェルの腰部が最大湾曲に設定された状態を示す椅子の断面図である。
【図５３】モーメントアーム・シフトアセンブリの展開図である。
【図５４】図４３でＬＩＶ−  ＬＩＶ線に沿ったモーメントアーム・シフトアセンブリ断面斜視図である。
【図５５】複数の制御リンク機構の上面図である。
【図５６】制御リンクアセンブリの展開図である。
【図５７Ａ】モーメントアーム・シフトが低張力位置で、椅子アセンブリが垂直位置である状態の制御アセンブリの側面斜視図である。
【図５７Ｂ】モーメントアーム・シフトが高張力位置で、椅子アセンブリがリクライニング位置である状態の制御アセンブリの側面斜視図である。
【図５８Ａ】モーメントアーム・シフトが高張力位置で、椅子アセンブリが垂直位置である状態の制御アセンブリの側面斜視図である。
【図５８Ｂ】モーメントアーム・シフトが高張力位置で、椅子アセンブリがリクライニング位置である状態の制御アセンブリの側面斜視図である。
【図５９】低及び高張力設定のためのトルク対リクライニング量の関係を示すチャートである。
【図６０】座部支持板が展開された直接駆動アセンブリの斜視図である。
【図６１】直接駆動アセンブリの展開斜視図である。
【図６２】垂直高さ制御アセンブリの斜視図である。
【図６３】垂直高さ制御アセンブリの斜視図である。
【図６４】垂直高さ制御アセンブリの側面図である。
【図６５】図４２でＬＸＶ−ＬＸＶ線に沿った第１の制御入力アセンブリの断面斜視図である。
【図６６Ａ】制御入力アセンブリの展開斜視図である。
【図６６Ｂ】第１の制御入力アセンブリのクラッチ部材の拡大斜視図である。
【図６６Ｃ】制御入力アセンブリの展開斜視図である。
【図６７】図４２でＬＸＶＩＩ−ＬＸＶＩＩ線に沿った可変背部制御アセンブリの垂直断面図である。
【図６８】アームアセンブリの斜視図である。
【図６９】アームアセンブリの展開斜視図である。
【図７０】上昇位置及び下降位置（斜線）にあるアームアセンブリの側面図である。
【図７１】アームアセンブリの部分断面図である。
【図７２】アームアセンブリが直線位置及び斜め位置（斜線）の状態を示す椅子アセンブリの上面図である。
【図７３】垂直高さ調節ロックを含むアームアセンブリの斜視図である。
【図７４】垂直高さ調節ロックを含むアームアセンブリの側面図である。
【図７５】垂直高さ調節ロックを含むアームアセンブリの斜視図である。
【図７６】アームレストアセンブリが直線位置と回転位置（斜線）、及び後退位置と伸長位置（斜線）の状態を示す椅子アセンブリの上面図である。
【図７７】アームレストアセンブリの展開斜視図である。
【図７８】図７０でＬＸＸＶＩＩＩ−ＬＸＸＶＩＩＩ線に沿ったアームレストアセンブリの断面図である。
【図７９】椅子アセンブリの斜視図である。
【図８０】図７９に示すような椅子アセンブリの正面図である。
【図８１】図７９に示すような椅子アセンブリの第１の側面図である。
【図８２】図７９に示すような椅子アセンブリの第２の側面図である。
【図８３】図７９に示すような椅子アセンブリの後面図である。
【図８４】図７９に示すような椅子アセンブリの上面図である。
【図８５】図７９に示すような椅子アセンブリの底面図である。
【図８６】アームレストのない椅子アセンブリの斜視図である。
【図８７】図８６に示すような椅子アセンブリの正面図である。
【図８８】図８６に示すような椅子アセンブリの第１の側面図である。
【図８９】図８６に示すような椅子アセンブリの第２の側面図である。
【図９０】図８６に示すような椅子アセンブリの後面図である。
【図９１】図８６に示すような椅子アセンブリの上面図である。
【図９２】図８６に示すような椅子アセンブリの底面図である。
【発明を実施するための形態】
【００２２】
本明細書での記述のために、語句"上"、"下"、"右"、"左"、"後"、"前"、"垂直"、"水平"、及びそれらの派生語は、図１で方向付けるような発明に関する。しかし、本発明は、明確な反対の指定の場合以外は、様々な他の方向付け及び一連のステップを想定すると理解されるべきである。付属図面に示され、及び以下の明細書に記載される特定の装置及び工程は、付属の特許請求の範囲に規定される発明概念の典型的な実施例である、と理解されるべきである。従って、特許請求の範囲が明確に述べていない限り、明細書に開示される実施例に関する特定の寸法及び他の物理的特徴は、限定と見なすべきでない。明細書に開示される実施例の様々な要素は、互いに直接または間接的に結合される要素を含む互いに作動可能に結合されると記載される。更に、明細書に利用されるような語句"椅子"は、事務用椅子、車両用シート、家庭用シート、スタジアムシート、劇場シートなどの様々なシート装置を包含する。
【００２３】
参照番号１０（図１及び図２）は、概して本発明を具体化する椅子アセンブリを指定する。図示される例で、椅子アセンブリ１０は、支持する床面１３に隣接するキャスター付き底部アセンブリ１２、キャスター付き底部アセンブリ１２により支持される制御又は支持アセンブリ１４、それぞれ制御アセンブリ１４と作動可能に結合される座部アセンブリ１６と背部アセンブリ１８、及び一対のアームアセンブリ２０を含む。制御アセンブリ１４（図３）は、底部アセンブリ１２へ作動可能に結合され、これにより座部アセンブリ１６、背部アセンブリ１８、及びアームアセンブリ２０は、完全に下降した位置Ａから完全に上昇した位置Ｂの間で垂直方向に調整され、方向２２で垂直位置２１の周りで旋回する。座部アセンブリ１６は制御アセンブリ１４に作動可能に結合されることで、座部アセンブリ１６は完全に後退した位置Ｃと完全に伸長した位置Ｄの間で制御アセンブリ１４に対して長手方向に調節可能である。座部アセンブリ１６（図４）及び背部アセンブリ１８は制御アセンブリ１４と及び互いに作動可能に結合されることで、背部アセンブリ１８は完全な垂直位置Ｅと完全なリクライニング位置Ｆの間で移動可能であり、及び更に座部アセンブリ１６は、背部アセンブリ１８の完全な垂直位置Ｇと完全な垂直位置Ｅに対応する完全なリクライニング位置Ｈと完全なリクライニング位置Ｆの間でそれぞれ移動可能である。
【００２４】
底部アセンブリ１２は、その中に空気圧シリンダ２８を受容する中空の中心柱２６の周囲に放射状に伸び、及び離間して設置される複数の台座アーム２４を含む。各台座アーム２４は関係するキャスタアセンブリ３０により床面１３上方に支持される。底部アセンブリ１２はマルチプルアーム台座アセンブリを含むように図示されるが、固定柱、多脚装置、車両シート支持アセンブリ、スタジアムシート装置、家庭用シート装置、劇場シート装置などを含むがこれらに限定するものではなく、他の適切な支持構造も利用されることを意味する。
【００２５】
座部アセンブリ１６（図５Ａ）は、前方端３４、後方端３６、及び座部支持板３２（図５Ｂ）の側端を画定し、前方端３４と後方端３６の間で伸びる一対のＣ型ガイドレール３８を有する比較的剛性の座部支持板３２を含む。座部アセンブリ１６は、更に一対の上向きの側部４２及び協働して上向きに配置される概ね凹形状を形成する上向きの後部４４を有する柔軟な弾力性のある外側座部シェル４０、及び前方端４５を含む。図示される例で、座部シェル４０は熱可塑性エラストマー（ＴＰＥ）のような比較的柔軟な材料から構成される。組み合わせにおいて、外側座部シェル４０は固定され、座部支持板３２と複数の機械式留め具により座部支持板３２に固定される可塑性の柔軟な弾力性のある座部皿４６の間で挟まれる。座部皿４６は前方端４８、後方端５０、前方端４６８と後方端５０の間に伸びる側端５２、及び協働して上向きに配置される概ね凸形状を形成する上面５４と底面５６を含む。図示される例で、座部皿４６は後方端５０から前方に伸びる複数の長さ方向に伸びる溝５８を含む。溝５８は協働してその間に複数の指６０を画定し、各指６０は個々に柔軟で弾性がある。座部皿４６は、更に前方端４８の近くに位置する複数の横向きで細長の開口部６２を含む。開口部６２は協働してその領域で座部皿４６の全体的な柔軟性を増加させ、以下で更に論ずるように、座部皿４６の前部６４が座部皿４６の後部６８に対して垂直方向６６に屈曲できるようにする。座部アセンブリ１６は、更に座部皿４６の上面５４上に位置し、および外側座部シェル４０内に乗せられる、上面７６を有する発泡クッション部材７０を含む。座部アセンブリ１６は、更に前方端７３、後方端７５、及び前方端７３と後方端７５の間に伸びる一対の側端７７を有する布製シートカバー７２を含む。バネ支持アセンブリ７８（図５Ａ及び５Ｂ）は座部アセンブリ１６に固定され、及び垂直方向６６への湾曲のために座部皿４６の前部６４を柔軟に支持するように構成される。図示される例において、バネ支持アセンブリ７８は発泡剤を備え、上方に凹形状の鋭角形状を画定する側部８２を有する支持ハウジング８０を含む。バネ支持アセンブリ７８は、更に支持ハウジング８０の側部８２間に横に伸び、支持ハウジング８０と座部皿４６の前部６４の間に位置する比較的剛性の取付け部材８４を含む。複数の機械式留め具８６は支持ハウジング８０と取付け部材８４を座部皿４６の前部６４に固定する。更に各カンチレバーバネ８８の遠位端９０が垂直方向６６に湾曲するように、バネ支持アセンブリ７８は、各々が取付け部材８４の対応する開口部９２を通して受容される遠位端９０と、座部支持板３２に固定される近位端９４を有する、一対のカンチレバーバネ８８を含む。一対のリニア軸受９６は取り付け部材８４に固定して取り付けられ、その開口部９２と合致し、これにより各リニア軸受９６が対応するカンチレバーバネ８８の遠位端９０をスライド可能に受容する。作動において、座るユーザが座部アセンブリ１６上で前方に回転し、その前方端上に下向きの力を及ぼす場合、カンチレバーバネ８８は協働して座部皿４６の前部６４、より概して座部アセンブリ１６の前部全体を垂直方向６６に湾曲させる。
【００２６】
参照番号１６ａ（図１６）は本発明の座部アセンブリの別の実施例を概して指定する。座部アセンブリ１６ａは先に記載した座部アセンブリ１６に類似するので、図５Ａ及び図６〜１０に表れる類似部品は、図示される例の後者の参照番号の添え字"ａ"を除いて、同一の対応する参照番号により夫々表示される。座部アセンブリ１６ａは、前方端３４ａ、後方端３６ａ、及び座部支持板３２ａの側端を画定し、前方端３４ａと後方端３６ａの間に伸びる、一対のＣ型ガイドレール３８ａを有する比較的剛性の座部支持板３２ａを含む。座部アセンブリ１６ａは、更に各々が側端４３ａで終わる一対の上向き側部４２ａ、前方端４５ａ、及び後端４７ａで終わり、フラップ部４９ａを含む上向きの後部４４ａを有する柔軟な弾性外側座部シェル４０ａ（図６及び７）を含み、側部４２ａと後部４４ａは協働して三次元の上向きに配置される概ね凹形状を形成する。座部シェル４０ａは可塑性エラストマー（ＴＰＥ）などの比較的柔軟な材料から構成され、単一の一体品として成形される。  以下に更に詳細に記載される組み合わせにおいて、外側座部シェル４０ａは固定され、座部支持板３２ａと複数の機械式留め具により座部支持板３２ａに固定される可塑性の柔軟な弾力性のある座部皿４６ａの間に挟まれる。座部皿４６ａは前方端４８ａ、後方端５０ａ、前方端４８ａと後方端５０ａの間に伸びる側端５２ａ、協働して上向きに配置される概ね凹形状を形成する上面５４ａと底面５６ａを含む。図示される例において、座部皿４６ａは後方端５０ａから前方に伸びる複数の長手方向に伸びる溝５８ａを含む。溝５８ａは協働してその間に複数の指部６０ａを画定し、各指６０ａは個々に柔軟性があり弾力性がある。座部皿４６ａは、更に前方端４８ａの近くに位置する複数の横方向に長い開口部６２ａを含む。開口部６２ａは協働してそのエリアの座部皿４６ａの全体の柔軟性を増加させ、以下に更に論ずるように、特に座部皿４６ａの前部６４ａを座部皿４６ａの後部６８ａに対して垂直方向６６ａに湾曲させる。座部アセンブリ１６ａは、座部皿４６ａの上面５４ａの上にあり、外側座部シェル４０ａ内に載せられる、上面７６ａを有する発泡性クッション部７０ａを含む。座部アセンブリ１６ａは、更に前方端７３ａ、後方端７５ａ及びそれらの間に伸びる一対の側端７７ａを有する布製シートカバー７２ａを含む。座部アセンブリ１６ａは、先に記載した座部アセンブリ７８のように構造及び動作において類似するバネ支持アセンブリ７８ａ（図６）により支持される。
【００２７】
図７と８に最もよく図示されるように、柔軟性と弾力性のある座部シェル４０ａと布製シートカバー７２ａは協働して椅子張りカバーアセンブリ又はカバー１００ａを形成する。特に、座部シェル４０ａの側端４３ａとシートカバー７２ａの側端７７ａ、座部シェル４０ａの後方端４５ａとシートカバー７２ａの前方端７３ａ、及び座部シェル４０ａの後方端４７ａとシートカバー７２ａの後方端７５ａは、夫々互いに取り付けられ、カバー１００ａを形成し、その中に内部空間１０２ａを画定する。
【００２８】
座部シェル４０ａのフラップ部４９ａは、後部４４ａとそれぞれの側部４２ａの間に位置する座部シェル４０ａの角１０６ａに沿って伸びる、一対の角縁１０４ａを含み、これによりフラップ部４９ａが開位置Ｉと閉位置Ｊの間で移動可能になる。図示される例において、フラップ部４９ａの角縁１０４ａは、角縁１０４ａに沿って離隔して設置され、各々がその中に伸びる開口部１１０ａを含む複数のタブ１０８ａを含む。角縁１０４ａのタブ１０８ａは各側部４２ａの角縁１１４ａに沿って離隔して設置される複数のタブ１１２ａで空間が設けられる。各タブ１１２ａはその中に伸びる開口部１１６ａを含む。座部シェル４０ａは、また座部シェル４０ａの内側端１２１ａの周りに離隔して配置され、各々がＺ型断面形状を有する複数の一体成形された結合タブ１１８ａを含む。
【００２９】
組み合わせにおいて、椅子張りカバーアセンブリ１００ａ（図９）は、上で記載されたように、座部シェル４０ａとシートカバー７２ａから構成される。座部皿４６ａ、クッション部材７０ａ及びバネ支持アセンブリ７８ａは、次に、フラップ４９ａを開位置Ｉに、座部皿４６ａ、クッション部材７０ａ及びバネ支持アセンブリ７８ａを内部空間１０２ａ内に設置され、次にフラップ４９ａを閉位置Ｊに移動させることにより、椅子張りカバーアセンブリ１０９ａで集めて、互いに対して配置される。一対の迅速接続留め金１２０ａは、各々Ｌ型本体部１２４ａの長さに沿って離隔する複数のスナップ結合器１２２ａを含む。組み合わせにおいて、スナップ結合器１２２ａは、タブ１０８ａの開口部１１０ａ、１１６ａを通して伸び、座部皿４６ａの対応する開口部１２６ａ内にスナップ式に受容され、これにより角縁１０４ａを座部皿４６ａに及びフラップ４９ａを閉位置Ｊ内へ固定する。
【００３０】
更に組み合わせにおいて、結合タブ１１８ａ（図１０）は座部皿４６ａの対応する開口部１３０ａ内に配置し、これによりカバーアセンブリ１００ａが座部皿４６ａに一時的に固定され、これによりカバーアセンブリ１００ａと座部皿４６ａの接続と調整を維持する間に、組み合わせ中の座部アセンブリ１６ａの更なる操作を可能にする。明細書で使用されるように、"一時的な固定"とは椅子アセンブリの正常な使用寿命期間を通して、椅子アセンブリの正常な使用中にそれ自身によるカバーアセンブリ１００ａの座部皿４６ａへの固定を維持することを期待されない固定と定義される。支持板３２ａは、次に複数のネジ１３２ａにより座部皿４６ａの下側に固定され、これにより結合タブ１１８ａを支持板３２ａと座部皿４６ａの間に挟み、カバーアセンブリ１００ａを座部皿４６ａに恒久的に固定する。明細書で使用されるように、"恒久的固定"は椅子アセンブリの正常な有効寿命を通して椅子アセンブリの正常使用中に、カバーアセンブリの座部皿４６ａへの固定を維持することを期待される固定と定義される。
【００３１】
参照番号１６ｂ（図１１）は概して座部アセンブリの別の実施例を指定する。座部アセンブリ１６ｂは先に記載した座部アセンブリ１６及び／又は座部アセンブリ１６ａに類似するので、後者の番号における添え字"ｂ"を除いて、図５Ａ〜１０及び図１１〜１７に表れる類似部品はそれぞれ同一の対応する参照番号により表示される。図示される例において、座部アセンブリ１６ｂは、最も明らかな例外である選択的に設定されおよび構成される外側座部シェル４０ｂ及び椅子張りカバー１００ｂを除いて、構成及び構造において座部アセンブリ１６及び座部アセンブリ１６ａに類似する。座部アセンブリ１６及び座部アセンブリ１６ａに類似する。
【００３２】
座部アセンブリ１６ｂ（図１１）は、各々が側端４３ｂで終わる、一対の上向き側部４２ｂを有する柔軟で弾力のある外側座部シェル４０ｂ、前方端４５ｂ、及び後方端４７ｂで終わる上向きの後部４４ｂを含み、側部４２ｂと後部４４ｂは協働して三次元の上向きに配置される概ね凹形状を形成する。座部シェル４０ｂは可塑性エラストマー（ＴＰＥ）などの比較的柔軟な材料から構成され、単一の一体品として成形される。以下に更に詳細に記載される組み合わせにおいて、外側座部シェル４０ｂは固定され、座部支持板３２ｂと、可塑性の柔軟で弾力性のある座部皿４６ｂと、可塑性のほぼ剛性の覆い５１ｂの間に挟まれ、その各々は複数の機械式留め具により座部支持板３２ｂに固定される。覆い５１ｂは上向きの鋭角形状を有し、後壁５３ｂと各々が最も前方の端部５７ｂを含む、一対の前方に伸びる側壁５５ｂを含み、後壁５３ｂと側壁５５ｂは協働して最も上の端部５９ｂを形成する。座部皿４６ｂは前方端４８ｂ、後方端５０ｂ、前方端４８ｂと後方端５０ｂの間に伸びる側端５２ｂ、上面５４ｂ、及び協働して上向きに配置される概ね凹形状を形成する底面５６ｂを含む。
【００３３】
図１２と１３に最もよく図示されるように、柔軟な弾性座部シェル４０ｂ、布製シートカバー７２ｂ、および覆い５１ｂは、協働して椅子張りカバーアセンブリ又はカバー１００ｂを形成する。図示される例において、座部シェル４０ｂの側端４３ｂとシートカバー７２ｂの側端７７ｂ、座部シェル４０ｂの後方端４５ｂとシートカバー７２ｂの前方端７３ｂ、及び座部シェル４０ｂの後方端４７ｂとシートカバー７２ｂの後端７５ｂは、夫々互いに取り付けられ、それにより、座部シェル４０ｂと布製シートカバー７２ｂは覆い５１ｂと協働して、カバー１００ｂを形成し、その中に内部空間１０２ｂを画定する。座部シェル４０ｂは、また座部シェル４０ｂの内端１２１ｂの周りに離隔して、夫々がＺ型の断面形状を有する複数の一体成形された結合タブ１１８ｂを含む。
【００３４】
組み合わせにおいて、座部シェル４０ｂ（図１４）と椅子張りカバー１００ｂのシートカバー７２ｂは上記のように互いに結合される。図１５と１６に最もよく図示されるように、座部シェル４０ｂの側部４２ｂはその間に角７９ｂを画定するように、布製シートカバー７２ｂに結合される。布製シートカバー７２ｂの布製材料と座部シェル４０ｂのＴＰＥの両方の使用は、９０°またはそれより小さい鋭いきちっとした美的角度βを提供する一方、同時にユーザに対して柔らかい弾力性のある変形可能な感覚を提供する。座部皿４６ｂ、クッション部材７０ｂ及びバネ支持アセンブリ７８ｂは、次に互いに配置され、カバー１００ｂの内部空間１０２ｂ内に設置される。シェル４０ｂは、次に、シェル４０ｂの周縁に離隔して配置され、座部皿４６ｂの側部と後部の周縁の周りに伸びる下向きに伸びるトリム部１２５ｂと係合する複数の一体フック型結合器１２３ｂにより、横方向の変位のために座部皿４６ｂに固定される。シェル４０ｂ（図１７）は、更にシェル４０ｂと一体化され、座部皿４６ｂの対応する開口部１２９ｂ内に受容される複数のＺ型結合器１２７ｂを含み、これにより垂直変位に関してシェル４０ｂを座部皿４６ｂに一時的に固定する。
【００３５】
更に組み合わせにおいて、覆い５１ｂ（図１７）は側壁５５ｂに沿って離れ、座部皿４６ｂと一体的に形成される対応する複数の角のある結合器１３３ｂにスライド可能に係合する複数の一体的に形成されるＬ型フック１３１ｂを含む。特に、覆い５１ｂが座部皿４６ｂに対して前方にスライドするにつれて、フック１３１ｂは結合器１３３ｂに係合する。覆い５１ｂは、次に覆い５１ｂの対応する開口部１３７ｂを通して伸びる一対のネジ１３５ｂにより所定位置に固定され、座部皿４６ｂの対応するボス１３９ｂ内にネジ止めで受容され、これにより結合器１２７ｂを開口部１２９ｂ内に捕捉する。支持板３２ｂは、次に複数のネジ１３２ｂにより座部皿４６ｂの下側に固定され、これにより覆い５１ｂと一体化された複数の離隔した結合タブ１４１ｂを支持板３２ｂと座部皿４６ｂの間で挟み、カバーアセンブリ１００ｂを座部皿４６ｂに恒久的に固定する。語句"一時的固定"及び"恒久的固定"は明細書で先に定義している。
【００３６】
参照番号１６ｂ'（図１１Ａ）は概して座部アセンブリの別の実施例を指定する。座部アセンブリ１６ｂ'は先に記載した座部アセンブリ１６ｂに類似するので、図１１及び図１１Ａに表れる類似部品は、夫々後者の番号における添え字“’”を除いて同一の対応する参照番号により表示される。図示される例において、最も明らかな例外である選択的に構成される発泡クッション部材７０ｂ'を除いて、座部アセンブリ１６ｂ'は、設定と構成において座部アセンブリ１６ｂに類似する。クッション部材７０ｂ'は第１の部分８１ｂ'と第２の部分８３ｂを含む。組み合わせにおいて、クッション部材７０ｂ'の第１の部分８１ｂ'は座部皿４６ｂ'上に配置される。取付け部材８４ｂ′はネジ（表示なし）のような機械式留め具により座部皿４６ｂ'の下側に固定される。クッション部材７０ｂ'の第２の部分８３ｂ'は、次に座部皿４６ｂ' の前端４８ｂ'と取付部材８４ｂ'を包み、接着剤により取付け部材８４ｂ'に固定される。座部皿４６ｂ'，クッション部材７０ｂ'、及び取付け部材８４ｂ'の組み合わせは、座部支持板３２ｂ'と組み合され、これにはバネ部材８８ｂ'が既に取り付けられており、リニア軸受９６ｂ'がこれに取り付けられている。
【００３７】
背部アセンブリ１８（図１８〜２０Ｂ）は背部フレームアセンブリ２００とそれにより支持される背部支持アセンブリ２０２を含む。背部フレームアセンブリ２００は概して金属のような本質的に剛性の材料から構成され、横方向に伸びるフレーム上部２０４、横方向に伸びるフレーム底部２０６、およびフレーム上部２０４とフレーム底部２０６の間に伸び、それらが協働して比較的大きい上部寸法と比較的狭い下部寸法を有する開口部２１０を画定する一対の湾曲フレーム側部２０８を含む。
【００３８】
背部アセンブリ１８は、更に上部２１８、下部２２０、上部２１８と下部２２０の間に伸びる一対の側端２２２、前方に面する面２２４及び後方に面する面２２６を有する柔軟な弾力性のある可塑性背部シェル２１６を含み、上部２１８の幅は下部２２０の幅より概して大きく、及び下部２２０は、概してフレームアセンブリ２００の背面構成に従うように下方に先細である。下強化部材２２８（図２９Ａ）は背部シェル２１６の下部２２０のフック２３０に取り付けられる。強化部材２２８は背部シェル２１６に対する下部強化部材２２８の左右移動を防止するため、背部シェル２１６の複数の強化リブ２５０と係合する複数の突起２３２を含む一方、強化部材２２８は、夫々以下に記載するように、旋回軸又は軸５９０において背部シェル２１６の下部２２０に背部制御リンク２３６を旋回可能に相互接続する。
【００３９】
背部シェル２１６は、またその上部２１８の周縁に離隔して配置される複数の一体成形された前方と後方に伸びるフック２４０（図２１）を含む。中間部又は腰部２４２は背部シェル２１６の上部２１８と下部２２０の間に垂直に配置され、協働してそれらの間に配置される複数の横に伸びるリブ２４６を形成する複数の横に伸びる溝２４４を含む。横リブ２４６の組み合わせはそれと一体形成される垂直に伸びるリブ２４８により結合され、そのほぼ横方向の中間点に配置される。以下に記載するように、垂直リブ２４８は横リブ２４６を束ねるように機能し、背部アセンブリ１８が垂直位置Ｅからリクライニング位置Ｆへ移動する場合、背部シェル２１６がその中間部２４２で湾曲するにつれて、それらの間の垂直方向の広がりを減少させる。複数の横方向に離隔して配置される強化リブ２５０は下部２２０と中間部２４２の間で背部シェル２１６の垂直方向の長さに沿って長手方向に伸びる。背部シェル２１６の全体剛性がリブ２５０の長さ方向に沿って増加するように、各リブ２５０の深さは中間部２４２から下部２２０に向かって各リブ２５０に沿って増加する。
【００４０】
背部シェル２１６（図２０Ａ及びＢ）は、更に上背部旋回アセンブリ２５４の一部を形成する一対の後方に伸びる一体成形された旋回ボス２５２を含む。背部旋回アセンブリ２５４（図２２〜２４Ｂ）は背部シェル２１６の旋回ボス２５２、各旋回ボス２５２を包む一対の覆い部材２５６、レース部材２５８、及び機械式締結部材２６０を含む。各旋回ボス２５２は一対の側壁２６２及びその間に伸びる縦長の旋回溝２６６を有する後方に面する凹状の座面２６４を含む。各覆い部材２５６は対応する旋回ボス２５２をきっちりと収容するような形状であり、側壁２６２に対応する複数の側壁２６８及びそこを通して伸びる縦長の旋回溝２７２を含む後方に面する凹状軸受面２７０を含み、これが対応する旋回ボス２５２の溝２６６と合致するように構成される。レース部材２５８は背部フレームアセンブリ２００のフレーム上部２０４に沿って横に伸び、これに隣接する中心部２７４、及びその端部に配置される一対のアーチ形軸受面２７６を含む。特に、中心部２７４は第１の部分２７８と第２の部分２８０を含み、第１の部分２７８はフレーム上部２０４の前面に隣接し、第２の部分２８０はフレーム上部の上面に隣接する。各軸受面２７６はそれを通して伸び、背部フレームアセンブリ２００と一体の対応するボス部材２８４に合致する開口部２８２を含む。
【００４１】
組み合わせにおいて、覆い部材２５６は背部シェル２１６の対応する旋回ボス２５２の周りに配置され、軸受け面２７０が対応する旋回ボス２５２の座面２６４と軸受面２７６の間に挟まれるように、背部シェル２１６とレース部材２５８の間に作動可能に配置される。機械式固定アセンブリ２６０は、各々が対応する旋回ボス２５２の内面２９２とスライド係合する軸受ワッシャ２９０の円い当接面２８８を固定し、及び背部シェル２１６の対応するボス部材２８４にネジで係合する、ボルト２８６を含む。作動において、背部旋回アセンブリ上部２５４は背部支持アセンブリ２０２を旋回軸２９６（図１８）の周りで方向２９４（図１９）に背部フレームアセンブリに対して旋回させる。
【００４２】
背部支持アセンブリ２０２（図２０Ａ及び２０Ｂ）は、更に背部シェル２１６に取り付けられ、腰部アセンブリ３００をスライド可能に支持する柔軟で弾力性のある安らぎ部材２９８（図２６Ａ及び２６Ｂ）を含む。安らぎ部材２９８は上部３０２、下部３０４、一対の側部３０６、前方面３０８、及び後方面３１０を含み、上部３０６、下部３０４、及び側部３０６は協働してその中に腰部アセンブリ３００を受容する開口部３１２を形成する。図２０Ｂ及び２５に最もよく図示されるように、安らぎ部材２９８は上部３０２の周縁の周りに離隔して配置され、後方面３１０から後方に伸びる複数の箱型結合器３１４を含む。各箱型結合器３１４は協働して内部空間３２０を形成する一対の側壁３１６及び上壁を含む。棒３２２は側壁３１６の間に伸び、後方面３１０から離隔して配置される。組み合わせにおいて、安らぎ部材２９８は、フック２４０が対応する棒３２２に係合するまで箱型結合器３１４の各々の内部空間に、背部シェル２１６のフック２４０（図２３）を揃えて垂直に挿入することにより背部シェル２１６に固定される。背部シェル２１６の前方面２２４及び安らぎ部材２９８の後方面３１０はフック及び箱型結合器３１４に近い穴又は開口部がないので、滑らかな前方面３０８を提供し及び座るユーザに安らぎを増加させることを意味する。
【００４３】
安らぎ部材２９８（図２６Ａ及び２６Ｂ）は後方面３１０から後方に伸び、長方形状の断面形状を有する一体成形された長手方向に伸びるスリーブ３２４を含む。腰部アセンブリ３００は前方横方向の凹部と前方縦方向の凸部、柔軟な弾力性の本体部３２６、及び本体部３２６から上方に伸びる一体支持部３２８を含む。図示される例において、本体部３２６は、安らぎ部材２９８の開口部３１２の輪郭と形状に概ね従うように、本体部がその高さ方向に沿って垂直方向に先細るような形状である。腰部アセンブリ３００が完全に下降した位置Ｉと完全に上昇した位置Ｊの間で背部支持アセンブリ２０２の残りに対して垂直方向に調節可能なように、支持部３２８は安らぎ部材２９８のスリーブ３２４内にスライド可能に受容される。爪部材３３０は支持部３２８の長さに沿って離隔して配置される複数の開口部３３２と選択的に係合し、これにより完全に下降した位置Ｉと完全に上昇した位置Ｊの間の選択された垂直位置で腰部アセンブリ３００を取り外し可能に固定する。爪部材３３０（図２７Ａ及び２７Ｂ）はその端部に配置され、ハウジング部３３４の外面３３８から後方にずれたハウジング部３３４を含む。柔軟な弾力性のある指３４０はハウジング部３３４内の中心に配置され、後方に伸びる爪３４２を含む。
【００４４】
組み合わせにおいて、爪部材３３０（図２８）は、安らぎ部材２９８の上部３０２内に配置される開口部３４４内に配置され、これにより爪部材３３０のハウジング部３３４の外面３３８は安らぎ部材２９８の前方面３０８と同一平面になり、ハウジング部３３４の係合タブ３３６は安らぎ部材２９８の後方面３１０に隣接させる。腰部アセンブリ３００の支持部３２８は、次に安らぎ部材３２８のスリーブ３２４内に配置され、これによりスリーブ３２４はその中でスライド可能であり、爪３４２は開口部３３２内に選択的に係合可能であり、ユーザに背部支持アセンブリ２０２全体に対して腰部アセンブリ３００の位置を最適化させるようにする。特に、腰部アセンブリ３００の本体部３２６は、各々が背部シェル２１６の各側端２２２の周りを包含し、これに沿って誘導する、溝３４８を画定するＣ型断面形状を有する、一対の外側に伸びる一体型ハンドル部３４６（図２９Ａ及び２９Ｂ）を含む。代案として、本体部３２６ｃと支持部３２８ｃが一体的に形成され、ハンドル３４６ｃが本体部３２６ｃから分離して形成され、それに取り付けられる、腰部アセンブリ３００ｃ（図３０）が提供される。別の実施例で、各ハンドル３４６ｃは本体部３２６ｃの対応するポケット３５２ｃ内に受容される一対のブレード３５０ｃを含む。各ブレード３５０は、その長さに沿って離間して配置され、本体部３２６ｃ内で複数の開口部３５６ｃの１つの端部とスナップ可能に係合する一対のスナップタブ３５４ｃを含む。
【００４５】
作動において、ユーザは、ハンドル部３４６，３４６ｃの１つまたは両方を掴み、及び安らぎ部材２９８及び背部シェル２１６に沿って垂直方向にハンドルアセンブリ３４６，３４６ｃをスライドさせることにより、背部シェル２１６に対して腰部アセンブリ３００，３００ｃの相対垂直位置を調節する。停止タブ３５８は遠位端３６０内に一体成形され、安らぎ部材２９８のスリーブ３２４の端部壁と係合するように、それからオフセットされ、これにより安らぎ部材２９８のスリーブ３２４に対して腰部アセンブリ３００の支持部３２８の垂直下方移動を制限する。
【００４６】
背部支持アセンブリ２０２（図２０Ａ及び図２０Ｂ）は、更に上部３６４と下部３６６を有するクッション部材３６２を含み、下部３６６は背部シェル２１６と安らぎ部材２９８の全体形状とテーパに対応するために、その垂直長さに沿って先細になる。
【００４７】
背部支持アセンブリ２０２は、更にその中に安らぎ部材２９８、腰部支持アセンブリ３００及びクッション部材３６２を収容する椅子張りカバーアセンブリ４００（図３１）を含む。図示される例において、カバーアセンブリ４００は布製材料を備え、及びその中に安らぎ部材２９８及びクッション部材３６２を受容する第１の内側又は内側空間４０８を有する第１のポケット４０６を形成するために、その各側端に沿って共に縫い合わされる前側４０２（図３２Ａ）と後側４０４、及び後端４０４へ縫われ、協働してその中に腰部支持アセンブリ３００を受容する第２の内部又は内側空間４１３（図３２Ｄ）を有する第２のポケット４１２を形成するフラップ部４１０、を含む。
【００４８】
組み合わせにおいて、第１のポケット４０６（図３２Ａ）は、裁縫又はカバーアセンブリ４００が構成される材料に適した他の手段により、及び第１の内部空間４０８を画定するために、互いに前側４０２と後側４０４の各側端を取り付けることにより形成される。フラップ部４１０の端部は、次に後側４０４の下端部に固定される。図示される例において、背部シェル２１６とクッション部材３６２の組み合わせは、次に後側４０４（３２Ｂ）の開口部４１５を介して第１のポケット４０６の内部空間４０８に挿入される。椅子張りカバーアセンブリ４００はクッション部材３６２と安らぎ部材２９８の周りで伸ばされ、それを通して上方に伸びるフック部材４２４（図３３）を受容する複数の開口部４２０により安らぎ部材２９８へ固定される。代案として、開口部４２０がそれを通してＴ型取付け部材４２２も受容するように配置されるように、カバーアセンブリ４００は構成される。図示される例において、取付け部材４２２とフック部材４２４は安らぎ部材２９８と一体成形される。各取付け部材４２２は安らぎ部材２９８の後面３１０のリセス４２９内から垂直後方に伸びる第１の部分４２８を有するＴ型断面、又はボートクリート形状を備え、及び第１の部分４２８の遠位端に配置され、互いに反対方向にそれから外側に伸びる一対の第２の部分４３０を備える。第２の部分４３０の１つは第１の部分４２８と協働して角のある係合面４３２を形成する。リセス４２９はその周縁の周りの端部４３４を画定する。
【００４９】
カバーアセンブリ４００は、更にカバーアセンブリ４００の引き紐トンネル４３８を通って伸び、及び取付け部材４２２に固定される引き紐４３６により安らぎ部材２９８に固定される。特に、図３４Ａ〜３４Ｈに最もよく図示されるように、引き紐４３６の各自由端は結び目がなく、安らぎ部材２９８から分離した機械式締め具を使用せず関係する取付け部材４２２に固定される。組み合わせにおいて、引き紐４３６と引き紐トンネル４３８は安らぎ部材２９８の周縁の周りに配置され、これと一体成形される複数のガイドフック４３９（図２６Ｂ）の周りを誘導する。関係する取付け部材４２２の周りの引き紐４３６の張力がリセス４２９の方に曲がる係合面４３２に対して引き紐４３６が力を加えるように、引き紐４３６は関係する取付け部材４２２の周りに巻き付けられ、これにより引き紐４３６の部分をリセス４２９に押し込み、リセス４２９の端部４３４の少なくとも一部と係合し、引き紐４３６と安らぎ部材２９８の間の摩擦係合を増加させる。図３５Ｇと３５Ｈは、引き紐４３６がそれぞれ図３４Ｇと３４Ｈに図示されるステップに対して取り付け部材４２２の周りを通る別の経路を図示する。
【００５０】
腰部アセンブリ３００の本体部３２６がカバーアセンブリ４００の中央部４１４近くに位置し、腰部アセンブリ３００の支持部３２８は上記のように安らぎ部材２９８と結合されるように、腰部アセンブリ３００（図３２Ｃ）は次にカバーアセンブリ４００、クッションアセンブリ３６２及び安らぎ部材２９８と調整される。フラップ部４１０（図３２Ｄ）は、次に腰部３００の上で重なり、これにより内部空間４１３を有する第２のポケット４１２を生成する。フラップ部４１０の遠位端部４４２はそれを通してフック４２４を受容するフラップ部４１０内の複数の開口部４４４により安らぎ部材２９８へ取り付けられる。遠位端部４４２は、またカバーアセンブリ４００の後側４０４に縫い付けられる。図示される例において、側端部４４６がカバーアセンブリ４００の残りと協働し、腰部アセンブリ３００のハンドル部３４６が伸びる溝４４８を形成するように、フラップ部４１０の側端４４６はカバーアセンブリ４００の残りに取り付けられない。腰部アセンブリ３００がその中で垂直に調整可能なように、第２のポケット４１２は構成される。カバーアセンブリ４００、クッション部材３６２、安らぎ部材２９８及び腰部アセンブリ３００の組み合わせは、次に背部シェル２１６に取り付けられる。
【００５１】
参照番号１８ｄ（図３６）は、概して背部アセンブリの他の実施例を指す。背部アセンブリ１８ｄは先に記載した背部アセンブリ１８に類似するので、後者の番号における添え字"ｄ"を除いて、図２０Ａと図２０Ｂ及び図３６〜４１に表れる類似部品はそれぞれ同一の対応する参照番号により表示される。背部アセンブリ１８ｄは背部フレームアセンブリ２００ｄ、背部シェル２１６ｄ、及び椅子張りカバーアセンブリ４００ｄを含む。図示される例において、背部シェル２１６ｄは本質的に柔軟な外側周縁部４５０ｄ（図３７と３８）及び周縁部４５０ｄが取り付けられる本質的に柔軟性がより低い後部４５２ｄを含む。後部４５２は協働してその間に羽板４５６ｄを画定する複数の横に伸びる垂直に離隔して配置される溝４５４ｄを含む。周縁部４５０ｄと後部４５２ｄは協働して複数の背部シェル２１６ｄの周縁の周りに伸びる外側に面する開口部４５８ｄを形成する。後部４５２ｄは開口部４５８ｄの周りに離隔して配置される複数のリブ４６０ｄを含み、以下に記載されるようにカバーアセンブリ４００ｄを背部シェル２１６ｄへ固定するように利用される。
【００５２】
カバーアセンブリ４００ｄは布製カバー４６２ｄと布製カバー４６２ｄの周縁部４６６ｄの周りに伸びる支え部材４６４ｄを含む。布製カバー４６２ｄは前面４６８ｄ、及び後面４７０ｄを含み、好ましくは長手方向と横方向の少なくとも１つの方向へ曲げることができる材料を備える。図３９に最もよく図示されるように、支え部材４６４ｄは環状形状で、各々が円形断面形状を有する複数の狭い角部４７４ｄで離隔して配置される、各々が長方形状の断面形状を有する複数の幅広い部分４７２ｄを含む。幅広い部分４７２ｄの各々は、以下に記載されるように、その長さに沿って離隔して配置され、背部シェル２１６ｄのリブ４６０ｄと係合するように構成される複数の開口部４７６ｄを含み、背部シェルのリブと係合するように構成される。図４０に示されるように、支え部材４６４ｄが裏返しになるように、支え部材４６４ｄは比較的柔軟なプラスチックから構成される。
【００５３】
組み合わせにおいて、支え部材４６４ｄはカバー４６２ｄの後面４７０ｄに固定され、これによりカバー４６２ｄは広い部分４７２ｄと回転するために固定され、およびカバー４６２ｄは、狭い角部４７４ｄの長手方向軸に接する線に沿って、狭い角部４７４ｄと回転するために固定されない。この例で、支え部材４６４ｄ（図４１）は広い部分４７２ｄを通して及び狭い角部分４７４ｄの周りに伸びる縫い模様によりカバー４６２ｄの周縁部４６６ｄの周りに縫い合わされる。カバー４６２ｄと支え部材４６４ｄのカバーアセンブリ４００ｄは背部シェル２１６ｄと調整され、支え部材４６４ｄが裏返しになるように、カバー４６２ｄの周縁部４６６ｄは背部シェル２１６ｄの周りに巻き付けられる。支え部材４６４ｄは、次に開口部又は溝４５８ｄに挿入され、これにより背部シェル２１６ｄの周りに伸ばす布製カバー４６２ｄの張力は、支え部材４６４ｄの溝４５８ｄ内への確実な係合を維持させる。背部シェル２１６ｄのリブ４６０ｄは支え部材４６４ｄの対応する開口部４７６ｄへ係合し、これにより溝４５８ｄ内へ支え部材４６４ｄをさらに固定する。カバー４６２ｄを支え部材４６４ｄへ取り付ける縫い模様は支え部材４６４ｄの狭い角部４７４ｄをカバー４６２ｄに対して自由に回転させ、これにより任意の布パターンの集積又は伸び過ぎのようなカバー４６２ｄの角近くの美的異常の発生を減少させる。
【００５４】
座部アセンブリ１６及び背部アセンブリ１８は制御アセンブリ１４（図４２）及び制御入力アセンブリ５００へ作動可能に結合され、及びこれらにより制御される。制御アセンブリ１４（図４３〜４５）は、互いに一体成形され、協働して上方に開く内部空間５１２を形成する前壁５０４、後壁５０６、一対の側壁５０８、及び底壁５１０を含むハウジング又は底部構造または基底構造５０２を含む。底壁５１０は以下に記載されるように、その中の中心に配置される開口部５１４を含む。底部構造５０２は、更に上部と前方旋回軸５１６、下部と前方旋回軸５１８、及び上部と後方旋回軸５４０を画定し、制御アセンブリ１４は、更に座部アセンブリ１６を支持する座部支持構造５２２を含む。図示される例において、座部支持構造５２２は、各々が上部と前方旋回軸５１６の周りの旋回運動のための旋回軸５２８により底部構造５０２に旋回可能に固定される前方に配置される旋回開口部５２６を含む一対の前方に伸びるアーム部５２４を含む、概してU型平面形状構成を有する。座部支持構造５２２は、更にアーム部５２４の間に横に伸び、それらが協働して、その中に底部構造５０２が受容される内部空間５３２を形成する後部５３０を含む。後部５３０は、以下に記載されるように、アームアセンブリ２０が取り付けられる一対の後方に伸びるアーム取付け部５３４を含む。座部支持構造５２２は、更に制御入力アセンブリ５００が取り付けられる制御入力アセンブリ取付け部５３６を含む。座部支持構造５２２は、更に協働して旋回軸５４０を画定する一対のブッシングアセンブリ５３８を含む。
【００５５】
制御アセンブリ１４は、更に概ねＵ型平面図構造を有し、及び各々が旋回開口部５４６を含み、旋回軸５４８により底部構造５０２に旋回可能に結合される一対の前方に伸びるアーム部５４４を含む背部支持構造５４２を含み、これにより背部支持構造５４２は下部と前方旋回軸５１８の周りに旋回する。背部支持構造５４２は、アーム部５４４と協働することで、その中に底部構造５０２を受容する内部空間５５２を画定する、後部５５０を含む。背部支持構造５４２は、更にその長さに沿って配置され、協働して旋回軸５５６を画定する一対の旋回開口部５５４を含む。なお、ある例では背部フレームアセンブリ２００の少なくとも一部は背部支持構造５４２の一部として含まれる。
【００５６】
制御アセンブリ１４は、更に第１の旋回軸５４０の周りで旋回するために一対の旋回ピン５６２により、座部支持構造５２２へ旋回可能に結合される第１の端部５６０と、旋回軸５５６の周りの旋回のために一対の旋回ピン５６６により背部支持構造５４２の対応する旋回開口部５５４に旋回可能に結合される第２の端部５６４を有する複数の制御リンク５５８を含む。作動において、以下に記載するように、制御リンク５５８は、運動、特に、椅子アセンブリがリクライニング位置に移動するにつれて、背部支持構造５４２に対して座部支持構造５２２のリクライニング速度を制御する。
【００５７】
図４６Ａ及び４６Ｂに最もよく図示されるように、背部フレームアセンブリ２００のフレーム底部２０６は迅速接続装置５６８を介して背部支持構造５４２に接続するように構成される。背部支持構造５４２の各アーム部５４４はその近くの端部５７２に配置される取付け開口部５７０を含む。図示される例において、迅速接続装置５６８は、後部５５０、及びその中のアーム部５４４の近くの端部５７２を受容する、協働してその間に溝５７６画定する一対の前方に伸びる結合部５７４を含む背部フレームアセンブリ２００のフレーム底部２０６の構成を備える。各結合部５７４は対応する開口部５７０と調整し、その中に受容される下方に伸びるボス５７８を含む。ネジ５８０のような機械式締め具は、次にボス５７８にネジ止めされ、これにより制御アセンブリ１４への背部フレームアセンブリ２００の迅速接続を可能にする。  
【００５８】
図４７に最もよく図示されるように、底部構造５０２、座部支持構造５２２、背部支持構造５４２及び制御リンク５５８は協働して座部アセンブリ１６、背部アセンブリ１８、及びアームアセンブリ２０（図１）を支持する４本棒結合アセンブリを形成する。参照しやすいように、制御アセンブリ１４の４本棒結合アセンブリと関係する関係旋回アセンブリは以下のように参照される：
第１の旋回軸５１６として、底部構造５０２と背部支持構造５４２の間の上部と前部の旋回軸５１６；
第２の旋回軸５１８として、底部構造５０２と背部支持構造５４２の間の下部と前部の旋回軸５１８；
第３の旋回軸５４０として、制御リンク５５８の第１の端部５６０と座部支持構造５２２の間の旋回軸５４０；
第４の旋回軸５５６として、制御リンク５５８の第２の端部５６４と背部支持構造５４２の間の旋回軸５５６；
更に、図４７はリクライニング位置を斜線で示す。椅子アセンブリ１０の構成要素を示し、リクライニング位置の椅子の参照番号は「“’”」で表示される。
【００５９】
動作において、背部アセンブリ１８が垂直位置Ｅからリクライニング位置Ｆに移動するにつれて、制御アセンブリ１４の４本棒結合アセンブリは協働して座部アセンブリ１６を垂直位置Ｇからリクライニング位置Ｈへ傾斜させ、図４７における位置ＥとＦの上部と下部の表示は背部アセンブリ１８の上部と下部は単一品として傾斜することを図示する。特に、背部支持構造５４２が第２の旋回軸５１８の周りで旋回するにつれて、座部支持構造５２２が第１の旋回軸５１６の周りで回転させるように、制御リンク５５８は座部支持構造５２２と背部支持構造５４２に結合するように構成される。好ましくは、座部支持構造５２２は第２の旋回軸５１８の周りの背部支持構造５４２の回転速度の約１/３〜２/３の間で第１の旋回軸５１６の周りで回転し、最も好ましくは、座部支持構造５２２は第２の旋回軸５１８の周りの背部支持構造５４２の回転速度の約半分の速度で、第１の旋回軸５１６の周りで回転し、より好ましくは、座部アセンブリ１６は完全な垂直位置Ｇから完全なリクライニング位置Ｈまで約９°の角度βにリクライニングする一方、背部アセンブリ１８は完全な垂直位置Ｅから完全なリクライニング位置Ｆまで約１８°の角度γにリクライニングする。
【００６０】
図４７に最もよく図示されるように、椅子アセンブリ１０がリクライニングするにつれて、底部構造５０２は支持する床面１３に対して固定状態に留まるので、椅子アセンブリ１０が完全な垂直位置にある場合、及び椅子アセンブリ１０が完全なリクライニング位置にある場合、第１の旋回軸５１６は第２の旋回軸５１８の上部及び前方に位置する。第３の旋回軸５４０は椅子アセンブリ１０のリクライニング移動を通して第１の旋回軸５１６の相対垂直高さの後及び下に留まる。第１の旋回軸５１６と第２の旋回軸５１８の間の距離は椅子アセンブリ１０のリクライニング移動を通して、第３の旋回軸５４０と第４の旋回軸５５６の間の距離より大きい。図４８に最もよく図示されるように、制御リンク５５８の長手方向に伸びる中心線軸５８２は、椅子アセンブリ１０が垂直位置にある場合、座部支持構造５２２と鋭角αを形成し、椅子が完全なリクライニング位置にある場合、鋭角α'を形成する。椅子アセンブリ１０が完全な垂直位置と完全なリクライニング位置の間で移動するにつれて、制御リンク５５８の中心線軸５８２は、座部支持構造５２２と直交状態を超えて回転しないことを意味する。
【００６１】
図４９をさらに参照して、背部制御リンク５８４は第５の旋回軸５８６で座部支持構造５２２に旋回可能に結合され又は接続される前方端部５８５を含む。背部制御リンク５８４の後方端部５８８は第６の旋回軸５９０において背部シェル２１６の下部２２０に接続される。第６の旋回軸５９０は任意であり、背部制御リンク５８４及び背部シェル２１６は互いにしっかり固定される。また、旋回軸５９０は第１及び／又は第２の回転方向に背部シェル２１６に対して背部制御リンク５８４の回転を制限する停止機構を含む。例えば、図４９に関して、旋回軸５９０は制御リンク５８４に対して背部シェル２１６の下部２２０の時計回りの回転を許容する停止機構５９２を含む。もし寸法Ｄ１を減らすように働く後方／水平の力が背部シェル２１６の腰部に加えられたならば、これは腰部がより平坦になることを許容する。しかし、停止機構５９２は制御リンク５８４に対して反時計方向（図４９）に、背部シェル２１６の下部２２０が回転することを防止するように構成される。ユーザが背部アセンブリ１８の上部を押すことにより椅子の中でリクライニングするにつれて、これは、制御リンク５８４及び背部シェル２１６の下部２２０を同じ角速度で回転させる。
【００６２】
カムリンク５９４は、また旋回軸又は軸５８６の周りで回転するための座部支持構造５２２に旋回可能に結合され又は接続される。カムリンク５９４は背部支持構造５４２に形成される上方に面するカム面５９８とスライド可能に係合する湾曲カム下面５９６を有する。一対のねじりバネ６００（また図２９Ａ参照）は角度Φ（図４９）を増加させようとするように背部制御リンク５８４とカムリンク５９４を回転可能にバイアスする。ねじりバネ６００は反時計回りに制御リンク５８４を回転させようとする力を発生させ、同時にカムリンク５９４を時計回りに回転させる。これにより、ねじりバネ６００は背部制御リンク５８４とカムリンク５９４の間の角度Φを増加させようとする。座部支持構造５２２上の停止機構５９２は図４９に示す位置への背部制御リンク５８４の反時計回りの回転を制限する。この力は、また制御リンク５８４を停止機構５９２の中へ反時計周りにバイアスする。
【００６３】
上で論じたように、背部シェル２１６は特に剛性背部フレーム構造２００に比較して柔軟性がある。また上で論じたように、背部フレーム構造２００は背部支持構造５４２へ確り接続され、従って、背部支持構造５４２と旋回する。ねじりバネ６００により生ずる力は背部シェル２１６の下部２２０に対して押す。また上で論じたように、背部シェル構造２１６の溝２４４は背部シェル２１６の腰部支持部又は領域２４２に付加柔軟性を生成する。また背部シェル２１６の腰部２４２がねじりバネ６００に隣接する領域より高い湾曲を有するように、ねじりバネ６００により発生する力は背部シェル２１６の腰部２４２を前方へ曲げようとする。
【００６４】
上で論じたように、腰部アセンブリ３００の位置は垂直に調節可能である。腰部アセンブリ３００の垂直調節は、また背部シェル２１６が椅子背部１８のリクライニング中に曲げる／湾曲するように調節する。たとえば、腰部アセンブリ３００が中間又は中立位置に調節され、背部シェル２１６の腰部２４２（図４９）の湾曲は中間又は中立である。もし、腰部アセンブリ３００の垂直位置が調節されるならば、角度Φ（図５０）は減少し、腰部２４２の湾曲は減少する。図５０に示すように、これは、また角度Φ１をより大きくし、背部シェル２１６の全体形状を比較的平坦にさせる。
【００６５】
図５１を更に参照して、もし、腰部アセンブリ３００の高さが中間レベル（すなわち、図４９と同じ）に設定されるならば、ユーザは後にもたれ、リンクと構造５０２,５２２，５４２,５５８と旋回軸５１６，５１８，５４０，５５６により画定される４本棒結合は図４９の構成から図５１の構成へ移動する（上記のように）。これが、順に旋回軸５８６とカム面５９８の間の距離を増加させる。これが角度Φを約４９．５°（図４９）から約５９．９°（図５１）に増加させる。バネが開位置の方向に回転するにつれて、バネに蓄えられるエネルギの一部は背部シェル２１６へ移送され、これにより背部シェル２１６の腰部２２０の湾曲の程度をより大きくする。このようにして、背部制御リンク５８４、カムリンク５９４、及びねじりバネ６００は、ユーザが椅子の中で後にもたれるにつれて、ユーザの背中の湾曲を減少させるために、腰部２４２のより大きな湾曲を提供する。
【００６６】
また、椅子は図４９の位置から図５１の位置へ傾斜するにつれて、腰部領域または部分２４２と座部１６の間の距離Ｄは１７４ｍｍから２３４ｍｍへ増加する。背部が図４９の位置から図５１の位置へ傾斜するにつれて、背部シェル１６の腰部２４２と背部フレーム構造２００の間の寸法Ｄ１はまた増加する。これにより、距離Ｄは少し増加するが、背部シェル２１６の腰部２４２はリクライニング中に背部フレーム２００に対して前方へ移動するので、寸法Ｄ１における増加は寸法Ｄの増加を減少させる。
【００６７】
再度、図４９を参照して、座るユーザ６０６の背骨６０４は、ユーザ６０６が垂直位置に座る場合、第１の量により腰部領域６０８において前方へ曲げようとする。ユーザ６０６が図４９の位置から図５１の位置へ後へともたれかかるにつれて、腰部領域６０８の湾曲は増加し、ユーザの背骨６０４は、またユーザの大腿骨６１２に対して股関節６１０の周を少し回転する。寸法Ｄの増加及び背部シェル２１６の腰部２４２の湾曲の増加はユーザの股関節６１０と大腿骨６１２は座部１６上で滑らず、ユーザの背骨６０４の腰部領域６０８の湾曲にも適合することを同時に保証する。
【００６８】
上で論じたように、図５０は背部シェル２１６の腰部２４２が平坦位置に調節された椅子が垂直位置にある背部１８を示す。もし、椅子背部１８が図５０の位置から図５２の位置へ傾斜するならば、背部制御リンク５８４及びカムリンク５９４は、共に時計回りに回転する。しかし、カムリンク５９４は少しより速い速度で回転し、角度Φは、従って３１．４°から３５．９°に変化する。距離Ｄは２０２ｍｍから２６５ｍｍまで変化し、角度Φは２４．２°から２４．１°へ変化する。
【００６９】
図５２Ａを更に参照して、もし、椅子背部１８がリクライニングし、腰部調節が高く設定されるならば、角度Φは９３．６°であり、距離Ｄは２０２ｍｍである。
【００７０】
このように、椅子背部１８が後方へ傾斜するにつれて、背部シェル２１６は湾曲する。しかし、もし、湾曲が最初により高いレベルに調節されるならば、垂直位置からリクライニング位置への腰部２４２の湾曲の増加は、著しくより大きくなる。もし、ユーザの背中が垂直に座った場合、最初は比較的平坦な状態であれば、ユーザの背中の湾曲は、ユーザがリクライニングする場合ほど増加しないことを、これは説明する。言い換えると、もし垂直位置の場合、ユーザの背中が比較的真直ぐならば、たとえ湾曲の程度が垂直位置からリクライニング位置へ少し増加しても、ユーザの背中はリクライニングの場合でも比較的平坦に留まるだろう。反対に、もしユーザの背中が垂直位置の場合、著しく湾曲するならば、ユーザの背中が最初に比較的平坦であれば、ユーザが湾曲の増加に対してリクライニングするにつれて、腰部領域の湾曲は大きく増加するだろう。
【００７１】
一対のバネアセンブリ６１４（図４３及び４４）はリクライニング位置Ｆから垂直位置Ｅへ背部アセンブリ（図１４）をバイアスする。図４５に最もよく図示されるように、各バネアセンブリ６１４は第１の端部６１８と第２の端部６２０を有する円筒形状のハウジング６１６を含む。各バネアセンブリ６１４は、さらに圧縮コイルバネ６２２、第１の結合器６２４、及び第２の結合器６２６を含む。図示される例で、第１の結合器６２４はハウジング６１６の第１の端部６１８に固定される一方、第２の結合器６２６はコイルバネ６２２を通して伸びる棒部材６２８に固定される。ワッシャ６３０は棒部材６２８の遠位端に固定され、コイルバネ６２２の一端部に隣接する一方、コイルバネ６２２の他端部はハウジング６１６の第２の端部６２０に隣接する。第１の結合器６２４は旋回軸６３４の周りの旋回運動のために旋回ピン６３２により背部支持構造５４２に旋回可能に固定され、旋回ピン６３２は背部支持構造５４２の旋回開口部６３６内に受容される一方、第２の結合器６２６は旋回軸６４２の周りの旋回のための軸６４０によりモーメントアーム移動アセンブリ６３８（図５３〜５５）に旋回可能に結合される。モーメントアーム移動アセンブリ６３８は低張力設定（図５７Ａ）から高張力設定（図５８Ａ）へバイアス又はバネアセンブリ６１４を移動させるように構成され、背部アセンブリ１８上のバイアスアセンブリ６１４により加えられる力は低張力設定に対して増加する。
【００７２】
図５３〜５６に図示されるように、モーメントアーム移動アセンブリ６３８は調整アセンブリ６４４と、制御入力アセンブリ５００を調整アセンブリ６４４に作動可能に結合し、オペレータが低張力設定と高張力設定の間でバイアスアセンブリ６１４を移動可能にするモーメントアーム移動結合アセンブリ６４６と、及びモーメントアーム移動アセンブリ６３８を低張力設定から高張力設定へ移動させるため、ユーザにより制御入力アセンブリ５００に加えるのに必要な入力の力の量を低下させるように構成される調節補助アセンブリ６４８を含む。
【００７３】
調節アセンブリ６４４はその中にネジ付き調節軸６５２をネジ止め可能に受容するネジ付き開口部を含む旋回ピン６５０を備える。調節軸６５４は第１の端部６５２と第２の端部６５６を含み、第１の端部６５４は底部構造５０２の開口部５１４を通して伸び、軸受アセンブリ６６０により長手方向軸の周りの旋回回転のために誘導される。旋回ピン６５０は旋回ピン６３２により第２の結合器６２６へ旋回可能に結合される第１の端部６６６と、旋回軸６７４の周りの旋回のための底部構造５０２の旋回開口部６７２内に旋回可能に受容される旋回ピン６７０により底部構造５０２へ旋回可能に結合される第２の端部６６８と、旋回ピン６５０の各端部を受容する開口部６７５を有する一対の結合アーム６６４を含む結合アセンブリ６６２（図４４）により底部構造５０２から支持される。
【００７４】
モーメントアーム移動結合アセンブリ６３８は制御入力アセンブリ５００と第１のべベルギアアセンブリ６７８の間に伸びる第１の駆動軸６７６、及び第１のべベルギアアセンブリ６７８と第２のべベルギアアセンブリ６８２の間に伸び、それらを結合する第２の駆動軸６８０を含み、第２のべベルギアアセンブリ６８２は調節軸６５２へ接続される。第１の駆動軸６７６は第１のユニバーサルジョイントアセンブリ６８６により制御入力アセンブリ５００へ作動可能に結合される第１の端部６８４を含む一方、第１の駆動軸６７６の第２の端部６８８は第２のユニバーサルジョイントアセンブリ６９０により第１のべベルギアアセンブリへ作動可能に結合される。図示される例で、第１の駆動軸６７６の第１の端部６８４は第１のユニバーサルジョイントアセンブリ６８６の雌結合部６９２を含む一方、第１の駆動軸６７６の第２の端部６８８は第２のユニバーサルジョイントアセンブリ６９０の雌結合部６９４を含む。第１のギアアセンブリ６７８はその中に第１のべベルギア６９８と第２のべベルギア７００を収容するハウジングアセンブリ６９６を含む。図示されるように、第１のべベルギア６９８は第２のユニバーサルジョイントアセンブリ６９０の一体型雄結合部７０２を含む。第２の駆動軸６８０の第１の端部７０６は第３のユニバーサルジョイント７０４により第１のべベルギアアセンブリ６７８に結合される。第２の駆動軸６８０の第１の端部７０６は第３のユニバーサルジョイントアセンブリ７０４の雌結合部７０８を含む。第２のべベルギア７００は第３のユニバーサルジョイントアセンブリ７０４の一体型雄結合部７１０を含む。第２の駆動軸６８０の第２の端部７１２は結合部材７１６の長手方向に伸びる対応するスプライン（表示なし）と結合する複数の長手方向に伸びるスプライン７１４を含む。結合部材７１６は第２の駆動軸６８０の第２の端部７１２を第４のユニバーサルジョイント７１８を介して第２のべベルギアアセンブリ６８２と結合させる。第４のユニバーサルジョイントアセンブリ７１８は第４のユニバーサルジョイントアセンブリ７１８を介して結合部材７１６に結合される第１のべベルギア７２２を収容するハウジングアセンブリ７２０を含み、第２のべベルギア７２４は調節軸６５２の第２の端部６５６へ固定される。結合部材７１６は第１のべベルギア７２２と一体の雄結合部７２８を受容する雌結合部７２６を含む。
【００７５】
組み合わせにおいて、モーメントアーム移動アセンブリ６３８の調節アセンブリ６４４（図５３及び５４）は底部構造５０２により作動可能に支持される一方、制御入力アセンブリ５００（図４２）は座部支持構造５２２の制御入力アセンブリ取り付け部５３６（図４４）により作動可能に支持される。この結果、座部構造５２２が完全な垂直位置Ｇと完全なリクライニング位置Ｈの間で移動するにつれて、制御入力アセンブリ５００とモーメントアーム移動アセンブリ６３８の調節アセンブリ６４４の間の相対角度及び距離は変化する。第３及び第４のユニバーサルジョイントアセンブリ７０４，７１８及びスプライン７１４と結合器７１６の装置は協働して角度と距離におけるこれらの相対変化を補償する。
【００７６】
モーメントアーム移動アセンブリ６３８（図５３及び５４）は低張力設定と高張力設定（図５７Ａ〜５８Ｂ）の間でバイアスアセンブリ６１４を調節するように機能する。特に、バイアスアセンブリ６１４は椅子アセンブリ１０が図５７Ａの垂直位置にある低張力設定の場合と、椅子アセンブリ１０が図５７Ｂのリクライニング位置にある低張力設定の場合を示す一方、図５８Ａは椅子が垂直位置にある高張力設定の場合のバイアスアセンブリ６１４を図示し、図５８Ｂは椅子がリクライニング位置である高張力設定の場合のバイアスアセンブリ６１４を図示する。旋回軸６４２とバネアセンブリ６１４のハウジング６１６の第２の端部６２０の間を測定した距離７３０は、モーメントアーム移動アセンブリ６３８が低張力設定に配置され、椅子アセンブリ１０が垂直位置にある場合、バネアセンブリに加えられる圧縮量の基準として機能する。モーメントアーム移動アセンブリ６３８が高張力設定にあり、椅子アセンブリ１０が垂直位置にある場合、距離７３０'（図５８Ａ）はバネアセンブリ６１４に加えられる圧縮力の増加量を比較して図示する。ユーザは低張力設定から高張力設定へモーメントアーム移動アセンブリ６３８を移動させることにより、背部支持構造５４２上のバイアスアセンブリにより加えられる力の量を調節する。特に、オペレータは、制御入力アセンブリ５００への入力を介して、モーメントアーム移動結合アセンブリ６４６を介して回転における調節アセンブリ６４４の調節軸６５２を駆動し、これにより旋回軸６５０を調節軸６５４の長さに沿って移動させ、これにより旋回軸６５０が底部構造５０２に対して調節されるにつれて、バネアセンブリ６１４に加えられる圧縮力を変化させる。旋回軸６５０は底部構造５０２の関係する側壁５０８に取り付けられる側板部材７３４内に配置される溝７３２内を移動する。モーメントアーム移動アセンブリ６３８が高張力設定にあり、椅子アセンブリ１０が垂直位置にある場合、距離７３０'はモーメントアーム移動アセンブリ６３８が低張力設定にあり、椅子アセンブリ１０が垂直位置にある場合の距離７３０より大きく、これによりバネアセンブリ６３４に加えられるような圧縮力が、低張力設定と比較してモーメントアーム移動アセンブリが高張力設定にある場合より大きいことを意味する。同様に、距離７３６'（図５８Ｂ）は距離７３６（図５７Ｂ）より大きく、この結果、バイアスアセンブリ６１４により加えられるバイアス力が増加し、背部アセンブリ１８をリクライニング位置から垂直位置へ向かって移動させる。バイアスアセンブリ６１４により加えられるバイアストルクは第２の旋回軸５１８の周りに加えられるバイアストルクの変化に対応し、ある構成では、バイアストルクの変化はバイアスアセンブリ６１４の長さ又はバイアス力の変化がなく、可能である。
【００７７】
図５９は背部支持構造５４２がリクライニング位置と垂直位置の間で動くにつれて、背部支持構造５４２をリクライニング位置から垂直位置へ向かって移動させる第２の旋回軸５１８の周りに加えられるトルク量のグラフである。図示される例で、背部支持構造５４２が垂直位置にあり、モーメントアーム移動アセンブリ６３８が低張力設定にある場合、バイアスアセンブリ６１４は、約６５２インチ−ポンドのトルクを第２の旋回軸５１８の周りに与え、背部支持構造５４２がリクライニング位置にあり、モーメントアーム移動アセンブリ６３８が低張力設定にある場合、約９３３インチ−ポンドのトルクを第２の旋回軸５１８の周りに与え、この結果約４３％の変化が発生する。同様に、バイアスアセンブリ６１４は、背部支持構造５４２が垂直位置にあり、モーメントアーム移動アセンブリ６３８が高張力設定にある場合、約１，４７０インチ−ポンドのトルクを第２の旋回軸５１８の周りに与え、背部支持構造５４２が垂直位置にあり、モーメントアーム移動アセンブリ６３８が高張力設定にある場合、約２，５８０インチ−ポンドのトルクを第２の旋回軸５１８の周りに与え、この結果、約７５％の変化が発生する。背部支持構造５４２が垂直とリクライニング位置の間で移動するにつれて、モーメントアーム移動アセンブリ６３８の低張力設定と高張力設定の間のバイアスアセンブリ６１４により与えられるトルク量におけるこの著しい変化は、椅子アセンブリ１０全体が様々な身長と体重のユーザに適切な前進後退支持を提供することを可能にする。
【００７８】
調節補助アセンブリ６４８（図５３及び５４）はモーメントアーム移動アセンブリ６３８を高張力設定から低張力設定へ移動させることにおいてオペレータを補助する。調節補助アセンブリ６４８は搭載構造７４０により底部構造５０２の前壁５０４に固定されるコイルバネ７３８、及び結合アーム６６４を取り付けた軸６３２の周りに伸び、コイルバネ７３８の自由端７４８を捕える開口部７４６を画定するキャッチ部分７４４を含むキャッチ部材７４２を含む。コイルバネ７３８はキャッチ部材７４２と上方垂直方向の軸６３２上、及び結合アーム６６４に取り付けられる軸６３２上に力Ｆを与え、これによりモーメントアーム移動アセンブリ６３８を低張力設定から高張力設定へ移動させるために、ユーザが制御入力アセンブリ５００に与えなければならない入力の力の量を低下させる。
【００７９】
上記のように、座部アセンブリ１６（図３）は後退位置Ｃと伸長位置Ｄの間で制御アセンブリ１４に対して長さ方向に移動可能である。図６０及び６１に最もよく図示されるように、直接駆動アセンブリ１５６２は駆動アセンブリ１５６４及び制御入力アセンブリ５００を駆動アセンブリ１５６４と結合する結合アセンブリ１５６６を含み、これによりユーザが制御アセンブリ１４に対して座部アセンブリ１６の直線位置を調節することを可能にする。図示される例において、座部支持板３２（図４２）は制御アセンブリ１４の制御板１５７２の対応するガイドフランジ１５７０を包含し及びこれとスライド可能に係合するＣ型ガイドレールを含む。一対のＣ型で長手方向に伸びる接続レール１５７４は対応するガイドレール３８内に位置し、座部支持板３２と結合される。一対のＣ型ブッシュ部材１５７６は接続レール１５７４内で長手方向に伸び、接続レール１５７４とガイドフランジ１５７０の間に位置する。駆動アセンブリ１５６４は複数の下向きに伸びる歯１５８０を有するラック部材１５７８を含む。駆動アセンブリ１５６４は、更にその中にラック部材１５７８をスライド可能に受容する溝１５８４を画定するＣ型断面形状を有するラックガイド１５８２を含む。ラックガイド１５８２は、その中に軸受部材１５８８を係合して受容するその長さに沿って配置されるレリーフ１５８６を含み、破線で図示されるような、軸受部材１５８８はラックガイド１５８２の軸受部材１５８８とレリーフ１５８６の間のアセンブリ調整を示し、更に実線で図示されるような、軸受部材は軸受部材１５８８とラック部材１５７８の間のアセンブリ調整を示す。また、軸受部材１５８８はラックガイド１５８２の一体部分として形成される。駆動部材１５６４は、更に制御入力アセンブリ５００とユニバーサル結合する第１の端部１５９２と複数の放射状に離隔して配置される歯１５９６を有する第２の端部を含む。組み合わせにおいて、座部支持板３２は、上記のように制御板１５７２とスライド可能に結合され、ラック部材１５７８は座部支持板３２の下側に固定され、ラックガイド１５８２は制御板１５７２の上向き開口溝１５９８内に固定される。操作において、ユーザにより制御入力アセンブリ５００へ与える入力の力は結合アセンブリ１５６６を介して駆動アセンブリ１５６４に移送され、これによりラック部材１５７８の歯１５８０に対して駆動軸１５９０の歯１５９６を駆動し、ラック部材１５７８と座部支持板３２をラックガイド１５８２と制御板１５７２に対してスライドさせる。
【００８０】
更に図６２〜６４を参照して、椅子アセンブリ１０は底部アセンブリ１２に対して座部１６と背部１８の垂直調節を許容する高さ調節アセンブリ１６００を含む。高さ調節アセンブリ１６００は底部アセンブリ１２の中心柱２６に既知の方法で垂直に配置される空気圧式シリンダ２８を含む。
【００８１】
ブラケット構造１６０２はハウジング又は底部構造５０２に固定され、空気圧式シリンダ２８の上端部１６０４は底部構造５０２の開口部１６０６（図６４）に既知の方法で受容される。空気圧式シリンダ２８は、高さ調節を提供するために空気圧式シリンダ２８を解放するように下へ移動させることができる調節弁１６０８を含む。ベルクランク１６１０は空気圧式シリンダ２８の解放弁１６０８と係合するように構成される水平に伸びるアーム１６３０と水平に伸びるアーム１６４０を有する。ベルクランク１６１０はブラケット１６０２へ回転可能に取り付けられる。ケーブルアセンブリ１６１２はベルクランク１６１０と調節ホイール／レバー１６２０と作動可能に相互接続する。ケーブルアセンブリ１６１２は内側ケーブル１６１４と外側ケーブルまたはシース１６１６を含む。外側シース１６１６はブラケット１６０２に形成される球形ソケット１６２２に回転可能に受容される球形接続金具１６１８を含む。第２の球形接続金具１６２４は内側ケーブル１６１４の端部１６２６に接続される。第２の球形接続金具１６２４は高さ調節中にケーブル端の回転移動を許容するようにベルクランク１６１０の上方に伸びるアーム１６３０の第２の球形ソケット１６２８に回転可能に受容される。
【００８２】
内側ケーブル１６１４の第２の又は外側端部１６３２はホイール１６２０の周りを包み、端部接続金具１６３４は内側ケーブル１６１４に接続される。張力バネ１６３６は端部接続金具１６３４及び位置１６３８で座部構造に接続される。バネ１６３６は弁１６０８が解放中の場合、ケーブル１６１４がベルクランク１６１０を回転させるように移動するのと同じ方向に内側ケーブル１６１４上に張力を発生させる。バネ１６３６は弁１６０８を作動させるのに十分な力を発生させないが、バネ１６３６はベルクランク１６１０のアーム１６４０を弁１６０８と接触させるようにバイアスをかけるのに十分な力を発生させる。このようにして、構成要素の許容誤差のために、さもなければ存在しただろう失われた運動、または遊びが排除される。動作中に、ユーザは調節ホイール１６２０を手で回転させ、これにより内側ケーブル１６１４上に張力を発生させる。これがベルクランク１６１０を回転させ、ベルクランク１６１０のアーム１６４０が空気圧式シリンダ２８の弁１６０８を押させ、及び作動させる。空気圧式シリンダ２８の内側バネ（表示なし）は弁１６０８を上方にバイアスし、弁１６０８を調節ホイール１６２０の解放により非作動位置へ移動させる。
【００８３】
制御入力アセンブリ５００（図４２及び６５〜６７）は、各々がユーザからの入力を椅子の構成要素及びそれに結合される機構へ伝達するように構成され、及びハウジングアセンブリ１７０４内に収容される第１の制御入力アセンブリ１７００及び第２の制御入力アセンブリ１７０２を備える。制御入力アセンブリ５００はアンチバック駆動アセンブリ１７０６、オーバロードクラッチアセンブリ１７０８、及びノブ１７１０を含む。アンチバック駆動機構またはアセンブリ１７０６は、直接駆動アセンブリ１５０２（図６０及び６１）及び座部アセンブリ１６が制御アセンブリ１７００からの入力なしに、後退及び伸長位置Ｃ、Ｄの間で駆動されることを防止する。アンチバック駆動アセンブリ１７０６はハウジングアセンブリ１７０４の内部１７１２内に受容され、その一端に駆動軸１５９０（図６１）の第２の端部１５９４に結合されるユニバーサルアダプタの雌部１７１６を含むアダプタ１７１４を含み、他端にてスプラインコネクタ１７１７を含む。カム部材１７１８はクラッチ部材１７２０を介してアダプタ１７１４と結合される。特に、カム１７１８はノブ１７１０との回転のために結合されるスプライン端部１７２２および外側カム面１７２６を有するカム端部１７２４を含む。クラッチ部材１７２０（図６６Ｂ）は、以下で記載するように、カム部材１７１８の外側カム面１７２６とカム係合するカム面１７３０を有するスプラインコネクタ１７１７とスライド可能に係合する内側に配置される一対のスプライン１７２３を含む。クラッチ部材１７２０はハウジングアセンブリ１７０４に対する回転のために固定されるロックリング１７３２により係合して受容される円錐形状のクラッチ面１７１９を有し、及びクラッチ部材１７２０のクラッチ面１７１９に対応し、それと協働して円錐状クラッチを形成する円錐状クラッチ面１７２１を含む。コイルバネ１７３４はクラッチ部材１７２０を固定リング１７３２と係合する方向にバイアスする。
【００８４】
入力なしに、バイアスバネ１７３４はクラッチ部材１７２０の円錐面を固定リング１７３２の円錐面と係合させ、これにより、第１の制御入力アセンブリ１７００からの入力なしに、後向き又は前向きの力を座部アセンブリ１６に単に与えることにより、後退と伸長位置Ｃ，Ｄの間での座部アセンブリ１６の"バックドライブ"または調節を防止する。作動において、オペレータは第１の制御入力アセンブリ１７００を介して直接駆動アセンブリ１５６２を作動させることにより後退と伸長位置Ｃ，Ｄの間で座部アセンブリ１６を移動させる。特に、ユーザによりノブ１７１０に加えられる回転力はノブ１７１０からカム部材１７１８へ伝送される。カム部材１７１８が回転すると、カム部材１７１８の外側カム面１７２６はクラッチ部材１７２０のカム面１７３０に作用し、これによりバネ１７３４のバイアス力に打ち勝ち、クラッチ部材１７２０を係合位置から外し、クラッチ部材１７２０は固定リング１７３２を外す。回転力は、次にカム部材１７１８からクラッチ部材１７２０へ伝送され、次に結合アセンブリ１５６６を介して直接駆動アセンブリ１５６２に結合されるアダプタ１７１４へ伝送される。
【００８５】
クラッチ部材１７２０が係合位置と解放位置の間で移動するにつれて、第１の制御入力アセンブリ１７００内の僅かの許容誤差が、直線方向及び回転方向にカム部材１７１８の僅かな移動（または"スロップ"）を許容にする。可塑性エラストマ（ＴＰＥ）を備える回転する環状ダンパー素子１７３６はハウジング１７０４の内部１７１２内に位置し、クラッチ部材１７２０に取り付けられる。図示される例で、ダンパー素子１７３６はハウジングアセンブリ１７０４の内壁を押し、および摩擦により、ハウジングアセンブリ１７０４の内壁と摩擦係合する。
【００８６】
第１の制御入力アセンブリ１７００は、またユーザが下降位置Ａと上昇位置Ｂの間で椅子アセンブリの垂直位置を調整可能にするように構成される第２のノブ１７３８を含む。
【００８７】
第２の制御入力アセンブリ１７０２はリクライニング中に背部アセンブリ１８に加えられる張力を調節するように、および背部アセンブリ１８のリクライニング量を制御するように構成される。第１のノブ１７４０はモーメントアーム移動結合アセンブリ６４６によりモーメントアーム移動アセンブリ６３８に作動可能に結合される。特に、第２の制御入力アセンブリ１７０２はモーメントアーム移動結合アセンブリ６４６の軸６７６の雌ユニバーサル結合部６９２（図５３及び５５）と結合する雄ユニバーサル結合部１７４２を含む。
【００８８】
第２のノブ１７６０は第２のノブ１７６０を様々な背部停止アセンブリ１７６４（図６７）へ作動可能に結合するケーブルアセンブリ１７６２を介して、背部アセンブリ１８のリクライニング量を調節するように構成される。ケーブルアセンブリ１７６２は第１のケーブルルート構造１７６６、第２のケーブルルート構造１７６８、およびそれらの間に伸び、その中でアクチュエータケーブル１７７２をスライド可能に受容するケーブル管１７７０を含む。ケーブル１７７２は底部構造５０２に対して固定される遠位端１７７４を含み、コイルバネ１７７８により方向１７７６にバイアスされる。様々な背部停止アセンブリ１７６４は、複数の垂直方向の段階ステップ１７８２を有する停止部材１７８０、座部アセンブリ１６に対して固定して支持される支持ブラケット１７８４、および前後方向１７８８にスライドするために、支持ブラケット１７８４にスライド可能に結合され、及び一対のネジ１７９０を介して停止部材１７８０へ固定して結合されるスライド部材１７８６を含む。ケーブル１７７２の長手方向移動が停止部材１７８０を前後方向１７８８に移動させるように、ケーブル１７７２は停止部材１７８０とスライド部材１７８６の間に固定される。動作中に、ユーザは第２のノブ１７６０への入力を介して停止部材１７８０の位置を調節することにより、可能となる背部リクライニングの量を調節する。背部アセンブリ１８が垂直位置からリクライニング位置に向かって移動するにつれて、利用可能な背部リクライニングの量が制限されることにより、停止部材１７８０の選択段階１７８２が底部構造５０２の後端１７９２に接触する。
【００８９】
各アームアセンブリ２０（図６８〜７０）はアーム底部構造８０２から旋回可能に支持され、アームレストアセンブリ８０４を調節可能に支持するアーム支持アセンブリ８００を含む。アーム支持アセンブリ８００は第１のアーム部材８０６、第２のアーム８０８、アーム支持構造８１０、及び協働して４本棒結合アセンブリを形成するアームレストアセンブリ支持部材８１２を含む。図示される例において、第１のアーム部材８０６はＵ型断面形状を有し、旋回軸８１６の周りで旋回するためにアーム支持構造８１０に旋回可能に結合される第１の端部８１４、及び旋回軸８２０の周りの旋回移動のためのアームレストアセンブリ支持部材８１２に旋回可能に結合される第２の端部８１８を含む。第２のアーム部材８０８はＵ型断面形状を有し、旋回軸８２４の周りの旋回のためにアーム支持構造８１０に旋回可能に結合される第１の端部８２２、及び旋回軸８２８の周りの旋回のためにアームレストアセンブリ支持部材８１２に旋回可能に結合される第２の端部８２６を含む。図示されるように、アーム支持アセンブリ８００の４本棒結合アセンブリはアームレストアセンブリ８０４が完全に上昇した位置Ｋと完全に下降した位置Ｌの間で調節されることを可能にし、完全に上昇した位置Ｋと完全に下降した位置Ｌの間の距離は好ましくは少なくとも約４インチである。各アームは、更にＵ型断面形状と第１の端部８０９を有する第１のカバーアーム部材８０７及びＵ型断面形状と第２の端部８１３を有する第２のカバーアーム部材８１１を含み、第１のアーム部材８０６は第１のアームカバー部材８０７の中に収容され、第２のアーム部材８０８は第２のアームカバー部材８１１の中に収容され、これにより第２の端部８１３と第１の端部８０９は互いに重なる。
【００９０】
各アーム底部構造８０２は制御アセンブリ１４に接続される第１の端部８３０と方向８３７に垂直軸８３５の周りのアームアセンブリの回転のためにアーム支持構造８１０を旋回可能に支持する第２の端部８３２を含む。アーム底部構造８０２の第１の端部８３０は本体部８３３及びそこから外側へ伸びる狭い差し込み部分８３４を含む。組み合わせにおいて、本体部８３３とアーム底部構造８０２の第１の端部８３０の差し込み部分８３４は制御板５７２と座部支持構造２８２の間で受容され、本体部８３３、アーム底部構造８０２の差し込み部分８３４、制御板５７２及び座部支持構造２８２を通して伸びる複数の機械式留め具（表示なし）によりそれに固定される。アーム支持構造８０２の第２の端部８３２はその中にアーム支持構造８１０を旋回可能に受容する。
【００９１】
図７１に最もよく図示されるように、アーム支持構造８０２は円筒形の上部８３８及び円錐形の下部８４０を有する上方に開く軸受リセス８３６を含む。ブッシュ部材８４２は軸受リセス８３６内に位置し、円錐形部８４６を含む軸受リセス８３６の下部８４０のように類似して構成される。アーム支持構造８１０は、ブッシュ部材８４２の下部８４６内で受容される円筒型上部８４８及び円錐形下部８５０を有する下端部を含む。アーム支持構造８１０の上端部８５２は、以下に記載されるように、垂直固定装置内に作動可能に係合するように構成される。ピン部材８５４はアーム支持構造８１０の中心に位置し、軸方向に伸びる穴８５６内に位置する。図示される例において、ピン部材８５４は鋼から形成される一方、アーム支持構造８１０の上端部８５２はピン部材８５４の近位端の周りに形成される粉末金属を備え、上端部８５２と旋回ピン８５４の組み合わせは外側アルミ被覆内に包まれる。ピン部材８５４の遠位端８５３はその中に調節ネジ８５７をネジ止めで受容する軸方向に伸びるネジ付き穴８５５を含む。アーム底部構造８０２は壁８６０により軸受リセス８３６から分離された円筒形の第２リセスを含む。コイルバネ８６４は第２のリセス８５８内のピン部材８５４の遠位端８５３の周りに位置し、及びアーム底部構造８０２の壁８６０とワッシャ部材８６６の間に捕捉され、これによりコイルバネ８６４はピン部材８５４上の矢印の方向に下向きの力８６８を加え、これによりアーム支持構造８１０の下端部をブッシュ部材８４２と密接して摩擦係合させ、ブッシュ部材８４２をアーム底部構造８０２の軸受リセス８３６と密接して摩擦係合させる。調節ネジ８５７はアーム支持構造８１０、ブッシュ部材８４２及びアーム底部構造８０２の間で摩擦干渉の量を調節するように調節され、旋回方向８３７に旋回アクセス８５５の周りでアームアセンブリ２０を動かすために、ユーザにより加えられるのに必要とされる力を増加させる。アーム支持構造８１０とアーム底部構造８０２の間の旋回接続はアームアセンブリ８００全体が旋回アクセス８３５を通して伸び、座部アセンブリ１６の中心線軸８７２と平行に伸びる線８７４から方向８７６（図７２）に内側へ、及び方向８７８へ線８７４から外側へ旋回することを可能にする。好ましくは、アームアセンブリ２０は線８７４から方向８７６へ少なくとも１７°旋回し、及び線８７４から方向８７８で少なくとも２２°旋回する。
【００９２】
さらに図７３から７５を参照して、アームレストの垂直高さ調節は第１のアーム部材８０６、第２のアーム部材８０８、アーム支持構造８１０及びアームレストアセンブリ支持部材８１２により形成される４本棒結合を回転させることにより達成される。ギア部材８８２は、旋回軸８１６の周りで円弧上に配置される複数の歯８８４を含む。ロック部材８８６は旋回軸８８８でアーム８０６へ旋回可能に取り付けられ、ギア部材８８２の歯８８４と選択的に係合する複数の歯８８４を含む。歯８８４と８９０が係合される場合、アームレスト８０４の高さは旋回軸８１６，８２４及び８８８の間に形成される剛性三角形により固定される。もし、下向きの力Ｆ４がアームレストへ加えられるならば、反時計回り（図７４）のモーメントがロック部材８８６上に発生する。このモーメントは歯８９０を押して８８４と係合させ、これによりアームレストの高さを確りロックする。
【００９３】
細長いロック部材８９２は旋回軸８９４でアーム８０６に回転可能に取り付けられる。低摩擦ポリマ軸受部材８９６は細長いロック部材８９２の湾曲部上部８９３の上に配置される。以下により詳細に論じられるように、手動解放レバー又は部材８９８はアームレストの垂直高さ調節を可能にするためにギア部材８８２の歯８８４からロック部材８８６の歯８９０を選択的に解放するために、ユーザにより上向きに移動させることができるパッド９００を含む。
【００９４】
リーフバネ９０２は細長いロック部材８９２の上端９０８に形成されるノッチ９０６と係合する第１の端部９０４を含む。これにより、リーフバネ９０２はノッチ９０６で固定部材８９２に一端が固定される。細長い固定部材８９２の上方に伸びるタブ９１２はリーフバネ９０２の細長い溝９１０内に受容され、これにより固定部材８９２に対してバネ９０２を設置する。リーフバネ９０２の端部９１６は固定部材８８６のノブ９１８上に上向き（Ｆ１）に位置し、これにより旋回軸８８８の周りに時計回り（解放）（図７５）に固定部材８８６を回転させようとするモーメントを発生させる。リーフバネ９０２は、またノッチ９０６で細長い固定部材８９２上に時計回りのモーメントを発生させ、旋回軸８１６の周りに時計回り（解放）に固定部材８８６を回転させようとするモーメントを固定部材上に発生させる。このモーメントはギア８９０をギア８８４から外そうとする。もしギア８９０がギア８８４から外されるならば、アームレストアセンブリの高さを調節することができる。
【００９５】
固定部材８８６は細長い固定部材８９２の尖った端部９９２を受容するリセス又はカットアウト９２０（図７４）を含む。リセス９２０は頂点９２４を有する第１の細いＶ型部を含む。リセスは、また小さいリセス又はノッチ９２６及びノッチ９２６にすぐ隣接する横向き上面９２８を含む。
【００９６】
上で論じたように、リーフバネ９０２はギア８９０をギア８８４から外そうとする固定部材８８６上に作用するモーメントを発生させる。しかし、細長い固定部材８９２の先端又は端部９２２が固定部材８８６のリセス９２０のノッチ９２６と係合する場合、この係合は固定部材８８６の時計回り（解放）への回転運動を防止し、これによりギア８９０及びギア８８４を互いに係合して固定し、アームレストの高さ調節を防止する。
【００９７】
アームレストの高さ調節のためにアームアセンブリを解放するため、ユーザは小さいリーフバネ８９９（図７４）に対してパッド９００を上方に引っ張る。解放部材８９８は前後方向に伸びる軸８９７の周りを回転し、手動解放レバー８９３の内側端部８９５は軸受部材８９６及び細長い固定部材８９２の湾曲部上部８９３（図７５）に対して下方に押す。これは下向きの力を発生させ、細長い固定部材８９２を旋回軸８９４の周りで回転させる。これは細長い固定部材８９２の端部９２２（図７４）を上方に移動させ、固定部材８８６のリセス９２０の浅い頂点９２４に隣接する。この固定部材８９２の移動は固定部材８８６を解放し、これにより固定部材８８６はリーフバネ９０２のバイアスにより時計回り（解放）に回転する。この回転はギア８９０をギア８８４から解放し、アームレストアセンブリの高さ調節を可能にする。
【００９８】
アームレストアセンブリは、また高さ調節部材の解放を防止するように構成される一方、下方向の力Ｆ４（図７４）はアームレストパッド８０４に加えられる。特に、アーム部材８０６，８０８、アーム支持構造８１０、及びアームレストアセンブリ支持部材８１２により形成される４本棒結合のため、下向き力Ｆ４は旋回軸８２０を旋回軸８２４へ向かって移動させようとする。しかし、細長い固定部材８９２は、概して旋回軸８２０と旋回軸８２４の間の線状に配置され、これにより４本棒結合の下方回転を防止する。上で述べたように、下方向の力Ｆ４は歯８９０をアームレストの高さをしっかり固定する歯８８４と確り係合させる。もし下向きの力Ｆ４がアームレストに加えられる間に、解放レバー８９８が作動すれば、固定部材８９２は移動して、細長い固定部材８９２の端部９２２は固定部材８８６のリセス９２０のノッチ９２６から外れるだろう。しかし、たとえ固定部材８９２が解放位置に移動しても、固定部材８８６へのモーメントは歯８９０及び８８４を係合状態に維持させる。こうして、４本棒結合と固定部材８８６とギア部材８８２の構成は機構を提供し、これによりもし下向き力Ｆ４がアームレストに作用するならば、アームレストの高さ調節は実施されることができない。
【００９９】
図７６〜７８で最もよく図示されているように、各アームレストアセンブリ８０４は関係するアーム支持アセンブリ８００から調節可能に支持され、これによりアームレストアセンブリ８０４は直線位置Ｍと旋回位置Ｎの間で旋回軸９６０の周りに内側と外側に旋回する。各アームレストアセンブリは、また後退位置Ｏと伸長位置Ｐの間で関係するアーム支持アセンブリ８００に対して直線的に調節可能である。各アームレストアセンブリ８０４はアームレストアセンブリ支持部材８１２と一体のアームレストハウジングアセンブリ９６２を含み、および内部空間９６４を画定する。アームレストアセンブリ８０４は、また平坦な本体部９６８を有する支持板９６６、開口部９６９を受容する一対の機械式留め具、及び上方に伸びる旋回ボス９７０を含む。長方形状のスライダハウジング９７２はそれを通して伸びる楕円形開口部９７６を有する平坦部９７４、平坦部９７４からこれに沿って長手方向に垂直に伸びる一対の側壁９７８、及び平坦部９７４から端部を超えて横方向に垂直に伸びる一対の端部壁９８１を含む。アームレストアセンブリ８０４は、更に上面９８４と下面９８６を画定する平坦な本体部を有する回転する直線調節部材９８０を含む。中心に位置する開口部９８８は本体部９８２を通して伸び、その中に旋回ボス９７０を旋回可能に受容する。回転する直線調節部材９８０は、更にその対向する端部に設置される一対の鋭角形状の開口部９９０、及び上面９８４から上方に伸び、その間に複数の戻り止め９９３を画定する横方向に離隔して弓状に配置される一対のリブセット９９１を含む。回転選択部材９９４は平坦な本体部９９６及びその中の中心に配置され、各々が下方に伸びる係合部１０００を含む一対の柔軟な弾性指９９８を含む。各アームレストアセンブリ８０４は、更に基板１００２上に成形されたアームパッド基板１００２とアームパッド部材１００４を含む。
【０１００】
組み合わせにおいて、支持板９６６はアームレストハウジングアセンブリ９６２上に位置し、スライダハウジング９７２は支持板９６６上に位置し、これにより平坦部９７４の底面１００６は支持板９６６の上面１００８に摩擦的に隣接し、回転する直線調節部材９８０はスライダハウジング９７２の側壁９７８と端部壁９８０の間に位置し、これにより回転する直線調節部材の底面９８６はスライダハウジング９７２の平坦部９７４に摩擦で係合し、回転する選択部材９９４は回転する直線調節部材９８０上にある。リベット１０１０のような一対の機械式留め具は、回転選択部材９９４の開口部９９９、回転する直線調節部材９８０の弓型形状の開口部９９０、及び支持板９６６の開口部９６９を通して伸び、及びアームレストハウジングアセンブリ９６２にネジ止めで固定され、これによりアームレストハウジング９６２に関する直線運動に対して、支持板９６６、及び回転する直線調節部材９８０及び回転選択部材９９４を固定する。基板１００２及びアームパッド部材１００４は、次にスライダハウジング９７２に固定される。上記装置はスライダハウジング９７２、基板１００２及びアームパッド部材１００４を直線方向にスライドさせ、これによりアームレストアセンブリ８０４が後退位置Ｏと伸長位置Ｐの間で調節される。支持板９６６と回転直線調節部材９８０によりスライダハウジング９７２上に加えられる固定力を調節するように、リベット１０１０は調節される。基板１００２は中心に位置し、上方に伸びる上昇部１０２０及び一対の長手方向に伸びる側壁（表示なし）を有する対応する下向きに配置されるリセスを含む。各側壁は先に記載したリブ９９１及び戻り止め９９３に類似する複数のリブと戻り止めを含む。作動において、アームパッド１００４が直線方向に動くにつれて、旋回ボス９７０はリセスの戻り止めと係合し、これによりユーザに触覚フィードバックを提供する。図示される例において、旋回ボス９７０が戻り止めと係合するにつれて、旋回ボス９７０は旋回ボス９７０の端部を弾性的に変形させる溝１０２２を含む。これによりその損耗を削減する。回転する直線調節部材９８０の弓形開口部９９０は調節部材９８０を支持板９６６の旋回ボス９７０の周りで旋回させ、及びアームレストアセンブリ８０４を直線位置Ｍと曲げた位置Ｎの間で調節されるようにする。作動において、回転する選択部材の各指９９８の係合部１０００はリブ９９１の間に画定される戻り止９９２と係合し、これによりユーザが選択された回転位置におけるアームレストアセンブリ８０４を位置決めることを可能にし、アームレストアセンブリ８０４が回転調節されるにつれて、ユーザに触覚フィードバックを提供する。
【０１０１】
椅子アセンブリの実施例は、斜視図（図７９）、正面図（図８０）、第１の側面図（図８１）、第２の側面図（図８２）、後面図（図８３）、上面図（図８４）、および底面図（図８５）を含む、様々な図で示される。
【０１０２】
アーム２０のない他の椅子アセンブリの実施例は、斜視図（図８６）、正面図（図８７），第１の側面図（図８８）、第２の側面図（図８９）、後面図（図９０）、上面図（図９１）、および底面図（図９２）を含む、様々な図において図示される。図７９から９２において図示される椅子アセンブリの実施例は明細書に記載されるように、特徴の全て、一部を含み、または何も含まない。
【０１０３】
先の記載において、本発明の様々な構成及び要素の他の組み合わせが、車両シート、スタジアムシート、家庭用シート、劇場シートなどに、明細書に開示されたような本発明概念を適用するなど、本概念が開示される際に本概念から離れずに行われることは、当業者により容易に理解されるだろう。このような変更は、その言語によるこれらの請求項が明確に述べられていない限り、以下の特許請求の範囲に含まれると理解されるべきである。
【図１】
2020054882.tif 000003
【図２】
2020054882.tif 000004
【図３】
2020054882.tif 000005
【図４】
2020054882.tif 000006
【図５Ａ】
2020054882.tif 000007
【図５Ｂ】
2020054882.tif 000008
【図６】
2020054882.tif 000009
【図７】
2020054882.tif 000010
【図８】
2020054882.tif 000011
【図９】
2020054882.tif 000012
【図１０】
2020054882.tif 000013
【図１１】
2020054882.tif 000014
【図１１Ａ】
2020054882.tif 000015
【図１２】
2020054882.tif 000016
【図１３】
2020054882.tif 000017
【図１４】
2020054882.tif 000018
【図１５】
2020054882.tif 000019
【図１６】
2020054882.tif 000020
【図１７】
2020054882.tif 000021
【図１８】
2020054882.tif 000022
【図１９】
2020054882.tif 000023
【図２０Ａ】
2020054882.tif 000024
【図２０Ｂ】
2020054882.tif 000025
【図２１】
2020054882.tif 000026
【図２２】
2020054882.tif 000027
【図２３】
2020054882.tif 000028
【図２４Ａ】
2020054882.tif 000029
【図２４Ｂ】
2020054882.tif 000030
【図２５】
2020054882.tif 000031
【図２６Ａ】
2020054882.tif 000032
【図２６Ｂ】
2020054882.tif 000033
【図２７Ａ】
2020054882.tif 000034
【図２７Ｂ】
2020054882.tif 000035
【図２８】
2020054882.tif 000036
【図２９Ａ】
2020054882.tif 000037
【図２９Ｂ】
2020054882.tif 000038
【図３０】
2020054882.tif 000039
【図３１】
2020054882.tif 000040
【図３２Ａ】
2020054882.tif 000041
【図３２Ｂ】
2020054882.tif 000042
【図３２Ｃ】
2020054882.tif 000043
【図３２Ｄ】
2020054882.tif 000044
【図３３】
2020054882.tif 000045
【図３４Ａ】
2020054882.tif 000046
【図３４Ｂ】
2020054882.tif 000047
【図３４Ｃ】
2020054882.tif 000048
【図３４Ｄ】
2020054882.tif 000049
【図３４Ｅ】
2020054882.tif 000050
【図３４Ｆ】
2020054882.tif 000051
【図３４Ｇ】
2020054882.tif 000052
【図３４Ｈ】
2020054882.tif 000053
【図３５Ｇ】
2020054882.tif 000054
【図３５Ｈ】
2020054882.tif 000055
【図３６】
2020054882.tif 000056
【図３７】
2020054882.tif 000057
【図３８】
2020054882.tif 000058
【図３９】
2020054882.tif 000059
【図４０】
2020054882.tif 000060
【図４１】
2020054882.tif 000061
【図４２】
2020054882.tif 000062
【図４３】
2020054882.tif 000063
【図４４】
2020054882.tif 000064
【図４５】
2020054882.tif 000065
【図４６Ａ】
2020054882.tif 000066
【図４６Ｂ】
2020054882.tif 000067
【図４７】
2020054882.tif 000068
【図４８】
2020054882.tif 000069
【図４９】
2020054882.tif 000070
【図５０】
2020054882.tif 000071
【図５１】
2020054882.tif 000072
【図５２】
2020054882.tif 000073
【図５２Ａ】
2020054882.tif 000074
【図５３】
2020054882.tif 000075
【図５４】
2020054882.tif 000076
【図５５】
2020054882.tif 000077
【図５６】
2020054882.tif 000078
【図５７Ａ】
2020054882.tif 000079
【図５７Ｂ】
2020054882.tif 000080
【図５８Ａ】
2020054882.tif 000081
【図５８Ｂ】
2020054882.tif 000082
【図５９】
2020054882.tif 000083
【図６０】
2020054882.tif 000084
【図６１】
2020054882.tif 000085
【図６２】
2020054882.tif 000086
【図６３】
2020054882.tif 000087
【図６４】
2020054882.tif 000088
【図６５】
2020054882.tif 000089
【図６６Ａ】
2020054882.tif 000090
【図６６Ｂ】
2020054882.tif 000091
【図６６Ｃ】
2020054882.tif 000092
【図６７】
2020054882.tif 000093
【図６８】
2020054882.tif 000094
【図６９】
2020054882.tif 000095
【図７０】
2020054882.tif 000096
【図７１】
2020054882.tif 000097
【図７２】
2020054882.tif 000098
【図７３】
2020054882.tif 000099
【図７４】
2020054882.tif 000100
【図７５】
2020054882.tif 000101
【図７６】
2020054882.tif 000102
【図７７】
2020054882.tif 000103
【図７８】
2020054882.tif 000104
【図７９】
2020054882.tif 000105
【図８０】
2020054882.tif 000106
【図８１】
2020054882.tif 000107
【図８２】
2020054882.tif 000108
【図８３】
2020054882.tif 000109
【図８４】
2020054882.tif 000110
【図８５】
2020054882.tif 000111
【図８６】
2020054882.tif 000112
【図８７】
2020054882.tif 000113
【図８８】
2020054882.tif 000114
【図８９】
2020054882.tif 000115
【図９０】
2020054882.tif 000116
【図９１】
2020054882.tif 000117
【図９２】
2020054882.tif 000118
【手続補正書】
【提出日】令和2年1月7日(2020.1.7)
【手続補正１】
【補正対象書類名】特許請求の範囲
【補正対象項目名】全文
【補正方法】変更
【補正の内容】
【特許請求の範囲】
【請求項１】
椅子アセンブリであって、
上部、下部、及び椅子が使用中の場合、床面上で垂直位置に前記椅子を支持するように構成される支持構造を画定する底部構造と、
前部と後部を有する座部支持構造であって、前記前部は第１の旋回軸の周りの回転のために前記底部構造の上部へ旋回可能に連結され、
前記座部支持構造はその上のユーザを支持するように構成される座部支持面を含む、座部支持構造と、
前記椅子が床面上で垂直位置にある場合、前記第１の旋回軸の下で後方に位置する第２の旋回軸の周りの回転のために前記底部構造の下部へ旋回可能に連結される前部を有する背部支持構造であって、前記第２の旋回軸の周りで旋回し、前記背部が垂直位置からリクライニング位置へ移動するにつれて、後方及び下方へ動く上方へ伸びる背部を含む、背部支持構造と、
前記椅子が前記垂直使用位置にある場合、前記第１と第２の旋回軸の後方に位置する第３の旋回軸の周りの回転のために前記座部支持構造へ旋回可能に連結される制御リンクであって、前記椅子が垂直使用位置にある場合、前記第１と第２の旋回軸の後方に位置する第４の旋回軸の周りの回転のために前記背部支持構造へも旋回可能に連結される、制御リンクと、を備え
前記背部構造が前記垂直位置にあり、及び前記椅子アセンブリが床面上の垂直位置にある場合、前記第３の旋回軸は前記第４の旋回軸の後方に位置し、
前記背部支持構造が前記垂直位置から前記リクライニング位置へ移動するにつれて、前記第３の旋回軸は前記第４の旋回軸に対して前方へ移動する、椅子アセンブリ。
【請求項２】
前記背部支持構造は垂直の剛性構造と、前記垂直の剛性構造から前方へ離間して設置される柔軟な支持構造を含み、前記柔軟な支持構造は前記座部支持構造へ作動可能に連結される下部を有し、これにより前記下部は前記座部構造と制御された方法で動く、請求項１に記載の椅子アセンブリ。
【請求項３】
前記柔軟な支持構造は腰部支持を画定する前方へ突出する凹状の湾曲下部を含む、請求項１又は２に記載の椅子アセンブリ。
【請求項４】
前記座部構造へ回転可能に連結される第１の端部と、前記座部構造と前記背部構造の間で制御された非線形の力伝達を提供するために、前記背部構造とスライド可能に係合する第２の端部を有する力伝達カム部材を含む、請求項１から３のいずれか１項に記載の椅子アセンブリ。
【請求項５】
前記背部支持構造が前記垂直位置にあり、及び前記リクライニング位置にある場合、前記第３の旋回軸は前記第４の旋回軸の後に位置する、請求項１から４のいずれか１項に記載の椅子アセンブリ。
【請求項６】
事務用椅子アセンブリを構成する、請求項１から５のいずれか１項に記載の椅子アセンブリ。
【請求項７】
椅子アセンブリであって、
底部構造と、
第１の旋回軸の周りの回転のために前記底部構造へ旋回可能に連結され、その上のユーザを支持するように構成される座部支持面を含む、座部支持構造と、
垂直位置とリクライニング位置の間で第２の旋回軸の周りの回転のために前記底部構造へ旋回可能に連結される背部支持構造であって、前記背部支持構造が前記垂直位置と前記リクライニング位置の間で前記第２の旋回軸の周りを旋回するにつれて、互いに対して水平に移動する第１と第２の部分を有する上方へ伸びる背部を含む、背部支持構造と、
を備え、
前記上方へ伸びる背部の前記第１の部分は、前記座部構造に対して前記第１の部分の移動を制御する接続部材により前記座部支持構造へ連結される、椅子アセンブリ。
【請求項８】
前記上方へ伸びる部分の第２の部分は垂直な剛性構造を備え、前記上方へ伸びる背部の第１の部分は前記垂直な剛性構造から前方へ離間して設置される柔軟な支持構造を備える、請求項７に記載の椅子アセンブリ。
【請求項９】
前記柔軟な支持構造の下部が前記座部構造と前方及び後方へ移動するように、前記柔軟な支持構造は前記接続部材により前記座部構造へ連結される下部を有する、請求項７又は８に記載の椅子アセンブリ。
【請求項１０】
前記柔軟な支持構造は腰部支持を画定する前方へ突出する凹状の湾曲下部を含む、請求項８又は９に記載の椅子アセンブリ。
【請求項１１】
事務用椅子アセンブリを構成する、請求項７から１０のいずれか１項に記載の椅子アセンブリ。
【請求項１２】
椅子アセンブリであって、
上部、下部、及び椅子が使用中の場合、床面上で垂直位置に前記椅子を支持するように構成される支持構造を画定する底部構造と、
前部と後部を有する座部支持構造であって、
前記前部は第１の旋回軸の周りの回転のために前記底部構造へ旋回可能に連結され、
前記座部支持構造はその上のユーザを支持するように構成される座部支持面を含む、座部支持構造と、
前記第１の旋回軸から垂直方向へ離間して設置される第２の旋回軸の周りの回転のために前記底部構造へ旋回可能に連結される前部を有し、前記背部支持構造が前記第２の旋回軸の周りを旋回し、及び前記背部が垂直位置からリクライニング位置へ移動するにつれて、後方及び下方へ移動する上方へ伸びる背部を含む、背部支持構造と
前記椅子が前記垂直使用位置にある場合、前記第１と第２の旋回軸の後方に位置する第３の旋回軸の周りの回転のために前記背支持構造へ旋回可能に連結される制御リンクであって、椅子が垂直使用位置にある場合、前記第１と第２の旋回軸の後方に位置する第４の旋回軸の周りの回転のために前記背部支持構造へも旋回可能に連結される、制御リンクと、を備え、
前記背部支持構造は垂直の剛性構造を含み、柔軟な支持構造が前記垂直の剛性構造から前方へ離隔して設置され、前記下部が制御されて前記座部構造と動くように、前記柔軟な支持構造は前記座部構造へ作動可能に連結される下部を有する、椅子アセンブリ。
【請求項１３】
前記背部支持構造の前記前部は前記底部構造の前記下部へ旋回可能に結合される、請求項１２に記載の椅子アセンブリ。
【請求項１４】
記椅子が床面上で垂直位置にある場合、前記第２の旋回軸は前記第１の旋回軸の下及び後方に位置する、請求項１２又は１３に記載の椅子アセンブリ。
【請求項１５】
前記柔軟な支持構造は腰部支持を画定する前方へ突出する凹状の湾曲下部を含む、請求項１２から１４のいずれか１項にに記載の椅子アセンブリ。
【請求項１６】
事務用椅子アセンブリを構成する、請求項１２から１５のいずれか１項に記載の椅子アセンブリ。